(57)【特許請求の範囲】
【請求項１】
遊技領域を前方から覆う第１透明板を有する遊技機であって、
画像を投影可能な投影手段と、
前記投影手段によって画像が投影される部分であって少なくとも１の屈曲部を有する被投影部と、
前記第１透明板を前方から覆う第２透明板と、
を備え、
前記投影手段は、投影光が前記第２透明板を通過せずに前記第１透明板を通過する位置に設けられ、前記被投影部に投影可能な特定画像については、前記屈曲部を跨がらないように投影する
ことを特徴とする遊技機。
【請求項２】
可変表示の表示結果として予め定められた特定表示結果が導出されたときに遊技者にとって有利な有利状態に制御可能な遊技機であって、
前記投影手段は、特別画像については前記屈曲部を跨がるように投影可能であり、
前記特別画像が投影されたときに、該特別画像が跨がる前記屈曲部の数に応じて前記有利状態に制御される期待度が異なる
ことを特徴とする請求項１に記載の遊技機。
【請求項３】
前記被投影部は、第１形状と該第１形状とは異なる第２形状とに変化可能であって、
デモ演出の実行条件が成立した場合にデモ演出を実行するデモ演出実行手段を備え、
前記デモ演出実行手段は、前記デモ演出において、前記投影手段に前記被投影部の形状に応じた画像を投影させることにより、前記被投影部の形状に応じた演出を行う
ことを特徴とする請求項１または請求項２に記載の遊技機。
【請求項４】
前記被投影部の背面に設けられ、前記被投影部を背面から照らす照光手段を備える
ことを特徴とする請求項１〜請求項３のいずれかに記載の遊技機。
【発明の詳細な説明】
【技術分野】
【０００１】
本発明は、遊技が可能な遊技機に関する。
【背景技術】
【０００２】
従来、遊技盤にスクリーン（被投影部）が設けられ、このスクリーンの背面側に配置されたプロジェクタ（投影手段）から画像を投影するスクリーン予告演出を実行可能な遊技機がある。このような遊技機では、スクリーンが弾性変形可能となっており、弾性変形により凹凸（屈曲部）が形成されたスクリーンにプロジェクタが画像を投影可能になっている（例えば、特許文献１参照）。
【先行技術文献】
【特許文献】
【０００３】
【特許文献１】特開２０１３−２４８０２９号公報
【発明の概要】
【発明が解決しようとする課題】
【０００４】
しかしながら、特許文献１にあっては、プロジェクタ（投影手段）から投影される画像において、演出図柄や保留表示のように遊技者に遊技に関する情報を与えるための特定画像が、弾性変形により凹凸（屈曲部）が形成されたスクリーン（被投影部）に投影されてしまうと、遊技者が特定画像を視認し難くなってしまうという問題がある。
【０００５】
本発明は、このような問題点に着目してなされたもので、特定画像が視認し難くなってしまうことを防ぐことができる遊技機を提供することを目的とする。
【課題を解決するための手段】
【０００６】
前記課題を解決するために、本発明の請求項１に記載の遊技機は、
遊技領域を前方から覆う第１透明板を有する遊技機（例えば、パチンコ遊技機１）であって、
画像（例えば、遊技に関する演出図柄の画像や各種演出に関する画像）を投影可能な投影手段（例えば、投影装置４００）と、
前記投影手段によって画像が投影される部分であって少なくとも１の屈曲部を有する被投影部（例えば、略箱状の第１スクリーン３０１を有するスクリーンユニット３００）と、
前記第１透明板を前方から覆う第２透明板と、
を備え、
前記投影手段は、投影光が前記第２透明板を通過せずに前記第１透明板を通過する位置に設けられ、前記被投影部に投影可能な特定画像（例えば、保留記憶表示（保留記憶表示用フレームを含む））については、前記屈曲部を跨がらないように投影する（図２９に示すように、第１スクリーン３０１の屈曲部を跨がらないように、保留記憶表示と保留記憶表示用フレームとを第１スクリーン３０１に投影表示する部分）
ことを特徴としている。
この特徴によれば、屈曲部に跨がって特定画像が投影されることがないので、特定画像が視認し難くなってしまうことを防ぐことができる。
【０００７】
本発明の請求項２の遊技機は、請求項１に記載の遊技機であって、
可変表示（例えば、特別図柄の変動表示）の表示結果として予め定められた特定表示結果（例えば、大当り図柄）が導出されたときに遊技者にとって有利な有利状態（例えば、大当り遊技状態や高確率状態）に制御可能な遊技機（例えば、パチンコ遊技機１）であって、
前記投影手段は、特別画像（例えば、図２４（Ｄ）〜（Ｆ）に示すように、予告演出において投影される窓の画像）については前記屈曲部を跨がるように投影可能であり、
前記特別画像が投影されたときに、該特別画像が跨がる前記屈曲部の数に応じて前記有利状態に制御される期待度が異なる（例えば、予告演出において、図２２（ｃ）に示す窓種別決定用テーブルによって決定された窓種別に応じて、図２４（Ｄ）〜（Ｆ）の各画像が投影される演出が実行されることにより、窓の画像が跨がる屈曲部が多い程、大当りとなる期待度が高くなる部分）
ことを特徴としている。
この特徴によれば、特別画像が跨がる屈曲部の数に遊技者を注目させることができるので、遊技興趣を向上できる。
【０００８】
本発明の請求項３の遊技機は、請求項１または請求項２に記載の遊技機であって、
前記被投影部は、第１形状（例えば、平面状の第２スクリーン３０２が投影対象となる形状）と該第１形状とは異なる第２形状（例えば、略箱状の第１スクリーン３０１が投影対象となる形状）とに変化可能であって、
デモ演出の実行条件（例えば、変動表示が非実行となってデモ表示可能コマンドが送信された後、所定時間に亘って変動表示が無かったこと）が成立した場合にデモ演出（例えば、図２５に示すデモ演出）を実行するデモ演出実行手段（例えば、演出制御用ＣＰＵ１２０がＳ５８のデモ演出処理を実行する部分）を備え、
前記デモ演出実行手段は、前記デモ演出において、前記投影手段（例えば、投影装置４００）に前記被投影部の形状に応じた画像を投影させることにより、前記被投影部の形状に応じた演出を行う（例えば、図２５（Ｂ）に示すように、中央部が前方に突出する湾曲板状とされた第３スクリーン３０３に対応するようにマッピングされたタイヤの画像や、図２５（Ｃ）に示すように、第１スクリーン３０１の略箱状に対応するようにマッピングされた運転席の画像による演出を行う部分）
ことを特徴としている。
この特徴によれば、被投影部の形状に応じたデモ演出が実行されるので、デモ演出の興趣を向上できる。
【０００９】
本発明の請求項４の遊技機は、請求項１〜請求項３のいずれかに記載の遊技機であって、
前記被投影部の背面に設けられ、前記被投影部を背面から照らす照光手段（例えば、図３３に示す変形例におけるバックライト）を備える
ことを特徴としている。
この特徴によれば、被投影部に投影される画像による光だけではなく、被投影部を背面からも照光することが可能となるため、被投影部をより一層、目立たせることができるので、遊技興趣を向上できる。
【００１０】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１１】
【図１】実施例におけるパチンコ遊技機を示す正面図である。
【図２】パチンコ遊技機の回路構成を示すブロック図である。
【図３】パチンコ遊技機を示す背面図である。
【図４】開閉扉枠を開放して遊技盤を遊技機用枠に取付ける状態を示す斜視図である。
【図５】パチンコ遊技機の内部構造を示す概略縦断面図である。
【図６】（Ａ）は第２スクリーンが第２退避位置、第３スクリーンが第３退避位置、（Ｂ）は第２スクリーンが第２投影位置、第３スクリーンが第３退避位置にある状態を示すスクリーンユニットの斜視図である。
【図７】（Ａ）は投影装置とスクリーンユニットとの位置関係を示す概略縦断面図、（Ｂ）は投影装置とスクリーンユニットとの位置関係を示す概略横断面図である。
【図８】（Ａ）は第２スクリーンが第２投影位置、（Ｂ）は第３スクリーンが第３投影位置、（Ｃ）は第２スクリーンが第２退避位置、第３スクリーンが第３退避位置にあるときの投影光及び投影画像を示す説明図である。
【図９】（Ａ），（Ｂ）は、演出制御コマンドを例示する図である。
【図１０】各乱数を示す説明図である。
【図１１】変動パターンを例示する図である。
【図１２】表示結果判定テーブルを示す説明図である。
【図１３】（Ａ）は、大当り種別判定テーブルの構成例を示す図であり、（Ｂ）は、各種大当りの内容を示す図である。
【図１４】遊技制御用タイマ割込み処理の一例を示すフローチャートである。
【図１５】特別図柄プロセス処理の一例を示すフローチャートである。
【図１６】特別図柄通常処理の一例を示すフローチャートである。
【図１７】演出制御メイン処理の一例を示すフローチャートである。
【図１８】一斉演出処理の一例を示すフローチャートである。
【図１９】演出制御プロセス処理の一例を示すフローチャートである。
【図２０】演出図柄変動開始処理の一例を示すフローチャートである。
【図２１】予告設定処理の一例を示すフローチャートである。
【図２２】（ａ）は、予告演出種別決定用テーブルを示す図であり、（ｂ）は、スクリーン変化タイミング決定用テーブルを示す図であり、（ｃ）は、窓種別決定用テーブルを示す図であり、（ｄ）は、スクリーン外へのはみ出しの有無を決定するためのはみ出し決定用テーブルを示す図である。
【図２３】演出図柄変動中処理の一例を示すフローチャートである。
【図２４】予告演出の実施態様を示す説明図である。
【図２５】デモ演出の実施態様を示す説明図である。
【図２６】インターバル画像の表示状況を示す説明図である。
【図２７】演出装置起動設定処理による各演出装置の起動状況を示す説明図である。
【図２８】変形例の演出装置起動設定処理による各演出装置の起動状況を示す説明図である。
【図２９】変形例における保留記憶表示の表示形態を示す説明図である。
【図３０】変形例における演出図柄の変動表示形態を示す説明図である。
【図３１】変形例における振動画像の表示形態を示す説明図である。
【図３２】変形例の合体スクリーンを示す説明図である。
【図３３】（Ａ）は、変形例の背面照光スクリーンを示す断面図であり、（Ｂ）および（Ｃ）は、変形例の背面照光スクリーンの表示例を示す図である。
【発明を実施するための形態】
【００１２】
本発明に係る遊技機を実施するための形態を実施例に基づいて以下に説明する。
【実施例】
【００１３】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。尚、本実施例におけるフローチャートの各ステップの説明において、例えば「ステップＳ１」と記載する箇所を「Ｓ１」と略記する場合がある。また、本実施例においては、『実行』と『実施』とは同義である。
【００１４】
図１は、本実施例におけるパチンコ遊技機の正面図であり、主要部材の配置レイアウトを示す。パチンコ遊技機（以下、遊技機と略記する場合がある）１は、大別して、遊技盤面を構成する遊技盤（ゲージ盤）２を支持固定する遊技機用枠（台枠）３と、遊技機用枠３を回動可能に支持する外枠２００（図３、図４参照）と、から構成されている。遊技盤２の前面には、ガイドレール２ｂによって囲まれた遊技領域１０が形成されている。この遊技領域１０には、遊技媒体としての遊技球が発射装置（図示略）から発射されて打ち込まれる。また、遊技機用枠３には、後述する第１透明板５０ａ及び第２透明板５０ｂを有する開閉扉枠５０が左側辺を中心として回動可能に設けられ、該開閉扉枠５０により遊技領域１０を含む遊技機用枠３の前面を開閉できるようになっており、開閉扉枠５０により遊技機用枠３の前面を閉鎖したときに第１透明板５０ａ及び第２透明板５０ｂからなる透視部を通して遊技領域１０を透視できるようになっている。
【００１５】
遊技盤２は、ベニヤ板等の非透光性部材にて、図１に示すように、正面視略四角形状に形成され、前面である遊技盤面には障害釘（図示略）やガイドレール２ｂ等が設けられている。尚、本実施例では、後述するように、遊技盤２の後方に役物装置３１０Ａ、３１０Ｂが設けられていることを遊技者に認識され難くするために、該遊技盤２を非透光性部材に形成した形態を例示しているが、本発明はこれに限定されるものではなく、これら遊技盤２を、アクリル樹脂、ポリカーボネート樹脂、メタクリル樹脂等の透光性を有する合成樹脂材からなる盤面板（図示略）と、該盤面板の背面側に一体的に取付けられるスペーサ部材（図示略）とにより形成しても良い。
【００１６】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。例えば第１特別図柄表示器４Ａと第２特別図柄表示器４Ｂはそれぞれ、「０」〜「９」を示す数字や「−」を示す記号等から構成される複数種類の特別図柄を変動表示する。尚、第１特別図柄表示器４Ａや第２特別図柄表示器４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００１７】
以下では、第１特別図柄表示器４Ａにおいて変動表示される特別図柄を「第１特図」ともいい、第２特別図柄表示器４Ｂにおいて変動表示される特別図柄を「第２特図」ともいう。
【００１８】
遊技盤２における遊技領域１０の中央付近には、パチンコ遊技機１の前後方向に貫通する開口２ｃが形成されており、開口２ｃには、環状のステージ飾り枠５１が嵌合されている（図５参照）。また、遊技盤２の後方には剣型の模型を傾倒可能に有する１対の役物装置３１０Ａ、３１０Ｂや、後述する投影装置４００から投影される画像を映し出すための３つのスクリーンを備えるスクリーンユニット３００や、演出表示装置５が設けられており、スクリーンユニット３００と演出表示装置５を、開口２ｃを通して視認できるようになっている。尚、役物装置３１０Ａ、３１０Ｂは、開口２ｃを通して視認し難い位置である、開口２ｃから少し外れた位置に設けられており、剣型の模型が傾倒されることで、開口２ｃから剣型の模型を視認可能となるようになっている。
【００１９】
演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、各々を識別可能な複数種類の識別情報（装飾識別情報）である演出図柄（飾り図柄ともいう）が変動表示される。この演出図柄の変動表示も、変動表示ゲームに含まれる。
【００２０】
演出図柄の変動表示は、スクリーンユニット３００と演出表示装置５のいずれにおいても実行される。演出表示装置５において演出図柄の変動表示が実行される場合には、演出表示装置５の表示領域に設定された、「左」、「中」、「右」の演出図柄変動エリア５Ｌ，５Ｃ，５Ｒにて個々に演出図柄の変動表示が実行され、変動表示が終了するときに、「左」、「中」、「右」の各演出図柄変動エリア５Ｌ，５Ｃ，５Ｒにて、演出図柄の変動表示結果となる確定演出図柄（最終停止図柄）が停止表示される。
【００２１】
また、スクリーンユニット３００において演出図柄の変動表示が実行される場合にも、演出表示装置５と同様に、「左」、「中」、「右」の３つの演出図柄変動エリアにて演出図柄の変動表示が実行され、変動表示が終了するときに、「左」、「中」、「右」の３つの演出図柄変動エリアに確定演出図柄（最終停止図柄）が停止表示される。
【００２２】
このように、スクリーンユニット３００及び演出表示装置５では、第１特別図柄表示器４Ａにおける第１特図を用いた特図ゲーム、または、第２特別図柄表示器４Ｂにおける第２特図を用いた特図ゲームと同期して、演出図柄の変動表示を行い、変動表示結果となる確定演出図柄を導出表示（あるいは単に「導出」ともいう）する。尚、確定演出図柄（最終停止図柄）をスクリーンユニット３００または演出表示装置５の一方のみに表示するようにしても良い。また、特別図柄や演出図柄といった、各種の表示図柄を導出表示するとは、演出図柄等の識別情報を停止表示（完全停止表示や最終停止表示ともいう）して変動表示を終了させることである。
【００２３】
スクリーンユニット３００や演出表示装置５において変動表示される演出図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。演出図柄のそれぞれには、対応する図柄番号が付されている。例えば、「１」〜「８」を示す英数字それぞれに対して、「１」〜「８」の図柄番号が付されている。尚、演出図柄は８種類に限定されず、大当り組合せやはずれとなる組合せなど適当な数の組合せを構成可能であれば、何種類であってもよい（例えば７種類や９種類など）。
【００２４】
スクリーンユニット３００を構成する後述する平面状の第２スクリーン３０２の下方領域と、演出表示装置５の表示領域の上部領域には、保留記憶表示エリアが設定されている。保留記憶表示エリアでは、特図ゲームに対応した変動表示の保留記憶数（第１特図保留記憶数、第２特図保留記憶数）を特定可能に表示する保留記憶表示が行われる。
【００２５】
尚、本実施例では、後述する予告演出やリーチ演出等が実行される場合においてスクリーンユニット３００が変化したり、スクリーンユニット３００に演出画像が大きく投影表示される場合において、演出表示装置５の上部領域の保留記憶表示エリアに保留記憶表示が表示されるが、それ以外の通常時においては、主に、第２スクリーン３０２の下方領域の保留記憶表示エリアに保留記憶表示が表示される。
【００２６】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。本実施例では、第１始動入賞口を遊技球が通過（進入）することによる始動入賞に基づいて発生した保留記憶表示を丸型の白色表示にて保留記憶表示エリアの左側領域に表示し、第２始動入賞口を遊技球が通過（進入）することによる始動入賞に基づいて発生した保留記憶表示を同様に丸型の青色表示にて保留記憶表示エリアの右側領域に表示する。
【００２７】
図１に示す例では、第１特別図柄表示器４Ａ及び第２特別図柄表示器４Ｂの上方位置に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。
【００２８】
演出表示装置５の下方には、普通入賞球装置６Ａと、普通可変入賞球装置６Ｂとが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、閉鎖位置となる閉鎖状態と開放位置となる開放状態とに変化する可動板を有する普通電動役物を備え、始動領域（第２始動領域）としての第２始動入賞口を形成する。
【００２９】
一例として、普通可変入賞球装置６Ｂでは、普通電動役物用のソレノイド８１がオフ状態であるときに可動板が閉鎖位置となることにより、遊技球が第２始動入賞口を通過（進入）しがたい閉鎖状態となる。その一方で、普通可変入賞球装置６Ｂでは、普通電動役物用のソレノイド８１がオン状態であるときに可動板が開放位置となる開放制御により、遊技球が第２始動入賞口を通過（進入）しやすい開放状態となる。
【００３０】
普通入賞球装置６Ａに形成された第１始動入賞口を通過（進入）した遊技球は、例えば図２に示す第１始動口スイッチ２２Ａによって検出される。普通可変入賞球装置６Ｂに形成された第２始動入賞口を通過（進入）した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）未満であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）未満であれば、第２始動条件が成立する。尚、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００３１】
普通可変入賞球装置６Ｂの右方には、特別可変入賞球装置７が設けられている。特別可変入賞球装置７は、図２に示す大入賞口扉用となるソレノイド８２によって開閉駆動される大入賞口扉（図示略）を備え、その大入賞口扉（図示略）によって開放状態と閉鎖状態とに変化する特定領域としての大入賞口（図示略）を形成する。
【００３２】
一例として、特別可変入賞球装置７では、大入賞口扉用のソレノイド８２がオフ状態であるときに大入賞口扉（図示略）が大入賞口（図示略）を閉鎖状態として、遊技球が大入賞口（図示略）を通過（進入）できなくする。その一方で、特別可変入賞球装置７では、大入賞口扉用のソレノイド８２がオン状態であるときに大入賞口扉（図示略）が大入賞口（図示略）を開放状態として、遊技球が大入賞口（図示略）を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。尚、遊技球が大入賞口（図示略）を通過（進入）できない閉鎖状態に代えて、あるいは閉鎖状態の他に、遊技球が大入賞口（図示略）を通過（進入）しにくい一部開放状態を設けてもよい。
【００３３】
大入賞口（図示略）を通過（進入）した遊技球は、例えば図２に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口（図示略）を遊技球が通過（進入）したときには、例えば第１始動入賞口や第２始動入賞口といった、他の入賞口を遊技球が通過（進入）したときよりも多くの賞球が払い出される。従って、特別可変入賞球装置７において大入賞口が開放状態となれば、その大入賞口（図示略）に遊技球が進入可能となり、遊技者にとって有利な第１状態となる。その一方で、特別可変入賞球装置７において大入賞口（図示略）が閉鎖状態となれば、大入賞口（図示略）に遊技球を通過（進入）させて賞球を得ることが不可能または困難になり、遊技者にとって不利な第２状態となる。
【００３４】
第２保留表示器２５Ｂの右側には、普通図柄表示器２０が設けられている。一例として、普通図柄表示器２０は、第１特別図柄表示器４Ａや第２特別図柄表示器４Ｂと同様に７セグメントやドットマトリクスのＬＥＤ等から構成され、特別図柄とは異なる複数種類の識別情報である普通図柄（「普図」あるいは「普通図」ともいう）を変動可能に表示（変動表示）する。このような普通図柄の変動表示は、普図ゲーム（「普通図ゲーム」ともいう）と称される。
【００３５】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３６】
遊技盤２の前面（遊技盤面）には、上記の構成以外にも、遊技球の流下方向や速度を変化させる風車及び多数の障害釘（図示略）が設けられている。また、第１始動入賞口、第２始動入賞口及び大入賞口とは異なる入賞口として、例えば所定の球受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域１０の最下方には、いずれの入賞口にも進入しなかった遊技球が取り込まれるアウト口が設けられている。
【００３７】
開閉扉枠５０の上部位置には、前方に突出する上突出部２１０Ａが設けられているとともに、該上突出部２１０Ａの両側に隣接して、効果音等を再生出力するためのスピーカ８Ｌ，８Ｒが設けられている。さらに遊技領域１０の周辺部には、演出用ＬＥＤ９が設けられている。尚、本実施例では、遊技領域１０内のスクリーンユニット３００の周辺部にも演出用ＬＥＤ９が設けられている。パチンコ遊技機１の遊技領域１０における各構造物（例えば、普通入賞球装置６Ａ、普通可変入賞球装置６Ｂ、特別可変入賞球装置７等）の周囲にも、演出用ＬＥＤが配置されていてもよい。開閉扉枠５０の右下部位置には、遊技球を遊技領域１０に向けて発射するために遊技者等によって操作される打球操作ハンドル（操作ノブ）５２が設けられている。例えば、打球操作ハンドル５２は、遊技者等による操作量（回転量）に応じて遊技球の弾発力を調整する。打球操作ハンドル５２には、発射装置（図示略）が備える発射モータの駆動を停止させるための単発発射スイッチや、タッチリング（タッチセンサ）が設けられていればよい。
【００３８】
遊技領域１０の下方における開閉扉枠５０の所定位置には、賞球や貸玉として払い出された遊技球を、発射装置（図示略）へと供給可能に保持（貯留）する打球供給皿が設けられている。
【００３９】
開閉扉枠５０の前面下部には、遊技者が把持して傾倒操作が可能なスティックコントローラ３１Ａが取付けられている。スティックコントローラ３１Ａは、遊技者が把持する操作桿を含む。スティックコントローラ３１Ａの下部には、操作桿に対する傾倒操作を検出するコントローラセンサユニット３５Ａが設けられている。
【００４０】
スティックコントローラ３１Ａの上方には、遊技者が押下動作などにより所定の指示操作を可能なプッシュボタン３１Ｂが設けられている。プッシュボタン３１Ｂは、遊技者からの押下動作を、機械的、電気的、あるいは、電磁的に、検出できるように構成されていればよい。プッシュボタン３１Ｂの設置位置における打球供給皿の本体内部などには、プッシュボタン３１Ｂに対してなされた遊技者による押下動作を検出するプッシュセンサ３５Ｂが設けられていればよい。
【００４１】
また、外枠２００の下部には、幕板２１４（図３参照）が設けられており、該幕板２１４の内部には、低音出力用のスピーカ８Ｕが内蔵されている。
【００４２】
図３は、パチンコ遊技機１を示す背面図である。図４は、開閉扉枠５０を開放して遊技盤２を遊技機用枠３に取付ける状態を示す斜視図である。図５は、パチンコ遊技機１の内部構造を示す概略縦断面図である。図６は、（Ａ）は第２スクリーン３０２が第２退避位置、第３スクリーン３０３が第３退避位置、（Ｂ）は第２スクリーン３０２が第２投影位置、第３スクリーン３０３が第３退避位置にある状態を示すスクリーンユニット３００の斜視図である。図７（Ａ）と図７（Ｂ）は、投影装置４００とスクリーンユニット３００との位置関係を示す概略縦断面図である。図８は、（Ａ）は第２スクリーン３０２が第２投影位置、（Ｂ）は第３スクリーン３０３が第３投影位置、（Ｃ）は第２スクリーン３０２が第２退避位置、第３スクリーン３０３が第３退避位置にあるときの投影光及び投影画像を示す説明図である。
【００４３】
図３に示すように、パチンコ遊技機１の背面側、つまり、遊技機用枠３の背面上部には、遊技場に設置される遊技島（図示略）から供給される遊技球を受ける球タンク１５０が設けられている。球タンク１５０に供給された遊技球は、補給通路１５１を流下して左側の払出装置１５２に供給される。払出装置１５２から払い出された遊技球は、賞球通路１５３を流下してパチンコ遊技機１の前面に設けられた打球供給皿に誘導される。また、遊技機用枠３の背面における補給通路１５１の上方には、各種情報をパチンコ遊技機１の外部に出力するための各端子を備えたターミナル基板１５４が設置されている。
【００４４】
外枠２００は、四角枠状に形成されており、該外枠２００の下部には、幕板２１４が設けられている。外枠２００には、遊技機用枠３が左側辺を中心として外枠２００を閉鎖する閉鎖位置と外枠２００を開放する開放位置との間で回動可能に支持されており（図４参照）、遊技機用枠３が閉鎖位置にあるときに、遊技機用枠３と幕板２１４とにより開口が閉鎖されるようになっている。
【００４５】
図４に示すように、遊技機用枠３には、遊技機用枠３とほぼ同形に形成された枠体５０ｃと、第１透明板５０ａ及び第２透明板５０ｂとを有する開閉扉枠５０が左側辺を中心として回動可能に設けられ、遊技領域１０を含む遊技機用枠３の前面を開閉できるようになっている。開閉扉枠５０を閉鎖したときには、第１透明板５０ａ及び第２透明板５０ｂを透して遊技領域１０を透視できるようになっている。また、開閉扉枠５０は、遊技機用枠３の前面全域を被覆可能な大きさに形成されている。
【００４６】
また、遊技機用枠３には、正面視四角形状の開口部１６０が形成されており、開口部１６０を閉鎖するように遊技盤２が前方から着脱可能に取付けられる。遊技盤２は、該遊技盤２の前後面に設けられる各種部材や電子部品等を含む構造体である。また、遊技盤２の背面には、演出表示装置５、スクリーンユニット３００及び役物装置３１０Ａ，３１０Ｂ等が組付けられたカバー体２２０が取付けられ一体化されている。カバー体２２０は、外部からの光の入射を遮ることができるように黒色で不透明な合成樹脂材により前面が開口する略箱状に形成され、遊技盤２の背面略全域を覆うように該遊技盤２の背面に取付けられる。このように、カバー体２２０が一体に取付けられた遊技盤２が遊技機用枠３に取付けられると、カバー体２２０が開口部１６０を介して遊技機用枠３の背面側に突出するようになっている（図５参照）。
【００４７】
パチンコ遊技機１の後方に向けて膨出するカバー体２２０の外周面下部に形成された傾斜面２２０ａには主基板１１が収納された遊技制御基板ケース１１Ａが設けられている。また、遊技機用枠３の背面におけるカバー体２２０の下方には、遊技球の払い出しに関わる制御を行う払出制御基板９１が収納された払出制御基板ケース９１Ａと、パチンコ遊技機１に電力を供給するための電源基板９２が収納された電源基板ケース９２Ａと、が前後に重畳するように設けられている。このようにすることで、カバー体２２０の背面には、基板が配置されないので、カバー体２２０の奥行き方向の突出寸法を大きくとることにより、スクリーンユニット３００と投影装置４００との離間距離を大きくできるようにしている。
【００４８】
図４〜図６に示すように、開閉扉枠５０の前面には、第２透明板５０ｂの上方の上突出部２１０Ａと、第２透明板５０ｂの左右の側方突出部２１０Ｂと、第２透明板５０ｂの下方の下突出部２１０Ｃと、からなるカバー部材が、それぞれ第２透明板５０ｂに対し前方に突出するように設けられている。
【００４９】
上突出部２１０Ａは、開閉扉枠５０の上辺に沿って庇状に形成され、左右方向の中央位置には投影装置４００を収容可能な収容部２１１が設けられている。また、収容部２１１の左右にはスピーカ８Ｌ，８Ｒが収容されている。上突出部２１０Ａにおける収容部２１１に対応する部分は、その左右側よりもやや前方に突出している。側方突出部２１０Ｂは、開閉扉枠５０の左側辺及び右側辺それぞれに沿って上下方向に延設され、正面視細長帯状に形成されている。下突出部２１０Ｃは、開閉扉枠５０の下辺に沿って形成され、打球供給皿、スティックコントローラ３１Ａ、プッシュボタン３１Ｂ及び打球操作ハンドル５２等が設けられている。尚、上突出部２１０Ａにおける収容部２１１に対応する部分は、側方突出部２１０Ｂよりも前方に大きく突出している。
【００５０】
上記したように、側方突出部２１０Ｂにスピーカ８Ｌ，８Ｒを配置することで、遊技者とスピーカ８Ｌ，８Ｒの距離を短縮することができるため、他のパチンコ遊技機１から出力される音の影響を受けにくくなり、効果音の効果を高めることができる。
【００５１】
尚、スピーカ８Ｌ，８Ｒは、弾性部材である防振ゴム（図示略）を介して収容部２１１に固定されており、スピーカ８Ｌ，８Ｒの振動が投影装置４００に伝搬して、投影画像が不鮮明となってしまうことを防ぐことができるようにしている。
【００５２】
図１に示すように、上突出部２１０Ａは、細長帯状の側方突出部２１０Ｂを介して下突出部２１０Ｃと一体に形成されている。よって、スティックコントローラ３１Ａ、プッシュボタン３１Ｂ及び打球操作ハンドル５２等が操作されることにより下突出部２１０Ｃに振動が生じた場合、側方突出部２１０Ｂを介して上突出部２１０Ａに振動が伝達されるが、側方突出部２１０Ｂは、上突出部２１０Ａや下突出部２１０Ｃに比べて表面積が小さく、かつ、突出長さも小さいことで、振動が上突出部２１０Ａに伝達されにくくなる。よって、スティックコントローラ３１Ａ、プッシュボタン３１Ｂ及び打球操作ハンドル５２等の操作により生じる振動で投影装置４００から投影された画像が揺れることが抑制される。
【００５３】
第１透明板５０ａ及び第２透明板５０ｂは、枠体５０ｃの開口を閉鎖するように設けられている。本実施例では、第１透明板５０ａは透明なガラス板にて構成され、第２透明板５０ｂは、前方側からの光の入射を防ぐために、半透明のアクリル樹脂板（いわゆるスモークアクリル板）にて構成されており、第１透明板５０ａ及び第２透明板５０ｂは、前方、つまり、遊技者側から見て第２透明板５０ｂ、第１透明板５０ａの順に配置されている。
【００５４】
また、第１透明板５０ａは第２透明板５０ｂよりも薄い板厚寸法を有する平板（ガラス板）にて形成されている。
【００５５】
このように、本実施例では、第２透明板５０ｂが存在することにより、第１透明板５０ａは、遊技者によって殴打されること等が無いとともに、投影装置４００から投影される画像の光（投影光）は、第１透明板５０ａを透過しなければならないため、できるだけ第１透明板５０ａによる屈折や光の吸収等を抑えることが好ましいので、第１透明板５０ａの板厚を、遊技球の衝突等によって破損しない強度を有する最小限の厚みとなるようにしている。
【００５６】
また、第２透明板５０ｂとしてアクリル樹脂板を用いることにより、第２透明板５０ｂが破損しても破片が飛散してしまうことを防ぐことができるようにしているが、本発明はこれに限定されるものではなく、第２透明板５０ｂとして第１透明板５０ａと同じくスモークフィルムを貼着したガラス板等を用いても良い。また、逆に、第１透明板５０ａと第２透明板５０ｂの双方をアクリル樹脂板としても良い。
【００５７】
尚、本実施例の第１透明板５０ａ（ガラス板）の表面には、光の反射を抑えるために、蒸着によって銀の薄膜が形成されている。
【００５８】
このように、第１透明板５０ａにのみ銀の薄膜を表面に形成しているのは、本実施例では、投影装置４００から投影される画像の光（投影光）は、第２透明板５０ｂは透過しないが、第１透明板５０ａを透過しなければならないとともに、第１透明板５０ａに対して斜め上方から投影光が入射されるので、投影光が第１透明板５０ａにて反射され易いことから、これら投影光が第１透明板５０ａにて反射されることを、銀の薄膜を表面に形成することによって防ぐようにしている。
【００５９】
尚、本実施例では、反射防止膜として銀薄膜を用いた形態を例示したが、本発明はこれに限定されるものではなく、これら銀薄膜以外の反射防止膜を使用しても良い。
【００６０】
また、本実施例では、第１透明板５０ａと第２透明板５０ｂとに平板を用いた形態を例示しているが、本発明はこれに限定されるものではなく、湾曲する湾曲板や、屈曲板等にて構成されていてもよい。
【００６１】
また、本実施例では、上記したように、第１透明板５０ａを透明なガラス板にて構成し、第２透明板５０ｂを半透明のアクリル樹脂板にて構成した形態を例示したが、第１透明板５０ａと第２透明板５０ｂの少なくとも一方を、ガラス板またはアクリル樹脂板以外の透明素材、例えば、ポリカーボネート樹脂等にて構成されていてもよい。このように、第１透明板５０ａと第２透明板５０ｂとは、異なる素材にて構成されていてもよいし、同一の素材にて構成されていてもよい。
【００６２】
第１透明板５０ａは、略鉛直方向に沿って立設されており、開閉扉枠５０が閉鎖位置にあるときに、遊技盤２に対し前方に離れた位置において略平行をなし、該遊技盤２との間に遊技球が流下可能な遊技領域１０が形成されるようになっている。
【００６３】
第２透明板５０ｂは、第１透明板５０ａに対し前方に離れた位置において傾斜するように設けられる。詳しくは、第１透明板５０ａと第２透明板５０ｂとの上端部間の前後寸法Ｄ１が、第１透明板５０ａと第２透明板５０ｂとの下端部間の前後寸法Ｄ２よりも長寸となるように設けられている（Ｄ１＞Ｄ２）。つまり、第２透明板５０ｂは、下方から上方にかけて漸次、第１透明板５０ａとの距離が増大するように傾斜して設けられている。
【００６４】
また、第１透明板５０ａと第２透明板５０ｂとの間に形成される空間の側周面は閉鎖枠２１２により覆われており、第１透明板５０ａと第２透明板５０ｂとの間に手指を挿入できないようになっている。また、閉鎖枠２１２における収容部２１１に対応する部分（上部）には投影口２１３が形成されており、該投影口２１３に投影部４０１（レンズ）が臨むように投影装置４００が設けられている。
【００６５】
投影装置４００は、投影部４０１を後斜め下向きにした状態で収容部２１１内に収容される。また、投影部４０１には、該投影部４０１からの投影光の拡散を防止する（投影範囲を決定する）ための拡散防止筒４０２が投影部４０１を囲むように設けられている。
【００６６】
このように投影装置４００は、第１透明板５０ａと第２透明板５０ｂと閉鎖枠２１２とにより囲まれた空間と収容部２１１とを連通する投影口２１３に投影部４０１及び拡散防止筒４０２が臨むように収容部２１１に設けられることで、収容部２１１の後方に配設されるスクリーンユニット３００に第１透明板５０ａを通して画像を投影可能となっている。詳しくは、投影部４０１から投影された投影光は、第１透明板５０ａの前方から該第１透明板５０ａを斜めに透過し、遊技盤２の開口２ｃを通過してスクリーンユニット３００に到達するようになっている。つまり、投影装置４００は、投影部４０１から投影される光が第２透明板５０ｂを通過せずに第１透明板５０ａを通過する位置に設けられている。
【００６７】
また、投影部４０１及び拡散防止筒４０２は、第１透明板５０ａと第２透明板５０ｂと閉鎖枠２１２とにより囲まれた空間内に投影口２１３を介して臨むように設けられていることで、投影部４０１及び拡散防止筒４０２の前方が第２透明板５０ｂにより被覆されるため、第１透明板５０ａと第２透明板５０ｂと閉鎖枠２１２とにより囲まれた空間内に手指や異物を進入させることができないので、投影部４０１から投影された投影光が手指で遮られたり、投影部４０１（レンズなど）や第１透明板５０ａに触られて指紋がついたりすること等を回避できる。
【００６８】
図３〜図５に示すように、開閉扉枠５０の背面下部には、演出制御基板１２が収納された演出制御基板ケース１２Ａが取付けられている。演出制御基板１２には、配線２３０の一端が接続されている。この配線２３０は、遊技機用枠３の下部に形成された挿通口２１５を介して遊技機用枠３の背面側に延設され、該配線２３０の他端は、主基板１１やスクリーン用モータ３０４Ａ，３０４Ｂ等を含む各種基板及び演出用電子部品にそれぞれ接続されている。尚、本実施例では、演出制御基板１２を開閉扉枠５０の背面下部に設けた形態を例示したが、本発明はこれに限定されるものではなく、カバー体２２０の背面以外であれば、その他の部分に演出制御基板１２を配置するようにしても良い。
【００６９】
図６及び図７に示すように、スクリーンユニット３００は、前方及び上方に向けて開口する略箱状に形成された第１スクリーン３０１と、第２スクリーン３０２及び第３スクリーン３０３と、第２スクリーン３０２及び第３スクリーン３０３をそれぞれ個別に移動させるためのスクリーン用モータ３０４Ａ，３０４Ｂと、スクリーン用モータ３０４Ａ，３０４Ｂの駆動力を第２スクリーン３０２、第３スクリーン３０３に伝達するための機構ユニット３０５とを有し、カバー体２２０に固設されている。
【００７０】
第１スクリーン３０１は、左側板３０１Ａ、右側板３０１Ｂ、下板３０１Ｃ、背板３０１Ｄにより前方及び上方に向けて開口する略箱状、つまり、立体状に形成されている。左側板３０１Ａと右側板３０１Ｂとは、前方に向けて漸次離間寸法が大きくなるように平面視略ハの字状に配設されていることで、前方から視認できるようになっている。下板３０１Ｃは、前方に向けて下方に傾斜するように配設されていることで、前方から視認できるようになっている。背板３０１Ｄは、略鉛直方向に向けて遊技盤２と略平行をなすように配設されている。
【００７１】
第２スクリーン３０２は、正面視略台形状に形成された平板にて構成されたベース板３０２Ａと、該ベース板３０２Ａの左側辺、右側辺及び下辺に沿って各辺を覆うように取付けられた弾性材（例えば、ゴム材など）からなる緩衝部材３０２Ｂと、から構成されている。また、ベース板３０２Ａの上辺は、左右の機構ユニット３０５の内部に設けられた回動軸（図示略）に軸支された左右一対のアーム間に架設された連結杆３０５Ａに取付けられている。よって、第２スクリーン３０２は、スクリーン用モータ３０４Ａの駆動により、第１スクリーン３０１の前部に嵌合する第２投影位置（図６（Ｂ）において実線で示す位置）と、第１スクリーン３０１の上方に退避する第２退避位置（図６（Ｂ）において２点鎖線で示す位置）と、の間で左右方向を向く回動軸心を中心として回動可能とされている。
【００７２】
また、第２スクリーン３０２は、第２投影位置において、該第２スクリーン３０２の左側辺、右側辺及び下辺を構成する緩衝部材３０２Ｂが、第１スクリーン３０１の左側板３０１Ａ、右側板３０１Ｂ及び下板３０１Ｃそれぞれの前部に近接し、上方に向けて背面側に傾倒するように配置される（図６（Ｃ）参照、緩衝部材３０２Ｂと左側板３０１Ａ、右側板３０１Ｂとの近接の図示は省略する）。つまり、第２スクリーン３０２は、第２投影位置において、第１スクリーン３０１の前部に嵌合するようになっており、嵌合した状態において第１スクリーン３０１に近接する部分に緩衝部材３０２Ｂが設けられている。よって、第１スクリーン３０１と第２スクリーン３０２との間隙が、緩衝部材３０２Ｂによってふさがれるようになるので、第１スクリーン３０１において第２スクリーン３０２より後方にある部分が間隙から視認されてしまうことを防ぐことができる。
【００７３】
尚、本実施例では、第２スクリーン３０２は、第２投影位置にて第１スクリーン３０１の前部に嵌合した状態において、緩衝部材３０２Ｂが第１スクリーン３０１の左側板３０１Ａ、右側板３０１Ｂ及び下板３０１Ｃそれぞれの前部に近接するようになっていたが、緩衝部材３０２Ｂが第１スクリーン３０１の左側板３０１Ａ、右側板３０１Ｂ及び下板３０１Ｃそれぞれの前部に当接するようにしてもよい。
【００７４】
また、緩衝部材３０２Ｂが弾性材にて形成されていることで、第１スクリーン３０１と第２スクリーン３０２とが嵌合して当接するときに、衝突の衝撃によって第１スクリーン３０１や第２スクリーン３０２が大きく変形してしまうことを防ぐことができるとともに、嵌合して当接するときに第１スクリーン３０１や第２スクリーン３０２が疵ついてしまうことも防ぐことができる。
【００７５】
尚、本実施例では、緩衝部材３０２Ｂが弾性材にて形成されていたが、緩衝部材３０２Ｂがアルミ材やステンレス材等の金属部材にて形成されていても良く、このようにすることで、第１スクリーン３０１と第２スクリーン３０２とが嵌合するときに、衝突によって第１スクリーン３０１や第２スクリーン３０２が大きく変形してしまうことを防ぐことができる。
【００７６】
また、第２スクリーン３０２は、第２投影位置へ移動して第１スクリーン３０１に嵌合して該第１スクリーン３０１に近接する部分における角部を、切欠状またはカーブ状（アール形状）としても良く、このようにすることで、第１スクリーン３０１と第２スクリーン３０２とが嵌合して当接するときに、第２スクリーン３０２において第１スクリーン３０１と当接する部分における角部が破損してしまうことを防ぐことができる。
【００７７】
第３スクリーン３０３は、正面視略長方形状をなし、上下方向の略中央位置が前側に湾曲する湾曲板とされている。また、第３スクリーン３０３の左右側には、機構ユニット３０５の内部に設けられた回動軸（図示略）に軸支されたアームが取付けられている。よって、第３スクリーン３０３は、スクリーン用モータ３０４Ｂの駆動により、第１スクリーン３０１の前方を覆うように配置される第３投影位置（図８（Ｂ）において実線で示す位置）と、第１スクリーン３０１の背面側に退避する第３退避位置（図８（Ａ）（Ｃ）において実線で示す位置）と、の間で左右方向を向く回動軸心を中心として回動可能とされている。尚、第３スクリーン３０３が第３投影位置に配置されたときに第１スクリーン３０１に嵌合するようにしてもよく、このようにする場合、第１スクリーン３０１と第３スクリーン３０３とが近接する部分に緩衝部材３０２Ｂを設けることが好ましい。
【００７８】
このように、第１スクリーン３０１はカバー体２２０に固設されており、第２スクリーン３０２及び第３スクリーン３０３は第１スクリーン３０１に対し回動可能に設けられている。尚、本実施例では、第２スクリーン３０２と第３スクリーン３０３とは、第２投影位置及び第３投影位置それぞれに一緒に配置されることはなく、交互に配置されるようになっているが、双方が一緒に第２投影位置及び第３投影位置に配置される構成にしてもよい。
【００７９】
つまり、投影装置４００によって画像が投影される被投影部としてのスクリーンユニット３００は、第２スクリーン３０２と第３スクリーン３０３とが第２投影位置と第３投影位置とに選択的に配置可能に設けられていることで、形状を変化可能である。具体的には、第２スクリーン３０２が第２投影位置に配置されて被投影部となる第１形状と、第３スクリーン３０３が第３投影位置に配置されて被投影部となる第２形状と、第２スクリーン３０２と第３スクリーン３０３とが第２投影位置と第３投影位置に退避し、第１スクリーン３０１が被投影部となる第３形状と、に変化可能である。
【００８０】
図７において１点鎖線で示すように、投影装置４００は、投影部４０１から投影された投影光が投影装置４００の後斜め下方に配設された第１スクリーン３０１に到達するように設けられている。具体的には、投影部４０１から投影された投影光の投影範囲は、上限が背板３０１Ｄの上端よりやや上方、下限が下板３０１Ｃの前端よりやや下方、左限が左側板３０１Ａの前端、右限が右側板３０１Ｂの前端となる範囲とされている。
【００８１】
また、投影装置４００は、投影部４０１から投影された投影光が、遊技盤２の前面である遊技盤面や、開口２ｃに嵌合され、遊技盤面側から遊技領域１０に向けて突設されたステージ飾り枠５１や、演出表示装置５などにより遮られることがないように設けられている。
【００８２】
このように構成された投影装置４００とスクリーンユニット３００にあっては、図８（Ａ）に示すように、第２スクリーン３０２が第２投影位置にあるときは、第２スクリーン３０２の前面に、投影装置４００から投影された画像（例えば、演出図柄の変動表示など）が表示される。
【００８３】
また、図８（Ｂ）に示すように、第３スクリーン３０３が第３投影位置にあるときは、第３スクリーン３０３の前面に、投影装置４００から投影された画像（例えば、演出画像など）が表示される。尚、画像は、第３スクリーン３０３の湾曲面に応じた画像が投影される場合がある。
【００８４】
また、図８（Ｃ）に示すように、第２スクリーン３０２が第２退避位置、第３スクリーン３０３が第３退避位置にあるときは、第１スクリーン３０１の前面に、投影装置４００から投影された画像（例えば、演出画像など）が表示される。尚、画像は、それぞれ異なる方向を向く左側板３０１Ａ，右側板３０１Ｂ，下板３０１Ｃ，背板３０１Ｄに応じた画像が投影される場合がある。
【００８５】
投影装置４００の投影部４０１から被投影部としての第１スクリーン３０１、第２スクリーン３０２及び第３スクリーン３０３までの距離はそれぞれ異なっている。詳しくは、図８（Ａ）に示すように、投影部４０１から第２投影位置に配置された第２スクリーン３０２の前後左右方向の略中央位置までの距離Ｌ１と、図８（Ｂ）に示すように、投影部４０１から第３投影位置に配置された第３スクリーン３０３の前後左右方向の略中央位置までの距離Ｌ２と、図８（Ｃ）に示すように、投影部４０１から第１スクリーン３０１において最も後方に配置された背板３０１Ｄの前後左右方向の略中央位置までの距離Ｌ３と、はそれぞれ異なっている。
【００８６】
また、各距離Ｌ１，Ｌ２，Ｌ３の関係は、Ｌ３＞Ｌ１＞Ｌ２とされている。つまり、投影部４０１から第３投影位置にある第３スクリーン３０３までの距離Ｌ２が最も短く、投影部４０１から第１スクリーン３０１の背板３０１Ｄまでの距離Ｌ３が最も長くなっており、投影部４０１から第２投影位置にある第２スクリーン３０２までの距離Ｌ１は、距離Ｌ２と距離Ｌ３との間の長さとなっている（Ｌ３＞Ｌ１＞Ｌ２）。すなわち、投影装置４００によって画像が表示される被投影部は、投影部４０１との距離が最も長い遠領域としての背板３０１Ｄと、投影部４０１との距離が最も短い近領域としての第３投影位置にある第３スクリーン３０３と、背板３０１Ｄと第３スクリーン３０３との間の中間領域としての第２投影位置にある第２スクリーン３０２と、を含む。
【００８７】
このように、第１スクリーン３０１の背板３０１Ｄに画像を投影する場合と、第２スクリーン３０２に画像を投影する場合と、第３スクリーン３０３に画像を投影する場合と、で投影部４０１からの距離が異なるため、例えば、投影部４０１の焦点を該投影部４０１に最も近い第３スクリーン３０３に合わせると、最も後方にある背板３０１Ｄに投影する際における焦点のずれが大きくなる。また、投影部４０１の焦点を該投影部４０１から最も遠い背板３０１Ｄに合わせると、最も前方にある第３スクリーン３０３に投影する際の焦点のずれが大きくなり、画像が見づらくなってしまう。
【００８８】
よって、本実施例では、背板３０１Ｄと第３スクリーン３０３との間の第２投影位置に配置される第２スクリーン３０２に予め焦点Ｆを合わせて調整していることで、第１スクリーン３０１の背板３０１Ｄに画像を投影する場合、第２スクリーン３０２に画像を投影する場合及び第３スクリーン３０３に画像を投影する場合における焦点のずれを小さく抑えることができるので、各スクリーンに投影される画像が見づらくなることを防ぐことができる。
【００８９】
尚、本実施例では、第２投影位置は、後方の背板３０１Ｄと前方の第３スクリーン３０３との中間位置よりやや前方位置であるが、前述したように第２スクリーン３０２が第２投影位置に配置される状態がスクリーンユニット３００の駆動初期状態とされ、演出図柄の変動表示画像等を投影する時間が長いため、図８（Ａ）に示すように、焦点Ｆを第２投影位置に配置される第２スクリーン３０２に合わせているが、背板３０１Ｄと第３スクリーン３０３との間の中間領域に合わせれば良く、背板３０１Ｄと第３スクリーン３０３との中間位置あるいは該中間位置よりやや後方位置等に合わせてもよい。
【００９０】
次に、パチンコ遊技機１の回路構成について説明する。パチンコ遊技機１には、例えば図２に示すような主基板１１、演出制御基板１２、音声制御基板１３、ＬＥＤ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、発射制御基板、インタフェース基板、前述したターミナル基板１５４などといった、各種の基板が配置されている。
【００９１】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。
【００９２】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１，８２に伝送するソレノイド回路１１１などが搭載されている。
【００９３】
演出制御基板１２は、主基板１１とは独立したサブ側の制御基板であり、中継基板１５を介して主基板１１から伝送された制御信号を受信して、投影装置４００、演出表示装置５、スピーカ８Ｌ，８Ｒ，８Ｕ、演出用ＬＥＤ９、スクリーンユニット３００、役物装置３１０Ａ，３１０Ｂといった演出用の電気部品による演出動作を制御するための各種回路が搭載されている。すなわち、投影装置４００における表示投影動作や、演出表示装置５における表示動作や、スピーカ８Ｌ，８Ｒ，８Ｕからの音声出力動作の全部または一部、演出用ＬＥＤ９などにおける点灯／消灯動作の全部または一部、スクリーンユニット３００の動作制御全部または一部、役物装置３１０Ａ，３１０Ｂの動作制御の全部または一部といった、演出用の電気部品に所定の演出動作を実行させるための制御内容を決定する機能を備えている。
【００９４】
音声制御基板１３は、演出制御基板１２とは別個に設けられた音声出力制御用の制御基板であり、演出制御基板１２からの指令や制御データなどに基づき、スピーカ８Ｌ，８Ｒ，８Ｕから音声を出力させるための音声信号処理を実行する処理回路などが搭載されている。ＬＥＤ制御基板１４は、演出制御基板１２とは別個に設けられたＬＥＤ出力制御用の制御基板であり、演出制御基板１２からの指令や制御データなどに基づき、演出用ＬＥＤ９などにおける点灯／消灯駆動を行うＬＥＤドライバ回路などが搭載されている。
【００９５】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。尚、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００９６】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば、投影装置４００における投影動作や演出表示装置５における画像表示動作を制御するために用いられる表示制御コマンドや、スピーカ８Ｌ，８Ｒ，８Ｕからの音声出力を制御するために用いられる音声制御コマンド、演出用ＬＥＤ９の点灯動作などを制御するために用いられるＬＥＤ制御コマンドが含まれている。
【００９７】
図９（Ａ）は、本実施例で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。尚、図９（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００９８】
図９（Ａ）に示す例において、コマンド８００１Ｈは、第１特別図柄表示器４Ａにおける第１特図を用いた特図ゲームにおける変動開始を指定する第１変動開始コマンドである。コマンド８００２Ｈは、第２特別図柄表示器４Ｂにおける第２特図を用いた特図ゲームにおける変動開始を指定する第２変動開始コマンドである。コマンド８１ＸＸＨは、特図ゲームにおける特別図柄の変動表示に対応して、変動表示される演出図柄などの変動パターン（変動時間）を指定する変動パターン指定コマンドである。ここで、ＸＸＨは不特定の１６進数であることを示し、演出制御コマンドによる指示内容に応じて任意に設定される値であればよい。尚、変動パターン指定コマンドでは、指定する変動パターンなどに応じて、異なるＥＸＴデータが設定される。
【００９９】
コマンド８ＣＸＸＨは、変動表示結果通知コマンドであり、特別図柄や演出図柄などの変動表示結果を指定する演出制御コマンドである。変動表示結果通知コマンドでは、例えば図９（Ｂ）に示すように、変動表示結果が「はずれ」であるか「大当り」であるかの決定結果（事前決定結果）や、変動表示結果が「大当り」となる場合の大当り種別を複数種類のいずれとするかの決定結果（大当り種別決定結果）に応じて、異なるＥＸＴデータが設定される。
【０１００】
変動表示結果通知コマンドでは、例えば図９（Ｂ）に示すように、コマンド８Ｃ００Ｈは、変動表示結果が「はずれ」となる旨の事前決定結果を示す第１変動表示結果指定コマンドである。コマンド８Ｃ０１Ｈは、変動表示結果が「大当り」で大当り種別が「確変大当りＡ」となる旨の事前決定結果及び大当り種別決定結果を通知する第２変動表示結果指定コマンドである。コマンド８Ｃ０２Ｈは、変動表示結果が「大当り」で大当り種別が「確変大当りＢ」となる旨の事前決定結果及び大当り種別決定結果を通知する第３変動表示結果指定コマンドである。コマンド８Ｃ０３Ｈは、変動表示結果が「大当り」で大当り種別が「非確変大当り」となる旨の事前決定結果及び大当り種別決定結果を通知する第４変動表示結果指定コマンドである。
【０１０１】
コマンド８Ｆ００Ｈは、演出図柄の変動停止（確定）を指定する図柄確定コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態に応じて、異なるＥＸＴデータが設定される。具体的な一例として、コマンド９５００Ｈを時短制御と確変制御がいずれも行われない遊技状態（低確低ベース状態；通常状態）に対応した第１遊技状態指定コマンドとし、コマンド９５０１Ｈを時短制御が行われる一方で確変制御は行われない遊技状態（低確高ベース状態；時短状態）に対応した第２遊技状態指定コマンドとする。また、コマンド９５０２Ｈを確変制御が行われる一方で時短制御は行われない遊技状態（高確低ベース状態；時短なし確変状態）に対応した第３遊技状態指定コマンドとし、コマンド９５０３Ｈを時短制御と確変制御がともに行われる遊技状態（高確高ベース状態；時短付確変状態）に対応した第４遊技状態指定コマンドとする。
【０１０２】
コマンド９Ｆ００（Ｈ）は、デモンストレーション画面（デモ画面）の表示が可能であることを通知する演出制御コマンド（デモ表示可能コマンド）である。尚、本実施例におけるデモ表示可能コマンドは、デモ画面の表示、つまりデモ演出の実行を許可するコマンドであって、該デモ表示可能コマンドを受信した演出制御基板１２は、受信直後にデモ画面を表示（デモ演出を開始）するのではなく、デモ演出の開始条件である所定時間に亘って変動表示が無かったことが成立した場合に、デモ演出を開始（デモ画面を表示）するようにしている。尚、主基板１１からデモ表示可能コマンドを送信しない態様であっても良く、演出制御基板１２において、所定期間変動表示が無く、遊技者による操作も無かった場合に、デモ演出を開始（デモ画面を表示）する旨の判定を行うようにしても良い。
【０１０３】
コマンドＡ０ＸＸＨは、大当り遊技状態の開始を示す演出画像の表示を指定する大当り開始指定コマンド（「ファンファーレコマンド」ともいう）である。コマンドＡ１ＸＸＨは、大当り遊技状態において、大入賞口が開放状態となっている期間であることを通知する大入賞口開放中通知コマンドである。コマンドＡ２ＸＸＨは、大当り遊技状態において、大入賞口が開放状態から閉鎖状態に変化した期間であることを通知する大入賞口開放後通知コマンドである。コマンドＡ３ＸＸＨは、大当り遊技状態の終了時における演出画像の表示を指定する大当り終了指定コマンドである。
【０１０４】
大当り開始指定コマンドや大当り終了指定コマンドでは、例えば変動表示結果通知コマンドと同様のＥＸＴデータが設定されることなどにより、事前決定結果や大当り種別決定結果に応じて異なるＥＸＴデータが設定されてもよい。あるいは、大当り開始指定コマンドや大当り終了指定コマンドでは、事前決定結果及び大当り種別決定結果と設定されるＥＸＴデータとの対応関係を、変動表示結果通知コマンドにおける対応関係とは異ならせるようにしてもよい。大入賞口開放中通知コマンドや大入賞口開放後通知コマンドでは、例えば通常開放大当り状態や短期開放大当り状態におけるラウンドの実行回数（例えば「１」〜「１６」）に対応して、異なるＥＸＴデータが設定される。
【０１０５】
コマンドＢ１００Ｈは、普通入賞球装置６Ａが形成する第１始動入賞口を通過（進入）した遊技球が第１始動口スイッチ２２Ａにより検出されて始動入賞（第１始動入賞）が発生したことに基づき、第１特別図柄表示器４Ａにおける第１特図を用いた特図ゲームを実行するための第１始動条件が成立したことを通知する第１始動口入賞指定コマンドである。コマンドＢ２００Ｈは、普通可変入賞球装置６Ｂが形成する第２始動入賞口を通過（進入）した遊技球が第２始動口スイッチ２２Ｂにより検出されて始動入賞（第２始動入賞）が発生したことに基づき、第２特別図柄表示器４Ｂにおける第２特図を用いた特図ゲームを実行するための第２始動条件が成立したことを通知する第２始動口入賞指定コマンドである。これら第１始動口入賞指定コマンドや第２始動口入賞指定コマンドが出力されることにより、演出制御基板１２において、ＲＡＭ１２２の所定の記憶領域に設定された第１特図保留記憶領域並びに第２特図保留記憶領域において、第１特図保留記憶番号または第２特図保留記憶番号に対応する各格納領域（エントリ）のうち、始動入賞フラグがセットされていない最上位の格納領域（エントリ）に始動入賞フラグがセットされる。
【０１０６】
コマンドＣ１ＸＸＨは、第１特図保留記憶数を通知する第１保留記憶数通知コマンドである。コマンドＣ２ＸＸＨは、第２特図保留記憶数を通知する第２保留記憶数通知コマンドである。第１保留記憶数通知コマンドは、例えば第１始動入賞口を遊技球が通過（進入）して第１始動条件が成立したことに基づいて、第１始動口入賞指定コマンドが送信されるときに、主基板１１から演出制御基板１２に対して送信される。第２保留記憶数通知コマンドは、例えば第２始動入賞口を遊技球が通過（進入）して第２始動条件が成立したことに基づいて、第２始動口入賞指定コマンドが送信されるときに、主基板１１から演出制御基板１２に対して送信される。また、第１保留記憶数通知コマンドや第２保留記憶数通知コマンドは、第１開始条件と第２開始条件のいずれかが成立したとき（保留記憶数が減少したとき）に、特図ゲームの実行が開始されることなどに対応して送信されるようにしてもよい。
【０１０７】
第１保留記憶数通知コマンドや第２保留記憶数通知コマンドに代えて、合計保留記憶数を通知する合計保留記憶数通知コマンドを送信するようにしてもよい。すなわち、合計保留記憶数の増加（または減少）を通知するための合計保留記憶数通知コマンドが用いられてもよい。
【０１０８】
主基板１１に搭載された遊技制御用マイクロコンピュータ１００は、例えば１チップのマイクロコンピュータであり、遊技制御用のプログラムや固定データ等を記憶するＲＯＭ１０１（Read Only Memory１０１）と、遊技制御用のワークエリアを提供するＲＡＭ１０２（Random Access Memory１０２）と、遊技制御用のプログラムを実行して制御動作を行うＣＰＵ１０３（Central Processing Unit１０３）と、ＣＰＵ１０３とは独立して乱数値を示す数値データの更新を行う乱数回路１０４と、Ｉ／Ｏ１０５（Input/Outputport１０５）とを備えて構成される。
【０１０９】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【０１１０】
図１０は、主基板１１の側においてカウントされる乱数値を例示する説明図である。図１０に示すように、本実施例では、主基板１１の側において、特図表示結果判定用の乱数値ＭＲ１、大当り種別判定用の乱数値ＭＲ２、変動パターン判定用の乱数値ＭＲ３、普図表示結果判定用の乱数値ＭＲ４のそれぞれを示す数値データが、カウント可能に制御される。尚、遊技効果を高めるために、これら以外の乱数値が用いられてもよい。こうした遊技の進行を制御するために用いられる乱数は、遊技用乱数ともいう。
【０１１１】
乱数回路１０４は、これらの乱数値ＭＲ１〜ＭＲ４の一部または全部を示す数値データをカウントするものであればよい。ＣＰＵ１０３は、例えば、ＲＡＭ１０２の遊技制御カウンタ設定部に設けられたランダムカウンタといった、乱数回路１０４とは異なるランダムカウンタを用いて、ソフトウェアによって各種の数値データを更新することで、乱数値ＭＲ１〜ＭＲ４の一部を示す数値データをカウントするようにしてもよい。
【０１１２】
特図表示結果判定用の乱数値ＭＲ１は、特図ゲームにおける特別図柄などの変動表示結果を「大当り」として大当り遊技状態に制御するか否かを決定するために用いられる乱数値であり、例えば「１」〜「６５５３６」の範囲の値をとる。大当り種別判定用の乱数値ＭＲ２は、変動表示結果を「大当り」とする場合における大当り種別を「確変大当りＡ」、「確変大当りＢ」、「非確変」のいずれかに決定するために用いられる乱数値であり、例えば「１」〜「１００」の範囲の値をとる。
【０１１３】
変動パターン判定用の乱数値ＭＲ３は、特別図柄や演出図柄の変動表示における変動パターンを、予め用意された複数種類のいずれかに決定するために用いられる乱数値であり、例えば「１」〜「９９７」の範囲の値をとる。
【０１１４】
普図表示結果判定用の乱数値ＭＲ４は、普通図柄表示器２０による普図ゲームにおける変動表示結果を「普図当り」とするか「普図はずれ」とするかなどの決定を行うために用いられる乱数値であり、例えば「３」〜「１３」の範囲の値をとる。
【０１１５】
図１１は、本実施例における変動パターンを示している。本実施例では、変動表示結果が「はずれ」となる場合のうち、演出図柄の変動表示態様が「非リーチ」である場合と「リーチ」である場合のそれぞれに対応して、また、変動表示結果が「大当り」となる場合などに対応して、複数の変動パターンが予め用意されている。尚、変動表示結果が「はずれ」で演出図柄の変動表示態様が「非リーチ」である場合に対応した変動パターンは、非リーチ変動パターン（「非リーチはずれ変動パターン」ともいう）と称され、変動表示結果が「はずれ」で演出図柄の変動表示態様が「リーチ」である場合に対応した変動パターンは、リーチ変動パターン（「リーチはずれ変動パターン」ともいう）と称される。また、非リーチ変動パターンとリーチ変動パターンは、変動表示結果が「はずれ」となる場合に対応したはずれ変動パターンに含まれる。変動表示結果が「大当り」である場合に対応した変動パターンは、大当り変動パターンと称される。
【０１１６】
大当り変動パターンやリーチ変動パターンには、ノーマルリーチのリーチ演出が実行されるノーマルリーチ変動パターンと、スーパーリーチα、スーパーリーチβといったスーパーリーチのリーチ演出が実行されるスーパーリーチ変動パターンとがある。尚、本実施例では、ノーマルリーチ変動パターンを１種類のみしか設けていないが、本発明はこれに限定されるものではなく、スーパーリーチと同様に、ノーマルリーチα、ノーマルリーチβ、…のように、複数のノーマルリーチ変動パターンを設けても良い。また、スーパーリーチ変動パターンでも、スーパーリーチαやスーパーリーチβに加えてスーパーリーチγ…といった３以上のスーパーリーチ変動パターンを設けても良い。
【０１１７】
図１１に示すように、本実施例におけるノーマルリーチのリーチ演出が実行されるノーマルリーチ変動パターンの特図変動時間については、スーパーリーチ変動パターンであるスーパーリーチα、スーパーリーチβよりも短く設定されている。また、本実施例におけるスーパーリーチα、スーパーリーチβといったスーパーリーチのリーチ演出が実行されるスーパーリーチ変動パターンの特図変動時間については、スーパーリーチβのスーパーリーチ演出が実行される変動パターンの方が、スーパーリーチαのスーパーリーチ演出が実行される変動パターンよりも特図変動時間が長く設定されている。
【０１１８】
尚、本実施例では、前述したようにスーパーリーチβ、スーパーリーチα、ノーマルリーチの順に変動表示結果が「大当り」となる大当り期待度が高くなるように設定されているため、ノーマルリーチ変動パターン及びスーパーリーチ変動パターンにおいては変動時間が長いほど大当り期待度が高くなっている。また、スーパーリーチβ、スーパーリーチαのリーチ演出中においては、いずれも、スクリーンユニット３００が変化する演出が実行される場合があるが、これらスクリーンユニット３００が変化する演出が実行される割合（確率）は、スーパーリーチαよりもスーパーリーチβの方が高くなるように設定されている。
【０１１９】
尚、本実施例においては、後述するように、これら変動パターンを、例えば、非リーチの種別や、ノーマルリーチの種別や、スーパーリーチの種別等のように、変動パターンの種別を先に決定してから、該決定した種別に属する変動パターンに属する変動パターンから実行する変動パターンを決定するのではなく、これらの種別を決定することなしに変動パターン判定用の乱数値ＭＲ３のみを用いて決定するようにしているが、本発明はこれに限定されるものではなく、例えば、変動パターン判定用の乱数値ＭＲ３に加えて、変動パターン種別判定用の乱数値を設けて、これら変動パターン種別判定用の乱数値から変動パターンの種別を先に決定してから、該決定した種別に属する変動パターンに属する変動パターンから実行する変動パターンを決定するようにしても良い。
【０１２０】
図２に示す遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために予め用意された複数の判定テーブルや設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、図１１に示すような変動パターンを複数種類格納する変動パターンテーブルを構成するテーブルデータなどが、記憶されている。
【０１２１】
図１２は、ＲＯＭ１０１に記憶される表示結果判定テーブルの構成例を示している。本実施例では、表示結果判定テーブルとして、第１特図と第２特図とで共通の表示結果判定テーブルを用いているが、本発明はこれに限定されるものではなく、第１特図と第２特図とで個別の表示結果判定テーブルを用いるようにしても良い。
【０１２２】
表示結果判定テーブルは、第１特別図柄表示器４Ａによる第１特図を用いた特図ゲームや第２特別図柄表示器４Ｂによる第２特図を用いた特図ゲームにおいて変動表示結果となる確定特別図柄が導出表示される以前に、その変動表示結果を「大当り」として大当り遊技状態に制御するか否かを、特図表示結果判定用の乱数値ＭＲ１に基づいて決定するために参照されるテーブルである。
【０１２３】
本実施例の表示結果判定テーブルでは、パチンコ遊技機１における遊技状態が通常状態または時短状態（低確状態）であるか、確変状態（高確状態）であるかに応じて、特図表示結果判定用の乱数値ＭＲ１と比較される数値（判定値）が、「大当り」や「はずれ」の特図表示結果に割り当てられている。
【０１２４】
表示結果判定テーブルにおいて、特図表示結果判定用の乱数値ＭＲ１と比較される判定値を示すテーブルデータは、特図表示結果を「大当り」として大当り遊技状態に制御するか否かの決定結果に割り当てられる判定用データとなっている。本実施例の表示結果判定テーブルでは、遊技状態が確変状態（高確状態）であるときに、通常状態または時短状態（低確状態）であるときよりも多くの判定値が、「大当り」の特図表示結果に割り当てられている。これにより、パチンコ遊技機１において確変制御が行われる確変状態（高確状態）では、通常状態または時短状態（低確状態）であるときに特図表示結果を「大当り」として大当り遊技状態に制御すると決定される確率（本実施例では約１／３００）に比べて、特図表示結果を「大当り」として大当り遊技状態に制御すると決定される確率が高くなる（本実施例では約１／３０）。すなわち、表示結果判定テーブルでは、パチンコ遊技機１における遊技状態が確変状態（高確状態）であるときに、通常状態や時短状態であるときに比べて大当り遊技状態に制御すると決定される確率が高くなるように、判定用データが大当り遊技状態に制御するか否かの決定結果に割り当てられている。
【０１２５】
図１３は、ＲＯＭ１０１に記憶される大当り種別判定テーブルの構成例を示している。本実施例の大当り種別判定テーブルは、特図表示結果を「大当り」として大当り遊技状態に制御すると決定されたときに、大当り種別判定用の乱数値ＭＲ２に基づき、大当り種別を複数種類のいずれかに決定するために参照されるテーブルである。大当り種別判定テーブルでは、特図ゲームにおいて変動表示（変動）が行われた特別図柄が第１特図（第１特別図柄表示器４Ａによる特図ゲーム）であるか第２特図（第２特別図柄表示器４Ｂによる特図ゲーム）であるかに応じて、大当り種別判定用の乱数値ＭＲ２と比較される数値（判定値）が、「非確変」や「確変大当りＡ」、「確変大当りＢ」といった複数種類の大当り種別に割り当てられている。
【０１２６】
ここで、本実施例における大当り種別について、図１３（Ｂ）を用いて説明すると、本実施例では、大当り種別として、大当り遊技状態の終了後において高確制御と時短制御とが実行されて高確高ベース状態に移行する確変大当りＡや確変大当りＢと、大当り遊技状態の終了後において時短制御のみが実行されて低確高ベース状態に移行する非確変大当りとが設定されている。
【０１２７】
「確変大当りＡ」による大当り遊技状態と「非確変大当り」による大当り遊技状態では、前述したように、特別可変入賞球装置７を遊技者にとって有利な第１状態に変化させるラウンドが１６回（いわゆる１６ラウンド）、繰返し実行される通常開放大当りである。一方、「確変大当りＢ」による大当り遊技状態では、前述したように、特別可変入賞球装置７を遊技者にとって有利な第１状態に変化させるラウンドが５回（いわゆる５ラウンド）、繰返し実行される短期開放大当りである。よって、「確変大当りＡ」を１６ラウンド（１６Ｒ）確変大当りと呼称し、「確変大当りＢ」を５ラウンド（５Ｒ）確変大当りと呼称する場合がある。
【０１２８】
確変大当りＡや確変大当りＢの大当り遊技状態の終了後において実行される高確制御と時短制御は、該大当り遊技状態の終了後において再度大当りが発生するまで継続して実行される。よって、再度発生した大当りが確変大当りＡや確変大当りＢである場合には、大当り遊技状態の終了後に再度、高確制御と時短制御が実行されるので、大当り遊技状態が通常状態を介することなく連続的に発生する、いわゆる連荘状態となる。
【０１２９】
一方、「非確変大当り」による大当り遊技状態の終了後において実行される時短制御は、所定回数（本実施例では１００回）の特図ゲームが実行されること、或いは該所定回数の特図ゲームが実行される前に大当り遊技状態となることにより終了する。
【０１３０】
図１３（Ａ）に示す大当り種別判定テーブルの設定例では、変動特図が第１特図であるか第２特図であるかに応じて、「確変大当りＡ」と「確変大当りＢ」の大当り種別に対する判定値の割当てが異なっている。すなわち、変動特図が第１特図である場合には、所定範囲の判定値（「８１」〜「１００」の範囲の値）がラウンド数の少ない「確変大当りＢ」の大当り種別に割り当てられる一方で、変動特図が第２特図である場合には、「確変大当りＢ」の大当り種別に対して判定値が割り当てられていない。このような設定により、第１特別図柄表示器４Ａによる第１特図を用いた特図ゲームを開始するための第１開始条件が成立したことに基づいて大当り種別を複数種類のいずれかに決定する場合と、第２特別図柄表示器４Ｂによる第２特図を用いた特図ゲームを開始するための第２開始条件が成立したことに基づいて大当り種別を複数種類のいずれかに決定する場合とで、大当り種別をラウンド数の少ない「確変大当りＢ」に決定する割合を、異ならせることができる。特に、第２特図を用いた特図ゲームでは大当り種別を「確変大当りＢ」としてラウンド数の少ない短期開放大当り状態に制御すると決定されることがないので、例えば時短制御に伴う高開放制御により、普通可変入賞球装置６Ｂが形成する第２始動入賞口に遊技球が進入しやすい遊技状態において、得られる賞球が少ない短期開放大当り状態の頻発を回避して遊技興趣が低下してしまうことを防止できるようになっている。
【０１３１】
尚、図１３（Ａ）に示す大当り種別判定テーブルの設定例では、「非確変」の大当り種別に対する判定値の割当ては、変動特図が第１特図であるか第２特図であるかに係わらず同一とされているので、非確変の大当りとなる確率と確変の大当りとなる確率は、変動特図が第１特図であるか第２特図であるかにかかわらず同一とされている。
【０１３２】
よって、上記したように、「確変大当りＢ」に対する判定値の割り当てが、変動特図が第１特図であるか第２特図であるかに応じて異なることに応じて、「確変大当りＡ」に対する判定値の割り当ても変動特図が第１特図であるか第２特図であるかに応じて異なり、ラウンド数の多い「確変大当りＡ」については、変動特図が第２特図である場合の方が第１特図である場合よりも決定され易くなるように設定されている。
【０１３３】
尚、変動特図が第２特図である場合にも、変動特図が第１特図である場合とは異なる所定範囲の判定値が、「確変大当りＢ」の大当り種別に割り当てられるようにしてもよい。例えば、変動特図が第２特図である場合には、変動特図が第１特図である場合に比べて少ない判定値が、「確変大当りＢ」の大当り種別に割り当てられてもよい。あるいは、変動特図が第１特図であるか第２特図であるかにかかわらず、共通のテーブルデータを参照して、大当り種別の決定を行うようにしてもよい。
【０１３４】
また、本実施例では、大当りの種別を「確変大当りＡ」、「確変大当りＢ」、「非確変大当り」とした形態を例示したが、本発明はこれに限定されるものではなく、これら以外の大当りの種別を設定するようにしても良い。
【０１３５】
また、ＲＯＭ１０１には、変動パターン判定用の乱数値ＭＲ３に基づいて変動パターンを決定するための変動パターン判定テーブルも記憶されており、変動パターンを、事前決定結果に応じて前述した複数種類のうちのいずれかの変動パターンに決定する。
【０１３６】
具体的には、変動パターン判定テーブルとしては、特図表示結果を「大当り」にすることが事前決定されたときに使用される大当り用変動パターン判定テーブルと、特図表示結果を「はずれ」にすることが事前決定されたときに使用されるはずれ用変動パターン判定テーブルとが予め用意されている。
【０１３７】
大当り用変動パターン判定テーブルにおいては、ノーマルリーチ大当りの変動パターン（ＰＢ１−１）、スーパーリーチα大当りの変動パターン（ＰＢ１−２）、スーパーリーチβ大当りの変動パターン（ＰＢ１−３）の各変動パターンに対して、変動パターン判定用の乱数値ＭＲ３がとりうる範囲のうち所定の乱数値が判定値として割り当てられている。尚、本実施例では、これらの判定値が、大当りの種別が「確変大当りＡ」または「確変大当りＢ」である場合にはスーパーリーチβが決定され易く、大当りの種別が「非確変大当り」である場合には、スーパーリーチαが決定され易いように割り当てられていることで、スーパーリーチβの変動パターンが実行されたときには、「確変大当りＡ」または「確変大当りＢ」となるのではないかという遊技者の期待感を高めることできる。
【０１３８】
また、はずれ用変動パターン判定テーブルには、保留記憶数が１個以下である場合に使用されるはずれ用変動パターン判定テーブルＡと、合計保留記憶数が２〜４個である場合に使用されるはずれ用変動パターン判定テーブルＢと、合計保留記憶数が５〜８個である場合に使用されるはずれ用変動パターン判定テーブルＣと、遊技状態が時短制御の実施されている高ベース状態である場合に使用されるはずれ用変動パターン判定テーブルＤとが予め用意されている。
【０１３９】
はずれ用変動パターン判定テーブルＡにおいては、短縮なしの非リーチはずれの変動パターン（ＰＡ１−１）、ノーマルリーチはずれの変動パターン（ＰＡ２−１）、スーパーリーチαはずれの変動パターン（ＰＡ２−２）、スーパーリーチβはずれの変動パターン（ＰＡ２−３）に対して変動パターン判定用の乱数値ＭＲ３がとりうる範囲のうち所定の乱数値が判定値として割り当てられている。また、はずれ用変動パターン判定テーブルＢにおいては、合計保留記憶数が２〜４個に対応する短縮の非リーチはずれの変動パターン（ＰＡ１−２）、ノーマルリーチはずれの変動パターン（ＰＡ２−１）、スーパーリーチαはずれの変動パターン（ＰＡ２−２）、スーパーリーチβはずれの変動パターン（ＰＡ２−３）に対して変動パターン判定用の乱数値ＭＲ３がとりうる範囲のうち所定の乱数値が判定値として割り当てられている。また、はずれ用変動パターン判定テーブルＣにおいては、合計保留記憶数が５〜８個に対応する短縮の非リーチはずれの変動パターン（ＰＡ１−３）、ノーマルリーチはずれの変動パターン（ＰＡ２−１）、スーパーリーチαはずれの変動パターン（ＰＡ２−２）、スーパーリーチβはずれの変動パターン（ＰＡ２−３）に対して変動パターン判定用の乱数値ＭＲ３がとりうる範囲のうち所定の乱数値が判定値として割り当てられている。また、はずれ用変動パターン判定テーブルＤにおいては、時短制御中に対応する短縮の非リーチはずれの変動パターン（ＰＡ１−４）、ノーマルリーチはずれの変動パターン（ＰＡ２−１）、スーパーリーチαはずれの変動パターン（ＰＡ２−２）、スーパーリーチβはずれの変動パターン（ＰＡ２−３）に対して変動パターン判定用の乱数値ＭＲ３がとりうる範囲のうち所定の乱数値が判定値として割り当てられている。
【０１４０】
尚、図１１に示すように、短縮なしの非リーチはずれの変動パターン（ＰＡ１−１）よりも非リーチはずれの変動パターン（ＰＡ１−２）の方が変動時間は短く、さらに、変動パターン（ＰＡ１−２）よりも非リーチはずれの変動パターン（ＰＡ１−３）の方が変動時間は短い。よって、保留記憶数が増加した場合には、変動時間が短い非リーチはずれの変動パターンが決定されることにより、保留記憶が消化されやすくなって、保留記憶数が上限数である４に達しているときに始動入賞することで、保留記憶がなされない無駄な始動入賞が発生し難くなるようになるとともに、保留記憶数が減少した場合には、変動時間が長い短縮なしの非リーチはずれの変動パターン（ＰＡ１−１）が決定されることによって、変動表示の時間が長くなることにより、変動表示が実行されないことによる遊技の興趣低下を防ぐことができるようになる。
【０１４１】
図２に示す遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータとは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。
【０１４２】
このようなＲＡＭ１０２には、パチンコ遊技機１における遊技の進行などを制御するために用いられる各種のデータを保持する領域として、例えば、遊技制御用データ保持エリアが設けられている。この遊技制御用データ保持エリアには、第１特図保留記憶部と、第２特図保留記憶部と、普図保留記憶部と、遊技制御フラグ設定部と、遊技制御タイマ設定部と、遊技制御カウンタ設定部と、遊技制御バッファ設定部とが設けられている。
【０１４３】
第１特図保留記憶部は、普通入賞球装置６Ａが形成する第１始動入賞口を遊技球が通過（進入）して始動入賞（第１始動入賞）が発生したものの未だ開始されていない特図ゲーム（第１特別図柄表示器４Ａにおける第１特図を用いた特図ゲーム）の保留データを記憶する。一例として、第１特図保留記憶部は、第１始動入賞口への入賞順（遊技球の検出順）に保留番号と関連付けて、その遊技球の通過（進入）における第１始動条件の成立に基づいてＣＰＵ１０３により乱数回路１０４等から抽出された特図表示結果判定用の乱数値ＭＲ１や大当り種別判定用の乱数値ＭＲ２、変動パターン判定用の乱数値ＭＲ３を示す数値データなどを保留データとして、その記憶数が所定の上限値（例えば「４」）に達するまで記憶する。こうして第１特図保留記憶部に記憶された保留データは、第１特図を用いた特図ゲームの実行が保留されていることを示し、この特図ゲームにおける変動表示結果（特図表示結果）に基づき大当りとなるか否かなどを判定可能にする保留情報となる。
【０１４４】
第２特図保留記憶部は、普通可変入賞球装置６Ｂが形成する第２始動入賞口を遊技球が通過（進入）して始動入賞（第２始動入賞）が発生したものの未だ開始されていない特図ゲーム（第２特別図柄表示器４Ｂにおける第２特図を用いた特図ゲーム）の保留データを記憶する。一例として、第２特図保留記憶部は、第２始動入賞口への入賞順（遊技球の検出順）に保留番号と関連付けて、その遊技球の通過（進入）における第２始動条件の成立に基づいてＣＰＵ１０３により乱数回路１０４等から抽出された特図表示結果判定用の乱数値ＭＲ１や大当り種別判定用の乱数値ＭＲ２、変動パターン判定用の乱数値ＭＲ３を示す数値データなどを保留データとして、その数が所定の上限値（例えば「４」）に達するまで記憶する。こうして第２特図保留記憶部に記憶された保留データは、第２特図を用いた特図ゲームの実行が保留されていることを示し、この特図ゲームにおける変動表示結果（特図表示結果）に基づき大当りとなるか否かなどを判定可能にする保留情報となる。
【０１４５】
尚、第１始動入賞口を遊技球が通過（進入）したことによる第１始動条件の成立に基づく保留情報（第１保留情報）と、第２始動入賞口を遊技球が通過（進入）したことによる第２始動入賞の成立に基づく保留情報（第２保留情報）とを、共通の保留記憶部にて保留番号と対応付けて記憶するようにしてもよい。この場合には、第１始動入賞口と第２始動入賞口のいずれを遊技球が通過（進入）したかを示す始動口データを保留情報に含め、保留番号と対応付けて記憶させればよい。
【０１４６】
普図保留記憶部は、通過ゲート４１を通過した遊技球がゲートスイッチ２１によって検出されたにもかかわらず、未だ普通図柄表示器２０により開始されていない普図ゲームの保留情報を記憶する。例えば、普図保留記憶部は、遊技球が通過ゲート４１を通過した順に保留番号と対応付けて、その遊技球の通過に基づいてＣＰＵ１０３により乱数回路１０４等から抽出された普図表示結果判定用の乱数値ＭＲ４を示す数値データなどを保留データとして、その数が所定の上限値（例えば「４」）に達するまで記憶する。
【０１４７】
遊技制御フラグ設定部には、パチンコ遊技機１における遊技の進行状況などに応じて状態を更新可能な複数種類のフラグが設けられている。例えば、遊技制御フラグ設定部には、複数種類のフラグそれぞれについて、フラグの値を示すデータや、オン状態あるいはオフ状態を示すデータが記憶される。
【０１４８】
遊技制御タイマ設定部には、パチンコ遊技機１における遊技の進行を制御するために用いられる各種のタイマが設けられている。例えば、遊技制御タイマ設定部には、複数種類のタイマそれぞれにおけるタイマ値を示すデータが記憶される。
【０１４９】
遊技制御カウンタ設定部には、パチンコ遊技機１における遊技の進行を制御するために用いられるカウント値を計数するための複数種類のカウンタが設けられている。例えば、遊技制御カウンタ設定部には、複数種類のカウンタそれぞれにおけるカウント値を示すデータが記憶される。ここで、遊技制御カウンタ設定部には、遊技用乱数の一部または全部をＣＰＵ１０３がソフトウェアにより更新可能にカウントするためのランダムカウンタが設けられてもよい。
【０１５０】
遊技制御カウンタ設定部のランダムカウンタには、乱数回路１０４で生成されない乱数値、例えば、乱数値ＭＲ２〜ＭＲ４を示す数値データが、ランダムカウント値として記憶され、ＣＰＵ１０３によるソフトウェアの実行に応じて、定期的あるいは不定期に、各乱数値を示す数値データが更新される。ＣＰＵ１０３がランダムカウント値を更新するために実行するソフトウェアは、ランダムカウント値を乱数回路１０４における数値データの更新動作とは別個に更新するためのものであってもよいし、乱数回路１０４から抽出された数値データの全部又は一部にスクランブル処理や演算処理といった所定の処理を施すことによりランダムカウント値を更新するためのものであってもよい。
【０１５１】
遊技制御バッファ設定部には、パチンコ遊技機１における遊技の進行を制御するために用いられるデータを一時的に記憶する各種のバッファが設けられている。例えば、遊技制御バッファ設定部には、複数種類のバッファそれぞれにおけるバッファ値を示すデータが記憶される。
【０１５２】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１５３】
本実施例の演出制御基板１２には、図２に示すように、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理や投影装置４００における投影動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５と、その時点の日付時刻データを出力可能なＲＴＣ１２６とが搭載されている。
【０１５４】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【０１５５】
本実施例の表示制御部１２３は、主基板１１からの前述した表示制御コマンドの受信に基づいて演出制御用ＣＰＵ１２０から出力される指示に応じて、ＲＯＭ１２１に記憶されているキャラクタ画像データ等の各種画像データを読み出して、投影装置４００により投影される画像や演出表示装置５に表示される画像の画像データを生成して投影装置４００や演出表示装置５に出力する。
【０１５６】
尚、本実施例のスクリーンユニット３００には、前述したように、箱状の第１スクリーン３０１、平面状の第２スクリーン３０２、湾曲板状の第３スクリーン３０３が設けられているため、これら箱状の第１スクリーン３０１、平面状の第２スクリーン３０２、湾曲板状の第３スクリーン３０３のそれぞれの形状に合わせて予め作成された画像データがＲＯＭ１２１に記憶されており、これら各スクリーン形状に合わせた画像を用いた画像が表示制御部１２３において生成され（読み出され）て投影装置４００に出力されることにより、各スクリーン形状に合わせた画像が投影装置４００により投影される。
【０１５７】
尚、本実施例では、ＲＯＭ１２１に記憶された画像として、各スクリーン形状において、投影対象となる各部位に対応付けられた画像、つまりプロジェクションマッピング技術により作成された画像を用いている。
【０１５８】
これら各スクリーン形状に合わせた画像としては、具体的は、略箱状をなす第１スクリーン３０１に投影する画像であれば、第１スクリーン３０１を構成する左側板３０１Ａ、右側板３０１Ｂ、下板３０１Ｃ、背板３０１Ｄのそれぞれに投影する画像として、本実施例では、例えば、図８（Ｃ）に示すように、略箱状をなす第１スクリーン３０１を部屋に見立てた画像が例示される。この部屋に見立てた図８（Ｃ）に示す画像は、下板３０１Ｃに投影される領域の画像を奥側が狭幅となると下板３０１Ｃに形成される面の形状に合致させた床面の画像とし、左側板３０１Ａに投影される領域の画像を左側板３０１Ａが形成する面に対応する形状に合致させた壁面の画像とし、右側板３０１Ｂに投影される領域の画像を右側板３０１Ｂが形成する面に対応する形状に合致させた壁面の画像とし、背板３０１Ｄに投影される領域の画像を背板３０１Ｄが形成する面に対応する形状に合致させた壁面の画像として予め作成されたもの、すなわち、略箱型の第１スクリーン３０１を構成する各面の領域毎に合致させた画像を各面に投影するためにマッピングされた画像（いわゆるプロジェクションマッピング画像）とされている。
【０１５９】
また、湾曲状をなす第３スクリーン３０３に投影する画像であれば、第３スクリーン３０３が有する湾曲面に投影する画像として、本実施例では、例えば、図８（Ｂ）に示すように、作業車のタイヤに見立てた画像が例示される。この作業車のタイヤに見立てた図８（Ｂ）に示す画像は、第３スクリーン３０３の上下の端部領域部分に投影される画像としてタイヤの上下端部であり、奥方にタイヤがあるように見える画像を割り当て（マッピング）、第３スクリーン３０３の上下方向の中央領域部分に投影される画像としてタイヤの中央部であり、手前側にタイヤがあるように見える画像を割り当て（マッピング）した画像とされている。
【０１６０】
また、平面状をなす第２スクリーン３０２に投影する画像であれば、第２スクリーン３０２の傾斜と第２スクリーン３０２の面に合わせた画像、例えば、図８（Ａ）に示すように、第２スクリーン３０２の傾斜によらず、上下に移動（変動）する演出図柄の画像が例示される。この第２スクリーン３０２の傾斜によらない図８（Ａ）に示す画像は、第２スクリーン３０２の下端部領域部分に投影される画像として、上端部領域部分に投影される画像よりも幅寸法が狭くなる画像を割り当て（マッピング）た画像とされている。
【０１６１】
尚、本実施例では、各スクリーン３０１，３０２，３０３のそれぞれの形状に合わせて予めマッピングして画像を作成しておき、その画像データをＲＯＭ１２１に記憶しておき、表示制御部１２３がＲＯＭ１２１に記憶された画像データを読み出して、投影装置４００に出力するようにしているが、本発明はこれに限定されるものではなく、各スクリーン３０１，３０２，３０３のそれぞれの形状に対応したマッピング済みの画像を予め作成しておくものでなくても良い。例えば、各スクリーン３０１，３０２，３０３の形状に対応していない画像データと、各スクリーン３０１，３０２，３０３の形状に合致させて画像をマッピングするための領域（座標）が記述されたマッピング用データをＲＯＭ１２１に記憶しておき、表示制御部１２３がＲＯＭ１２１に記憶された画像データとスクリーンに応じたマッピング用データとを読み出すとともに、その読み出した画像データを各スクリーン３０１，３０２，３０３の形状に対応するようにリアルタイムにてマッピングして、該マッピングした画像をスクリーン３０１，３０２，３０３に投影装置４００を用いて投影するようにしても良い。
【０１６２】
演出制御用ＣＰＵ１２０、ＲＯＭ１２１、ＲＡＭ１２２は、演出制御基板１２に搭載された１チップの演出制御用マイクロコンピュータに含まれてもよい。
【０１６３】
演出制御基板１２には、投影装置４００や演出表示装置５に対して映像信号を伝送するための配線や、音声制御基板１３に対して音番号データを示す情報信号としての効果音信号を伝送するための配線、ＬＥＤ制御基板１４に対してＬＥＤデータを示す情報信号としての電飾信号を伝送するための配線、役物装置３１０Ａ，３１０Ｂに設けられた可動役物用モータ３１１Ａ，３１１Ｂに駆動信号を出力するための配線、スクリーンユニット３００に設けられたスクリーン用モータ３０４Ａ，３０４Ｂに駆動信号を出力するための配線などが接続されている。
【０１６４】
尚、演出制御基板１２の側においても、主基板１１と同様に、例えば、予告演出等の各種の演出の種別を決定するための乱数値（演出用乱数ともいう）が設定されている。
【０１６５】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の決定用テーブルを構成するテーブルデータ、各種の演出制御パターンを構成するパターンデータ（プロセステーブルデータ）などが記憶されている。
【０１６６】
一例として、ＲＯＭ１２１には、演出制御用ＣＰＵ１２０が各種の演出装置（例えば投影装置４００、演出表示装置５、スピーカ８Ｌ，８Ｒ，８Ｕ、演出用ＬＥＤ９、役物装置３１０Ａ，３１０Ｂ、スクリーンユニット３００等）による演出動作を制御するために使用する演出制御パターンを複数種類格納した演出制御パターンデータが記憶されている。演出制御パターンは、パチンコ遊技機１における遊技の進行状況に応じて実行される各種の演出動作に対応して、その制御内容を示す時系列データなどから構成されている。演出制御パターンデータには、例えば特図変動時演出制御パターン、予告演出制御パターン、一斉演出を行うための一斉演出制御パターン、デモ演出を行うためのデモ演出制御パターン等の各種演出制御パターン等が、格納されていればよい。
【０１６７】
特図変動時演出制御パターンは、複数種類の変動パターンに対応して、特図ゲームにおいて特別図柄の変動が開始されてから特図表示結果となる確定特別図柄が導出表示されるまでの期間における、演出図柄の変動表示動作やリーチ演出、再抽選演出などにおける演出表示動作、あるいは、演出図柄の変動表示を伴わない各種の演出表示動作といった、様々な演出動作の制御内容を示すデータなどから構成されている。予告演出制御パターンは、例えば、予め複数パターンが用意された予告パターンに対応して実行される予告演出となる演出動作の制御内容を示すデータなどから構成されている。一斉演出制御パターンやデモ演出制御パターンは、一斉演出やデモ演出における各種の演出動作に対応して、その制御内容を示すデータなどから構成されている。
【０１６８】
尚、特図変動時演出制御パターンのうちには、例えばリーチ演出を実行する変動パターンごとに、それぞれのリーチ演出における演出態様を異ならせた複数種類のリーチ演出制御パターンが含まれてもよい。
【０１６９】
図２に示す演出制御基板１２に搭載されたＲＡＭ１２２には、演出動作を制御するために用いられる各種データを保持する領域として、図示しない演出制御用データ保持エリアが設けられている。この演出制御用データ保持エリアは、演出制御フラグ設定部と、演出制御タイマ設定部と、演出制御カウンタ設定部と、演出制御バッファ設定部とを備えている。
【０１７０】
演出制御フラグ設定部には、例えば、投影装置４００にて投影される演出画像や演出表示装置５に表示される演出画像の表示状態などといった演出動作状態や主基板１１から伝送された演出制御コマンド等に応じて状態を更新可能な複数種類のフラグが設けられている。例えば、演出制御フラグ設定部には、複数種類のフラグそれぞれについて、フラグの値を示すデータや、オン状態あるいはオフ状態を示すデータが記憶される。
【０１７１】
演出制御タイマ設定部には、例えば、影装置４００にて投影される演出画像や演出表示装置５に表示される演出画像の表示動作などといった各種演出動作の進行を制御するために用いられる複数種類のタイマが設けられている。例えば、演出制御タイマ設定部には、複数種類のタイマそれぞれにおけるタイマ値を示すデータが記憶される。
【０１７２】
演出制御カウンタ設定部には、各種演出動作の進行を制御するために用いられる複数種類のカウンタが設けられている。例えば、演出制御カウンタ設定部には、複数種類のカウンタそれぞれにおけるカウント値を示すデータが記憶される。
【０１７３】
演出制御バッファ設定部には、各種演出動作の進行を制御するために用いられるデータを一時的に記憶する各種のバッファが設けられている。例えば、演出制御バッファ設定部には、複数種類のバッファそれぞれにおけるバッファ値を示すデータが記憶される。
【０１７４】
本実施例では、演出制御バッファ設定部の所定領域に、第１特図保留記憶領域並びに第２特図保留記憶領域が設定されている。第１特図保留記憶領域並びに第２特図保留記憶領域には、第１特図保留記憶の合計保留記憶数の最大値（例えば「４」）に対応した格納領域（記憶番号「１」〜「４」に対応した領域）が設けられており、各格納領域に、始動入賞の有無を示すフラグデータ（具体的には始動入賞無しを示す「０」と、始動入賞有りを示す「１」）とが記憶されている。尚、これら第１特図保留記憶領域並びに第２特図保留記憶領域のデータは、第１始動口入賞指定コマンドや第２始動口入賞指定コマンドの受信や、第１変動開始コマンドや第２変動開始コマンドの受信に応じて更新されるとともに、更新後の第１特図保留記憶領域並びに第２特図保留記憶領域のデータに基づいて保留記憶表示エリアにおける保留記憶表示が更新される。
【０１７５】
具体的には、第１始動入賞口への始動入賞があったことに基づいて第１始動口入賞指定コマンドを受信したときには、保留記憶表示エリアに第１始動入賞に対応した丸型の白色表示が新たに追加される一方、新たに第１特図の変動表示が開始されたことに基づいて第１変動開始コマンドを受信したときには、該丸型の白色表示の保留記憶表示のうち、最上位（最も先に始動入賞した保留記憶）の丸型の白色表示が消去されて、その他の丸型の白色表示が、所定方向（例えば、左方向）にシフト（移動）するように、保留記憶表示を更新する。同様に、第２始動入賞口への始動入賞があったことに基づいて第２始動口入賞指定コマンドを受信したときには、保留記憶表示エリアに第２始動入賞に対応した丸型の青色表示が新たに追加される一方、新たに第２特図の変動表示が開始されたことに基づいて第２変動開始コマンドを受信したときには、該丸型の青色表示の保留記憶表示のうち、最上位（最も先に始動入賞した保留記憶）の丸型の青色表示が消去されて、その他の丸型の青色表示が、所定方向（例えば、左方向）にシフト（移動）するように、保留記憶表示を更新する。
【０１７６】
次に、パチンコ遊技機１における遊技の進行を概略的に説明する。パチンコ遊技機１では、遊技領域に設けられた通過ゲート４１を通過した遊技球が図２に示すゲートスイッチ２１によって検出されたことといった、普通図柄表示器２０にて普通図柄の変動表示を実行するための普図始動条件が成立した後に、例えば前回の普図ゲームが終了したことといった、普通図柄の変動表示を開始するための普図開始条件が成立したことに基づいて、普通図柄表示器２０による普図ゲームが開始される。
【０１７７】
この普図ゲームでは、普通図柄の変動を開始させた後、普図変動時間となる所定時間が経過すると、普通図柄の変動表示結果となる確定普通図柄を停止表示（導出表示）する。このとき、確定普通図柄として、例えば「７」を示す数字といった、特定の普通図柄（普図当り図柄）が停止表示されれば、普通図柄の変動表示結果が「普図当り」となる。その一方、確定普通図柄として、例えば「７」を示す数字以外の数字や記号といった、普図当り図柄以外の普通図柄が停止表示されれば、普通図柄の変動表示結果が「普図はずれ」となる。普通図柄の変動表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【０１７８】
普通入賞球装置６Ａに形成された第１始動入賞口を通過（進入）した遊技球が図２に示す第１始動口スイッチ２２Ａによって検出されたことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、普通可変入賞球装置６Ｂに形成された第２始動入賞口を通過（進入）した遊技球が図２に示す第２始動口スイッチ２２Ｂによって検出されたことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【０１７９】
第１特別図柄表示器４Ａや第２特別図柄表示器４Ｂによる特図ゲームでは、特別図柄の変動表示を開始させた後、特図変動時間としての変動表示時間が経過すると、特別図柄の変動表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が確定特別図柄として停止表示されれば「はずれ」となる。尚、大当り図柄とは異なる所定の特別図柄（小当り図柄）が停止表示されるようにしても良く、これら所定表示結果としての所定の特別図柄（小当り図柄）が停止表示される場合には、大当り遊技状態とは異なる特殊遊技状態としての小当り遊技状態に制御すれば良い。
【０１８０】
特図ゲームでの変動表示結果が「大当り」になった後には、遊技者にとって有利なラウンド（「ラウンド遊技」ともいう）を所定回数実行する特定遊技状態としての大当り遊技状態に制御される。
【０１８１】
本実施例におけるパチンコ遊技機１では、一例として、「３」、「５」、「７」の数字を示す特別図柄を大当り図柄とし、「−」の記号を示す特別図柄をはずれ図柄としている。尚、第１特別図柄表示器４Ａによる特図ゲームにおける大当り図柄やはずれ図柄といった各図柄は、第２特別図柄表示器４Ｂによる特図ゲームにおける各図柄とは異なる特別図柄となるようにしてもよいし、双方の特図ゲームにおいて共通の特別図柄が大当り図柄やはずれ図柄となるようにしてもよい。
【０１８２】
特図ゲームにおける確定特別図柄として大当り図柄が停止表示されて特定表示結果としての「大当り」となった後、大当り遊技状態において、特別可変入賞球装置７の大入賞口扉が、所定の上限時間（例えば２９秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【０１８３】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。尚、ラウンドの実行回数が上限回数に達する前であっても、所定条件の成立（例えば大入賞口に遊技球が入賞しなかったことなど）により、ラウンドの実行が終了するようにしてもよい。
【０１８４】
大当り遊技状態におけるラウンドのうち、特別可変入賞球装置７を遊技者にとって有利な第１状態（開放状態）とする上限時間が比較的に長い時間（例えば２９秒など）となるラウンドは、通常開放ラウンドともいう。一方、特別可変入賞球装置７を第１状態（開放状態）とする上限時間が比較的に短い時間（例えば０．１秒など）となるラウンドは、短期開放ラウンドともいう。
【０１８５】
大当り図柄となる「３」、「５」、「７」の数字を示す特別図柄のうち、「７」の数字を示す特別図柄は後述する確変大当りＡに対応する大当り図柄となり、「５」の数字を示す特別図柄は後述する確変大当りＢに対応する大当り図柄となる。特図ゲームにおける確定特別図柄として、「３」または「７」の大当り図柄が導出された後に制御される大当り遊技状態（通常開放大当り状態）では、特別可変入賞球装置７の大入賞口扉が、所定の上限時間（例えば２９秒間）が経過するまでの期間、あるいは所定個数（例えば９個）の入賞球が発生するまでの期間にて大入賞口を開放状態とすることにより、特別可変入賞球装置７を遊技者にとって有利な第１状態（開放状態）に変化させるラウンドが第１回数（例えば、１６回）繰返し実行される。尚、通常開放大当り状態は、第１特定遊技状態ともいう。
【０１８６】
尚、大当り図柄となる「３」、「５」、「７」の数字を示す特別図柄のうち、「３」の数字を示す特別図柄は後述する非確変大当りに対応する大当り図柄となり、特別可変入賞球装置７の大入賞口扉が、所定の上限時間（例えば２９秒間）が経過するまでの期間、あるいは所定個数（例えば９個）の入賞球が発生するまでの期間にて大入賞口を開放状態とすることにより、特別可変入賞球装置７を遊技者にとって有利な第１状態（開放状態）に変化させるラウンドが、確変大当りＡと同じく第１回数（例えば、１６回）繰返し実行される。
【０１８７】
特図ゲームにおける確定特別図柄として、大当り図柄となる「３」、「５」、「７」の数字を示す特別図柄のうち、「５」の数字を示す特別図柄が導出された後に制御される大当り遊技状態（短期開放大当り状態）では、各ラウンドで特別可変入賞球装置７を遊技者にとって有利な第１状態に変化させる上限時間（大入賞口扉により大入賞口を開放状態とする期間の上限）が、通常開放大当り状態における所定期間と同じであるが、特別可変入賞球装置７を遊技者にとって有利な第１状態（開放状態）に変化させるラウンドが通常開放大当り状態における第１回数（例えば、１６回）よりも少ない第２回数（例えば、５回）繰返し実行される。尚、短期開放大当り状態は、第２特定遊技状態ともいう。尚、これら短期開放大当り状態では、ラウンド回数を第２回数である５回とした形態を例示しているが、ラウンド回数は通常開放大当り状態における第１回数（例えば、１６回）と同一とする一方、所定数（例えば６）以降の各ラウンドで特別可変入賞球装置７を遊技者にとって有利な第１状態に変化させる上限時間（大入賞口扉により大入賞口を開放状態とする期間の上限）を、通常開放大当り状態における第１期間よりも短い第２期間（例えば０．１秒間）とすることで、実質的なラウンド回数を通常開放大当り状態よりも少なくするようにしても良い。
【０１８８】
このような短期開放大当り状態では、ラウンド数が通常開放大当り状態よりも少ないことにより、通常開放大当り状態よりも獲得できる出玉（賞球）の期待値が少ない大当り状態であれば良い。尚、これら短期開放大当り状態では、全てのラウンドについて、大入賞口の開放期間を第２期間（０．１秒間など）とすることで、実質的には出玉（賞球）が得られない大当り遊技状態としても良い。すなわち、短期開放ラウンド特定遊技状態としての大当り遊技状態は、各ラウンドで大入賞口を遊技球が通過（進入）しやすい第１状態に変化させる期間が通常開放ラウンド特定遊技状態における第１期間よりも短い第２期間となることと、ラウンドの実行回数が通常開放ラウンド特定遊技状態における第１ラウンド数よりも少ない第２ラウンド数となることのうち、少なくともいずれか一方となることで、通常開放大当り状態よりも獲得可能な出玉（賞球）が少ないものであればよい。
【０１８９】
投影装置４００により投影されるスクリーンユニット３００や演出表示装置５では、第１特別図柄表示器４Ａにおける第１特図を用いた特図ゲームと、第２特別図柄表示器４Ｂにおける第２特図を用いた特図ゲームとのうち、いずれかの特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。
【０１９０】
ここで、リーチ状態とは、スクリーンユニット３００上や演出表示装置５上の領域にて停止表示された演出図柄が大当り組合せの一部を構成しているときに未だ停止表示されていない演出図柄（「リーチ変動図柄」ともいう）については変動が継続している表示状態、あるいは、全部又は一部の演出図柄が大当り組合せの全部又は一部を構成しながら同期して変動している表示状態のことである。具体的には、例えば、演出表示装置５の「左」、「中」、「右」の演出図柄変動エリア５Ｌ，５Ｃ，５Ｒにおける一部（例えば「左」及び「右」の演出図柄変動エリア５Ｌ，５Ｒなど）では予め定められた大当り組合せを構成する演出図柄（例えば「７」の英数字を示す演出図柄）が停止表示されているときに未だ停止表示していない残りの演出図柄変動エリア（例えば「中」の演出図柄変動エリア５Ｃなど）では演出図柄が変動している表示状態、あるいは、「左」、「中」、「右」の演出図柄変動エリア５Ｌ，５Ｃ，５Ｒにおける全部又は一部で演出図柄が大当り組合せの全部又は一部を構成しながら同期して変動している表示状態である。尚、これらリーチ状態は、スクリーンユニット３００における変動表示においても発生する。
【０１９１】
また、リーチ状態となったことに対応して、演出図柄の変動速度を低下させたり、スクリーンユニット３００や演出表示装置５に演出図柄とは異なるキャラクタ画像（人物等を模した演出画像）を表示させたり、背景画像の表示態様を変化させたり、演出図柄とは異なる動画像を再生表示させたり、演出図柄の変動態様を変化させたり、スクリーンユニット３００の形状を変化させたりすることで、リーチ状態となる以前とは異なる演出動作が実行される場合がある。このようなキャラクタ画像の表示や背景画像の表示態様の変化、動画像の再生表示、演出図柄の変動態様の変化といった演出動作を、リーチ演出表示（あるいは単にリーチ演出）という。尚、リーチ演出には、スクリーンユニット３００や演出表示装置５における表示動作のみならず、スピーカ８Ｌ，８Ｒ，８Ｕによる音声出力動作や、演出用ＬＥＤ９などの発光体における点灯動作（点滅動作）などを、リーチ状態となる以前の動作態様とは異なる動作態様とすることが、含まれていてもよい。
【０１９２】
リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「信頼度」あるいは「大当り信頼度」ともいう）が異なる。すなわち、複数種類のリーチ演出のいずれが実行されるかに応じて、変動表示結果が「大当り」となる可能性を異ならせることができる。
【０１９３】
一例として、本実施例では、前述したように、ノーマルリーチ、スーパーリーチα、スーパーリーチβといったリーチ態様が予め設定されている（図１１参照）。そして、スーパーリーチα、スーパーリーチβといったスーパーリーチのリーチ態様が出現した場合には、ノーマルリーチのリーチ態様が出現した場合に比べて、変動表示結果が「大当り」となる可能性（大当り期待度）が高くなる。更に、本実施例では、スーパーリーチα、スーパーリーチβといったスーパーリーチのリーチ態様においては、スーパーリーチβが出現した場合には、スーパーリーチαが出現した場合よりも変動表示結果が「大当り」となる大当り期待度が高い（大当り期待度：スーパーリーチβ＞スーパーリーチα＞ノーマルリーチ）。
【０１９４】
尚、本実施例では、後述するように、リーチにおいては、変動時間がスーパーリーチβ＞スーパーリーチα＞ノーマルリーチとなるように設定されており（図１１参照）、変動時間が長くなる程、大当り期待度が高くなるようになっている。
【０１９５】
演出図柄の変動表示中には、リーチ演出とは異なり、演出図柄の変動表示状態がリーチ状態となる可能性があることや、変動表示結果が「大当り」となる可能性があることなどを、演出図柄の変動表示態様などにより遊技者に報知するための「滑り」や「擬似連」といった変動表示演出が実行されることがあるようにしてもよい。これら「滑り」や「擬似連」の変動表示演出は、主基板１１の側で変動パターンが決定されることなどに対応して実行するか否かが決定されればよい。尚、「滑り」の変動表示演出は、主基板１１の側で決定された変動パターンにかかわらず、演出制御基板１２の側で実行するか否かが決定されてもよい。
【０１９６】
演出図柄の変動表示中には、リーチ演出などの変動表示演出とは異なり、例えば所定の演出画像を表示することや、メッセージとなる画像表示や音声出力、ＬＥＤ点灯などのように、演出図柄の変動表示動作とは異なる演出動作により、演出図柄の変動表示状態がリーチ状態となる可能性があることや、スーパーリーチによるリーチ演出が実行される可能性があること、変動表示結果が「大当り」となる可能性があることなどを、遊技者に予め報知するための予告演出が実行されることがある。予告演出となる演出動作は、スクリーンユニット３００上や演出表示装置５上の「左」、「中」、「右」の演出図柄変動エリアの全部にて演出図柄の変動表示が開始されてから、演出図柄の変動表示状態がリーチ状態となるより前（「左」及び「右」の演出図柄変動エリアにて演出図柄が仮停止表示されるより前）に実行（開始）されるものであればよい。また、変動表示結果が「大当り」となる可能性があることを報知する予告演出には、演出図柄の変動表示状態がリーチ状態となった後に実行されるものが含まれていてもよい。
【０１９７】
予告演出のうちには、保留表示予告演出となるものが含まれていてもよい。保留表示予告演出は、変動表示結果が「大当り」となる可能性などが、予告される対象となる変動表示を開始するより前に、特図ゲームの保留記憶表示などの表示態様の変化に基づいて示唆される予告演出である。特に、複数回の特図ゲームに対応して複数回実行される演出図柄の変動表示にわたり、変動表示結果が「大当り」となる可能性などを連続して予告する演出は、連続予告演出（連続演出）とも称される。尚、特図ゲームが１回実行される間に、演出図柄を一旦仮停止表示させた後、当該演出図柄を再び変動（擬似連変動、再変動）させる演出表示を所定回数行い、擬似的に複数回の変動表示が実行されているかのように見せる「擬似連」の変動表示演出を実行する遊技機においては、当該擬似的な複数回の変動表示にわたり、変動表示結果が「大当り」となる可能性などを連続して予告する予告演出も連続予告演出（連続演出）に含まれる。
【０１９８】
特図ゲームにおける確定特別図柄として、はずれ図柄となる特別図柄が停止表示（導出）される場合には、演出図柄の変動表示が開始されてから、演出図柄の変動表示状態がリーチ状態とならずに、所定の非リーチ組合せとなる確定演出図柄が停止表示されることがある。このような演出図柄の変動表示態様は、変動表示結果が「はずれ」となる場合における「非リーチ」（「通常はずれ」ともいう）の変動表示態様と称される。
【０１９９】
特図ゲームにおける確定特別図柄として、はずれ図柄となる特別図柄が停止表示（導出）される場合には、演出図柄の変動表示が開始されてから、演出図柄の変動表示状態がリーチ状態となったことに対応して、リーチ演出が実行された後に、あるいは、リーチ演出が実行されずに、所定のリーチはずれ組合せとなる確定演出図柄が停止表示されることがある。このような演出図柄の変動表示結果は、変動表示結果が「はずれ」となる場合における「リーチ」（「リーチはずれ」ともいう）の変動表示態様と称される。
【０２００】
特図ゲームにおける確定特別図柄として、大当り図柄となる特別図柄のうち「３」の数字を示す大当り図柄が停止表示される場合には、演出図柄の変動表示状態がリーチ状態となったことに対応して、所定のリーチ演出が実行された後に、複数種類の大当り組合せのうち、所定の通常大当り組合せ（「非確変大当り組合せ」ともいう）となる確定演出図柄が停止表示される。尚、リーチ演出が実行されずに、確定演出図柄として非確変大当り組合せを停止表示しても良い。
【０２０１】
通常大当り組合せ（非確変大当り組合せ）となる確定演出図柄は、例えば、スクリーンユニット３００上や演出表示装置５上において変動表示される図柄番号が「１」〜「８」の演出図柄のうち、図柄番号が偶数「２」、「４」、「６」、「８」である演出図柄のいずれか１つが、「左」、「中」、「右」の各演出図柄変動エリアにて所定の有効ライン上に揃って停止表示されるものであればよい。通常大当り組合せを構成する図柄番号が偶数「２」、「４」、「６」、「８」である演出図柄は、通常図柄（「非確変図柄」ともいう）と称される。
【０２０２】
特図ゲームにおける確定特別図柄が通常大当り図柄となることに対応して、所定のリーチ演出が実行された後に、通常大当り組合せ（非確変大当り組合せ）の確定演出図柄が停止表示される演出図柄の変動表示態様は、変動表示結果が「大当り」となる場合における「非確変」（「通常大当り」ともいう）の変動表示態様（「大当り種別」ともいう）と称される。尚、リーチ演出が実行されずに、確定演出図柄として通常大当り組合せ（非確変大当り組合せ）を停止表示しても良い。「非確変」の大当り種別で変動表示結果が「大当り」となったことに基づいて、通常開放大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、後述するように普通図柄の当選頻度が高められて、普通可変入賞球装置６Ｂへの入賞頻度が高められる、いわゆる電チューサポートが実施される。ここで、通常状態とは、大当り遊技状態等の特定遊技状態などとは異なる通常遊技状態であり、パチンコ遊技機１の初期設定状態（例えばシステムリセットが行われた場合のように、電源投入後に初期化処理を実行した状態）と同一の制御が行われる。時短制御は、大当り遊技状態の終了後に所定回数（例えば１００回）の特図ゲームが実行されることと、変動表示結果が「大当り」となることのうち、いずれかの条件が先に成立したときに、終了すればよい。
【０２０３】
特図ゲームにおける確定特別図柄として、大当り図柄となる特別図柄のうち、「７」の数字を示す特別図柄といった確変大当り図柄が停止表示される場合には、演出図柄の変動表示状態がリーチ状態となったことに対応して、演出図柄の変動表示態様が「通常」である場合と同様のリーチ演出が実行された後に、複数種類の大当り組合せのうち、所定の確変大当り組合せとなる確定演出図柄が停止表示されることがある。尚、リーチ演出が実行されずに、確定演出図柄として確変大当り組合せを停止表示しても良い。確変大当り組合せとなる確定演出図柄は、例えば、スクリーンユニット３００上や演出表示装置５上において変動表示される図柄番号が「１」〜「８」の演出図柄のうち、図柄番号が「７」である演出図柄が、「左」、「中」、「右」の各演出図柄変動エリアにて所定の有効ライン上に揃って停止表示されるものであればよい。確変大当り組合せを構成する図柄番号が「７」である演出図柄は、確変図柄と称される。特図ゲームにおける確定特別図柄として確変大当り図柄が停止表示される場合に、演出図柄の変動表示結果として、通常大当り組合せとなる確定演出図柄が停止表示されることがあるようにしてもよい。
【０２０４】
特図ゲームにおける確定特別図柄として、短期開放ラウンド大当り図柄となる特別図柄のうち、「５」の数字を示す特別図柄といった確変大当り図柄が停止表示される場合には、演出図柄の変動表示状態がリーチ状態となったことに対応して、演出図柄の変動表示態様が「通常」である場合と同様のリーチ演出が実行された後に、複数種類の大当り組合せのうち、所定の確変大当り組合せとなる確定演出図柄が停止表示されることがある。尚、リーチ演出が実行されずに、確定演出図柄として確変大当り組合せを停止表示しても良い。確変大当り組合せとなる確定演出図柄は、例えば、スクリーンユニット３００上や演出表示装置５上において変動表示される図柄番号が「１」〜「８」の演出図柄のうち、図柄番号が「７」以外の奇数「１」、「３」、「５」である演出図柄のいずれか１つが、「左」、「中」、「右」の各演出図柄変動エリアにて所定の有効ライン上に揃って停止表示されるものであればよい。確変大当り組合せを構成する図柄番号が「１」、「３」、「５」である演出図柄は、上記した「７」である演出図柄と同様に確変図柄と称される。尚、特図ゲームにおける確定特別図柄として確変大当り図柄が停止表示される場合には、演出図柄の変動表示結果として、通常大当り組合せとなる確定演出図柄が停止表示されることがあるようにしてもよい。
【０２０５】
確定演出図柄が通常大当り組合せであるか確変大当り組合せであるかにかかわらず、特図ゲームにおける確定特別図柄として確変大当り図柄が停止表示される変動表示態様は、変動表示結果が「大当り」となる場合における「確変」の変動表示態様（「大当り種別」ともいう）と称される。尚、本実施例では、「確変」の大当り種別のうち、確定特別図柄として「７」の変動表示結果にて「大当り」となったことに基づいて、通常開放大当り状態に制御され、その終了後には、時短制御とともに確率変動制御（確変制御）が行われる。一方、「確変」の大当り種別のうち、確定特別図柄として「５」の変動表示結果にて「大当り」となったことに基づいて、短期開放大当り状態に制御され、その終了後には、時短制御とともに確率変動制御（確変制御）が行われる。
【０２０６】
これら確変制御が行われることにより、各回の特図ゲームにおいて変動表示結果（特図表示結果）が「大当り」となる確率は、通常状態に比べて高くなるように向上する。確変制御は、大当り遊技状態の終了後に変動表示結果が「大当り」となって再び大当り遊技状態に制御されるという条件が成立したときに、終了すればよい。尚、時短制御と同様に、大当り遊技状態の終了後に所定回数（例えば時短回数と同じ１００回や、時短回数とは異なる９０回）の特図ゲームが実行されたときに、確変制御を終了してもよい。また、大当り遊技状態の終了後に特図ゲームが開始されるごとに実行される確変転落抽選にて確変制御を終了させる「確変転落あり」の決定がなされたときに、確変制御を終了してもよい。
【０２０７】
時短制御が行われるときには、普通図柄表示器２０による普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御（電チューサポート制御）が行われる。このように、時短制御に伴い第２始動入賞口に遊技球が進入しやすくして遊技者にとって有利となる制御は、高開放制御ともいう。高開放制御としては、これらの制御のいずれか１つが行われるようにしてもよいし、複数の制御が組み合わせられて行われるようにしてもよい。
【０２０８】
高開放制御が行われることにより、第２始動入賞口は、高開放制御が行われていないときよりも拡大開放状態となる頻度が高められる。これにより、第２特別図柄表示器４Ｂにおける第２特図を用いた特図ゲームを実行するための第２始動条件が成立しやすくなり、特図ゲームが頻繁に実行可能となることで、次に変動表示結果が「大当り」となるまでの時間が短縮される。高開放制御が実行可能となる期間は、高開放制御期間ともいい、この期間は、時短制御が行われる期間と同一であればよい。
【０２０９】
時短制御と高開放制御がともに行われる遊技状態は、時短状態あるいは高ベース状態ともいう。また、確変制御が行われる遊技状態は、確変状態あるいは高確状態ともいう。確変制御とともに時短制御や高開放制御が行われる遊技状態は、高確高ベース状態とも称される。尚、本実施例では制御される遊技状態としては設定されていないが、確変制御のみが行われて時短制御や高開放制御が行われない確変状態は、高確低ベース状態とも称される。また、確変制御とともに時短制御や高開放制御が行われる遊技状態のみを、特に「確変状態」ということもあり、高確低ベース状態とは区別するために、時短付確変状態ということもある。一方、確変制御のみが行われて時短制御や高開放制御が行われない確変状態（高確低ベース状態）は、高確高ベース状態と区別するために、時短なし確変状態ということもある。確変制御が行われずに時短制御や高開放制御が行われる時短状態は、低確高ベース状態とも称される。確変制御や時短制御および高開放制御がいずれも行われない通常状態は、低確低ベース状態とも称される。通常状態以外の遊技状態において時短制御や確変制御の少なくともいずれかが行われるときには、特図ゲームが頻繁に実行可能となることや、各回の特図ゲームにおける変動表示結果が「大当り」となる確率が高められることにより、遊技者にとって有利な状態となる。大当り遊技状態とは異なる遊技者にとって有利な遊技状態は、特別遊技状態とも称される。
【０２１０】
確定演出図柄が非確変大当り組合せや確変大当り組合せとなる演出図柄の変動表示中には、再抽選演出を実行しても良い。再抽選演出では、スクリーンユニット３００や演出表示装置５に通常大当り組合せとなる演出図柄を仮停止表示させた後に、例えば「左」、「中」、「右」の各演出図柄変動エリアにて同一の演出図柄が揃った状態で再び変動させ、確変大当り組合せとなる演出図柄（確変図柄）と、通常大当り組合せとなる演出図柄（通常図柄）のうちいずれかを、確定演出図柄として停止表示（最終停止表示）させる。ここで、大当り種別が「非確変」である場合に再抽選演出が実行されるときには、その再抽選演出として、仮停止表示させた演出図柄を再変動させた後に通常大当り組合せとなる確定演出図柄を導出表示する再抽選落選演出が行われば良い。これに対して、大当り種別が「確変」である場合に再抽選演出が実行されるときには、その再抽選演出として、仮停止表示させた演出図柄を再変動させた後に確変大当り組合せとなる確定演出図柄を停止表示する再抽選当選演出が実行されることもあれば、再抽選落選演出が実行されることもある。
【０２１１】
通常大当り組合せ（非確変大当り組合せ）となる確定演出図柄が導出表示された後には、大当り遊技状態の開始時や大当り遊技状態におけるラウンドの実行中、大当り遊技状態においていずれかのラウンドが終了してから次のラウンドが開始されるまでの期間、大当り遊技状態において最終のラウンドが終了してから次の変動表示ゲームが開始されるまでの期間などにて、確変状態に制御するか否かの確変報知演出となる大当り中昇格演出が実行されてもよい。尚、大当り中昇格演出と同様の報知演出が、大当り遊技状態の終了後における最初の変動表示ゲーム中などにて実行されてもよい。大当り遊技状態において最終のラウンドが終了してから実行される大当り中昇格演出を、特に「エンディング昇格演出」ということもある。
【０２１２】
大当り中昇格演出には、確定演出図柄が通常大当り組合せであるにもかかわらず遊技状態が確変状態となる昇格がある旨を報知する大当り中昇格成功演出と、確変状態となる昇格がない旨を報知する大当り中昇格失敗演出とがある。例えば、大当り中昇格演出では、スクリーンユニット３００や演出表示装置５にて演出図柄を変動表示させて通常図柄と確変図柄のいずれかを演出表示結果として停止表示させること、あるいは、演出図柄の変動表示とは異なる演出画像の表示を行うことなどにより、確変状態となる昇格の有無を、遊技者が認識できるように報知すればよい。
【０２１３】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。尚、遊技制御メイン処理では、パチンコ遊技機１の内部状態を前回の電力供給停止時における状態に復帰させるための処理を実行してから、ループ処理に入るようにしてもよい。
【０２１４】
こうした遊技制御メイン処理を実行したＣＰＵ１０３は、ＣＴＣからの割込み要求信号を受信して割込み要求を受け付けると、図１４のフローチャートに示す遊技制御用タイマ割込み処理を実行する。図１４に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する（Ｓ１１）。続いて、所定のメイン側エラー処理を実行することにより、パチンコ遊技機１の異常診断を行い、その診断結果に応じて必要ならば警告を発生可能とする（Ｓ１２）。この後、所定の情報出力処理を実行することにより、例えばパチンコ遊技機１の外部に設置されたホール管理用コンピュータに供給される大当り情報、始動情報、確率変動情報などのデータを出力する（Ｓ１３）。
【０２１５】
情報出力処理に続いて、主基板１１の側で用いられる乱数値ＭＲ１〜ＭＲ４といった遊技用乱数の少なくとも一部をソフトウェアにより更新するための遊技用乱数更新処理を実行する（Ｓ１４）。この後、ＣＰＵ１０３は、特別図柄プロセス処理を実行する（Ｓ１５）。特別図柄プロセス処理では、遊技制御フラグ設定部に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために、各種の処理が選択されて実行される。
【０２１６】
特別図柄プロセス処理に続いて、普通図柄プロセス処理が実行される（Ｓ１６）。ＣＰＵ１０３は、普通図柄プロセス処理を実行することにより、普通図柄表示器２０における表示動作（例えばセグメントＬＥＤの点灯、消灯など）を制御して、普通図柄の変動表示や普通可変入賞球装置６Ｂにおける可動翼片の傾動動作設定などを可能にする。
【０２１７】
普通図柄プロセス処理を実行した後、ＣＰＵ１０３は、コマンド制御処理を実行することにより、主基板１１から演出制御基板１２などのサブ側の制御基板に対して制御コマンドを伝送させる（Ｓ１７）。これらの一例として、コマンド制御処理では、遊技制御バッファ設定部に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能とする。コマンド制御処理を実行した後には、割込み許可状態に設定してから、遊技制御用タイマ割込み処理を終了する。
【０２１８】
図１５は、特別図柄プロセス処理として、図１４に示すＳ１５にて実行される処理の一例を示すフローチャートである。この特別図柄プロセス処理において、ＣＰＵ１０３は、まず、始動入賞処理を実行する（Ｓ２１）。該始動入賞処理を実行した後、ＣＰＵ１０３は、遊技制御フラグ設定部に設けられた特図プロセスフラグの値に応じて、Ｓ２２〜Ｓ２９の処理のいずれかを選択して実行する。
【０２１９】
Ｓ２１の始動入賞処理では、第１始動口スイッチ２２Ａや第２始動口スイッチ２２Ｂによる第１始動入賞や第２始動入賞があったか否かを判定し、入賞があった場合には、特図表示結果判定用の乱数値ＭＲ１、大当り種別判定用の乱数値ＭＲ２、変動パターン判定用の乱数値ＭＲ３を抽出して、第１始動入賞である場合には、第１特図保留記憶部における空きエントリの最上位に格納し、第２始動入賞である場合には、第２特図保留記憶部における空きエントリの最上位に格納する。
【０２２０】
Ｓ２２の特別図柄通常処理は、特図プロセスフラグの値が“０”のときに実行される。図１６は、特別図柄通常処理の一例を示すフローチャートである。図１６に示す特別図柄通常処理において、ＣＰＵ１０３は、まず、第２特図保留記憶数が「０」であるか否かを判定する（Ｓ１４１）。第２特図保留記憶数は、第２特別図柄表示器４Ｂによる第２特図を用いた特図ゲームの保留記憶数である。例えば、Ｓ１４１の処理では、遊技制御カウンタ設定部に記憶されている第２保留記憶数カウント値を読み出し、その読出値が「０」であるか否かを判定すればよい。
【０２２１】
Ｓ１４１にて第２特図保留記憶数が「０」以外であるときには（Ｓ１４１；Ｎ）、第２特図保留記憶部にて保留番号「１」に対応して記憶されている保留データとして、特図表示結果判定用の乱数値ＭＲ１、大当り種別判定用の乱数値ＭＲ２、変動パターン判定用の乱数値ＭＲ３を示す数値データをそれぞれ読み出す（Ｓ１４２）。このとき読み出された数値データは、例えば変動用乱数バッファなどに格納されて、一時記憶されればよい。
【０２２２】
Ｓ１４２の処理に続いて、第２特図保留記憶数カウント値や合計保留記憶数カウント値を１減算して更新することなどにより、第２特図保留記憶数と合計保留記憶数を１減算させるように更新するとともに、第２特図保留記憶部のデータを更新する。具体的には、第２特図保留記憶部にて保留番号「１」より下位のエントリ（例えば保留番号「２」〜「４」に対応するエントリ）に格納された乱数値ＭＲ１〜ＭＲ３を示す保留データを、１エントリずつ上位にシフトする（Ｓ１４３）。
【０２２３】
その後、変動特図指定バッファの格納値である変動特図指定バッファ値を「２」に更新した後（Ｓ１４４）、Ｓ１４９に移行する。
【０２２４】
一方、Ｓ１４１にて第２特図保留記憶数が「０」であるときには（Ｓ１４１；Ｙ）、第１特図保留記憶数が「０」であるか否かを判定する（Ｓ１４５）。第１特図保留記憶数は、第１特別図柄表示器４Ａによる第１特図を用いた特図ゲームの保留記憶数である。例えば、Ｓ１４５の処理では、遊技制御カウンタ設定部にて第１保留記憶数カウンタが記憶する第１保留記憶数カウント値を読み出し、その読出値が「０」であるか否かを判定すればよい。このように、Ｓ１４５の処理は、Ｓ１４１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０２２５】
尚、第２特図を用いた特図ゲームが第１特図を用いた特図ゲームよりも優先して実行されるものに限定されず、例えば第１始動入賞口や第２始動入賞口を遊技球が進入（通過）して始動入賞が発生した順に、特図ゲームの実行が開始されるようにしてもよい。この場合には、始動入賞が発生した順番を特定可能なデータを記憶するテーブルを設けて、その記憶データから第１特図と第２特図のいずれを用いた特図ゲームの実行を開始するかを決定できればよい。
【０２２６】
Ｓ１４５にて第１特図保留記憶数が「０」以外であるときには（Ｓ１４５；Ｎ）、第１特図保留記憶部にて保留番号「１」に対応して記憶されている保留データとして、特図表示結果判定用の乱数値ＭＲ１、大当り種別判定用の乱数値ＭＲ２、変動パターン判定用の乱数値ＭＲ３を示す数値データをそれぞれ読み出す（Ｓ１４６）。このとき読み出された数値データは、例えば変動用乱数バッファなどに格納されて、一時記憶されればよい。
【０２２７】
Ｓ１４６の処理に続いて、第１特図保留記憶数カウント値や合計保留記憶数カウント値を１減算して更新することなどにより、第１特図保留記憶数と合計保留記憶数を１減算させるように更新するとともに、第１特図保留記憶部のデータを更新する。具体的には、第１特図保留記憶部にて保留番号「１」より下位のエントリ（例えば保留番号「２」〜「４」に対応するエントリ）に格納された乱数値ＭＲ１〜ＭＲ３を示す保留データを、１エントリずつ上位にシフトする（Ｓ１４７）。
【０２２８】
その後、変動特図指定バッファの格納値である変動特図指定バッファ値を「１」に更新した後（Ｓ１４８）、Ｓ１４９に移行する。
【０２２９】
Ｓ１４９においては、特別図柄の変動表示結果である特図表示結果を「大当り」と「はずれ」のいずれとするかを決定するための使用テーブルとして、図１２に示す表示結果判定テーブルを選択してセットする。続いて、変動用乱数バッファに格納された特図表示結果判定用の乱数値ＭＲ１を示す数値データを、「大当り」や「はずれ」の各特図表示結果に割り当てられた判定値と比較して、特図表示結果を「大当り」と「はずれ」のいずれとするかを決定する（Ｓ１５０）。尚、このＳ１５０においては、その時点の遊技状態が、確変フラグがセットされている高確状態であれば、特図表示結果判定用の乱数値ＭＲ１が１００００〜１２１８０の範囲に該当すれば「大当り」と判定し、該当しなければ「はずれ」と判定する。また、確変フラグがセットされていない低確状態であれば、特図表示結果判定用の乱数値ＭＲ１が１〜２１９の範囲に該当すれば「大当り」と判定し、該当しなければ「はずれ」と判定する。
【０２３０】
このように、Ｓ１４９で選択される特図表示結果判定テーブルにおいては、その時点の遊技状態（高確、低確）に対応して異なる判定値が「大当り」に割り当てられていることから、Ｓ１５０の処理では、特図ゲームなどの変動表示が開始されるときの遊技状態が高確状態であるか否かに応じて、異なる判定用データ（判定値）を用いて特図表示結果を「大当り」とするか否かが決定されることで、遊技状態が高確状態である場合には、低確状態である場合よりも高確率で「大当り」と判定される。
【０２３１】
Ｓ１５０にて特図表示結果を決定した後には、その特図表示結果が「大当り」であるか否かを判定する（Ｓ１５１）。そして、「大当り」であると判定された場合には（Ｓ１５１；Ｙ）、遊技制御フラグ設定部に設けられた大当りフラグをオン状態にセットする（Ｓ１５２）。このときには、大当り種別を複数種類のいずれかに決定するための使用テーブルとして、図１３（Ａ）に示す大当り種別判定テーブルを選択してセットする（Ｓ１５３）。こうしてセットされた大当り種別判定テーブルを参照することにより、変動用乱数バッファに格納された大当り種別判定用の乱数値ＭＲ２を示す数値データと、大当り種別判定テーブルにおいて「非確変」、「確変Ａ」、「確変Ｂ」の各大当り種別に割り当てられた判定値のいずれと合致するかに応じて、大当り種別を複数種別のいずれとするかを決定する（Ｓ１５４）。
【０２３２】
Ｓ１５４の処理にて大当り種別を決定することにより、大当り遊技状態の終了後における遊技状態を、時短状態と、時短状態よりも遊技者にとって有利度が高い確変状態とのうち、いずれの遊技状態に制御するかが、変動表示結果としての確定特別図柄が導出される以前に決定されることになる。こうして決定された大当り種別に対応して、例えば遊技制御バッファ設定部に設けられた大当り種別バッファの格納値である大当り種別バッファ値を設定することなどにより（Ｓ１５５）、決定された大当り種別を記憶する。一例として、大当り種別が非確変大当りに対応する「非確変」であれば大当り種別バッファ値を「０」とし、確変大当りＡに対応する「確変Ａ」であれば「１」とし、確変大当りＢに対応する「確変Ｂ」であれば「２」とすればよい。
【０２３３】
一方、Ｓ１５１にて「大当り」ではないと判定された場合には（Ｓ１５１；Ｎ）、Ｓ１５６に進む。
【０２３４】
Ｓ１５６においては、大当り遊技状態に制御するか否か（大当りフラグがセットされているか否か）の事前決定結果、さらには、大当り遊技状態とする場合における大当り種別の決定結果に対応して、確定特別図柄を設定する。一例として、特図表示結果を「はずれ」とする旨の事前決定結果に対応して、はずれ図柄となる「−」の記号を示す特別図柄を、確定特別図柄に設定する。また、Ｓ１５１にて特図表示結果が「大当り」であると判定された場合には、Ｓ１５４における大当り種別の決定結果に応じて、大当り図柄となる「３」、「５」、「７」の数字を示す特別図柄のいずれかを、確定特別図柄に設定する。すなわち、大当り種別を「非確変」とする決定結果に応じて「３」の数字を示す特別図柄を、確定特別図柄に設定する。また、大当り種別を「確変Ａ」とする決定結果に応じて「７」の数字を示す特別図柄を、確定特別図柄に設定する。大当り種別を「確変Ｂ」とする決定結果に応じて「５」の数字を示す特別図柄を、確定特別図柄に設定する。
【０２３５】
Ｓ１５６にて確定特別図柄を設定した後には、特図プロセスフラグの値を変動パターン設定処理に対応した値である“１”に更新してから（Ｓ１５７）、特別図柄通常処理を終了する。
【０２３６】
尚、Ｓ１４５にて第１特図を用いた特図ゲームの保留記憶数が「０」である場合には（Ｓ１４５；Ｙ）、所定のデモ表示設定を行ってから（Ｓ１５８）、特別図柄通常処理を終了する。このデモ表示設定では、例えば、図２５に示すように、投影装置４００による投影によってスクリーンユニット３００に所定の演出画像を表示することなどによるデモンストレーション表示（デモ画面表示）を指定する演出制御コマンド（デモ表示可能コマンド）が、主基板１１から演出制御基板１２に対して送信済みであるか否かを判定する。このとき、既に、デモ表示可能コマンドを送信済みであれば、そのままデモ表示設定を終了する。これに対して、未送信であれば、デモ表示可能コマンドを送信するための設定を行ってから、デモ表示設定を終了する。
【０２３７】
図１５に戻って、Ｓ２３の変動パターン設定処理は、特図プロセスフラグの値が“１”のときに実行される。この変動パターン設定処理においては、特別図柄通常処理において変動表示結果を「大当り」とするか否かの事前決定結果などに基づき、変動パターン判定用の乱数値ＭＲ３を示す数値データを用いて実行する変動パターンを、図１１に示す変動パターンのうちのいずれとするかを決定する処理、決定した変動パターンを通知する変動パターン指定コマンドや、変動表示結果指定コマンドを送信設定する処理、決定した変動パターンに対応する変動時間の変動時間タイマを設定する等の決定した変動パターンによる特別図柄の変動表示を開始するための設定を行う処理などが含まれている。尚、変動パターンの決定は、事前決定結果が「大当り」である場合と「はずれ」である場合とで異なる判定テーブルを用いて実行されることで、前述したように、各変動パターンの期待度が異なるように設定されているともに、合計保留記憶数や時短フラグがセットされているか否かにより、前述したはずれ用変動パターン判定テーブルＡ〜Ｄを用いて実行されることで、合計保留記憶数が多い場合や時短フラグがセットされている場合には、短い変動時間の変動パターンが多く決定されることにより単位時間当りに実行される変動表示の回数が増加して、無駄な始動入賞の発生を低減できるように設定されている。変動パターン設定処理が実行されて特別図柄の変動表示が開始されたときには、特図プロセスフラグの値が“２”に更新される。
【０２３８】
このように、Ｓ２２の特別図柄通常処理やＳ２３の変動パターン設定処理により、特別図柄の変動表示結果となる確定特別図柄や特別図柄および演出図柄の変動表示時間を含む変動パターンが決定される。すなわち、特別図柄通常処理や変動パターン設定処理は、特図表示結果判定用の乱数値ＭＲ１、大当り種別判定用の乱数値ＭＲ２、変動パターン判定用の乱数値ＭＲ３を用いて、特別図柄や演出図柄の変動表示態様を決定する処理を含んでいる。
【０２３９】
Ｓ２４の特別図柄変動処理は、特図プロセスフラグの値が“２”のときに実行される。この特別図柄変動処理には、第１特別図柄表示器４Ａや第２特別図柄表示器４Ｂにおいて特別図柄を変動させるための設定を行う処理や、その特別図柄が変動を開始してからの経過時間を計測する処理などが含まれている。例えば、Ｓ２４の特別図柄変動処理が実行されるごとに、遊技制御タイマ設定部に設けられた特図変動タイマにおける格納値である特図変動タイマ値を１減算あるいは１加算して、第１特別図柄表示器４Ａにおける第１特図を用いた特図ゲームであるか、第２特別図柄表示器４Ｂにおける第２特図を用いた特図ゲームであるかにかかわらず、共通のタイマによって経過時間の測定が行われる。また、計測された経過時間が変動パターンに対応する特図変動時間に達したか否かの判定も行われる。このように、Ｓ２４の特別図柄変動処理は、第１特別図柄表示器４Ａにおける第１特図を用いた特図ゲームでの特別図柄の変動や、第２特別図柄表示器４Ｂにおける第２特図を用いた特図ゲームでの特別図柄の変動を、共通の処理ルーチンによって制御する処理となっていればよい。そして、特別図柄の変動を開始してからの経過時間が特図変動時間に達したときには、特図プロセスフラグの値が“３”に更新される。
【０２４０】
Ｓ２５の特別図柄停止処理は、特図プロセスフラグの値が“３”のときに実行される。この特別図柄停止処理には、第１特別図柄表示器４Ａや第２特別図柄表示器４Ｂにて特別図柄の変動を停止させ、特別図柄の変動表示結果となる確定特別図柄を停止表示（導出）させるための設定を行う処理、図柄確定コマンドを送信設定する処理、時短回数カウンタを減算更新するととともに減算更新後の時短回数カウンタが０である場合に時短フラグをクリアする処理、大当りフラグがセットされている場合（当該変動表示で大当り図柄を導出表示した場合）に大当り開始指定コマンドを送信設定する処理、大当り表示時間タイマに大当り表示時間（大当りが発生したことを、例えば、スクリーンユニット３００の投影画像や演出表示装置５において報知する時間）に相当する値を設定する処理等が含まれている。そして、遊技制御フラグ設定部に設けられた大当りフラグがオンとなっているか否かの判定などが行われ、大当りフラグがオンである場合には特図プロセスフラグの値が“４”に更新される。その一方で、大当りフラグがオフである場合には、特図プロセスフラグの値が“０”に更新される。
【０２４１】
Ｓ２６の大当り開放前処理は、特図プロセスフラグの値が“４”のときに実行される。この大当り開放前処理には、変動表示結果が「大当り」となったことなどに基づき、大当り遊技状態においてラウンドの実行を開始して大入賞口を開放状態とするための設定を行う処理などが含まれている。このときには、例えば大当り種別が「非確変大当り」、「確変大当りＡ」、「確変大当りＢ」のいずれであるかに対応して、大入賞口を開放状態とする期間の上限を設定するようにしてもよい。一例として、大当り種別に関係なく、大入賞口を開放状態とする期間の上限を「２９秒」に設定するとともに、ラウンドを実行する上限回数となる大入賞口の開放回数を、「非確変大当り」または「確変大当りＡ」である場合には、「１６回」に設定することにより、通常開放大当り状態とする設定が行われればよい。一方、大当り種別が「確変大当りＢ」である場合には、ラウンドを実行する上限回数となる大入賞口の開放回数を「５回」に設定することにより、短期開放大当り状態とする設定が行われればよい。このときには、特図プロセスフラグの値が“５”に更新される。
【０２４２】
Ｓ２７の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新される。
【０２４３】
Ｓ２８の大当り開放後処理は、特図プロセスフラグの値が“６”のときに実行される。この大当り開放後処理には、大入賞口を開放状態とするラウンドの実行回数が大入賞口開放回数最大値に達したか否かを判定する処理や、大入賞口開放回数最大値に達した場合に大当り終了指定コマンドを送信するための設定を行う処理などが含まれている。そして、ラウンドの実行回数が大入賞口開放回数最大値に達していないときには、特図プロセスフラグの値が“５”に更新される一方、大入賞口開放回数最大値に達したときには、特図プロセスフラグの値が“７”に更新される。
【０２４４】
Ｓ２９の大当り終了処理は、特図プロセスフラグの値が“７”のときに実行される。この大当り終了処理には、投影装置４００とスクリーンユニット３００、演出表示装置５、スピーカ８Ｌ，８Ｒ，８Ｕ、演出用ＬＥＤ９などといった演出装置により、大当り遊技状態の終了を報知する演出動作としてのエンディング演出が実行される期間をセットし、該セットした期間（大当り終了表示時間）に対応した待ち時間が経過するまで待機する処理や、大当り遊技状態の終了に対応して確変制御や時短制御を開始するための各種の設定（大当りフラグのクリア、大当り終了指定コマンドの送信設定、確変フラグや時短フラグのセット、時短回数カウンタのセット）を行う処理などが含まれている。こうした設定が行われたときには、特図プロセスフラグの値が“０”に更新される。
【０２４５】
尚、大当り終了処理においては、遊技制御バッファ設定部に記憶されている大当り種別バッファ値を読み出して、大当り種別が「非確変大当り」、「確変大当りＡ」、「確変大当りＢ」のいずれであったかを特定する。そして、特定した大当り種別が「非確変大当り」ではないと判定された場合には、確変制御を開始するための設定（確変フラグのセット）を行う。
【０２４６】
また、特定した大当り種別が「非確変大当り」である場合には、時短制御を開始するための設定（時短フラグのセットと時短制御中に実行可能な特図ゲームの上限値に対応して予め定められたカウント初期値（本実施例では「１００」）を時短回数カウンタにセット）を行う。
【０２４７】
次に、演出制御基板１２の動作を説明する。図１７は、演出制御基板１２に搭載されている演出制御用ＣＰＵ１２０が実行する演出制御メイン処理を示すフローチャートである。演出制御用ＣＰＵ１２０は、電源が投入されると、メイン処理の実行を開始する。メイン処理では、まず、ＲＡＭ領域のクリアや各種初期値の設定、また演出制御の起動間隔（例えば、２ｍｓ）を決めるためのタイマの初期設定等を行うための初期化処理を行う（Ｓ５０）。そして、役物装置３１０Ａ，３１０Ｂ、投影装置４００、スクリーンユニット３００等の各演出装置の起動タイミングを設定するための演出装置起動設定処理を行う（Ｓ５１）。その後、演出制御用ＣＰＵ１２０は、タイマ割込フラグの監視（Ｓ５２）を行うループ処理に移行する。タイマ割込が発生すると、演出制御用ＣＰＵ１２０は、タイマ割込処理においてタイマ割込フラグをセットする。メイン処理において、タイマ割込フラグがセット（オン）されていたら、演出制御用ＣＰＵ１２０は、そのフラグをクリアし（Ｓ５３）、以下の処理を実行する。
【０２４８】
演出制御用ＣＰＵ１２０は、まず、受信した演出制御コマンドを解析し、受信した演出制御コマンドに応じたフラグをセットする処理等を行う（コマンド解析処理：Ｓ５４）。このコマンド解析処理において演出制御用ＣＰＵ１２０は、受信コマンドバッファに格納されている主基板１１から送信されてきたコマンドの内容を確認する。尚、遊技制御用マイクロコンピュータ１００から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図９参照）であるのか解析する。
【０２４９】
そして、演出制御用ＣＰＵ１２０は、一斉演出処理を行う（Ｓ５５）。一斉演出処理では、ＲＴＣ１２６から取得した日付時刻データから特定される日付時刻が、一斉演出の開始時刻となったときに、隣接する他のパチンコ遊技機１と連動（同期）した一斉演出を実行するための各種制御処理を実行する。
【０２５０】
次いで、演出制御用ＣＰＵ１２０は、演出制御プロセス処理を行う（Ｓ５６）。演出制御プロセス処理では、制御状態に応じた各プロセスのうち、現在の制御状態（演出制御プロセスフラグ）に対応した処理を選択して投影装置４００や演出表示装置５の制御や、スピーカ８Ｌ，８Ｒ，８Ｕからの効果音の出力制御や、演出用ＬＥＤ９の点灯制御や、スクリーンユニット３００や役物装置３１０Ａ，３１０Ｂの制御等を実行する。
【０２５１】
次いで、大当り図柄判定用乱数などの演出用乱数を生成するためのカウンタのカウント値を更新する演出用乱数更新処理を実行し（Ｓ５７）、デモ演出を実行するための各種制御処理を含むデモ演出処理を実行した後（Ｓ５８）、Ｓ５２に移行する。
【０２５２】
ここで、本実施例の演出装置起動設定処理（Ｓ５１）について、図２７を用いて以下に説明する。
【０２５３】
本実施例の演出装置起動設定処理において演出制御用ＣＰＵ１２０は、各演出装置である投影装置４００、スクリーンユニット３００（スクリーン用モータ３０４Ａ，３０４Ｂ）、役物装置３１０Ａ，３１０Ｂ（可動役物用モータ３１１Ａ，３１１Ｂ）の起動タイミングがそれぞれ異なるタイミングとなるように設定する。
【０２５４】
具体的には、図２７に示すように、投影装置４００、スクリーンユニット３００（スクリーン用モータ３０４Ａ，３０４Ｂ）を起動（動作開始）させる前に、役物装置３１０Ａ，３１０Ｂの可動役物用モータ３１１Ａ，３１１Ｂを起動して、動作確認用初期動作をさせるための設定を行うとともに、投影装置４００を起動して暖機運転を開始させる起動タイミングとして、役物装置３１０Ａ，３１０Ｂの動作確認用初期動作が完了した直後のタイミングを設定し、スクリーンユニット３００のスクリーン用モータ３０４Ａ，３０４Ｂを起動して動作確認用初期動作を開始させるタイミングとして、投影装置４００が起動して暖機運転が完了した直後のタイミングを設定する。
【０２５５】
つまり、役物装置３１０Ａ，３１０Ｂの動作確認用初期動作の期間と、投影装置４００の暖機運転期間と、スクリーンユニット３００の動作確認用初期動作の期間とが重複しないように、各起動タイミングを設定することで、これら役物装置３１０Ａ，３１０Ｂの動作確認用初期動作の期間と、投影装置４００の暖機運転期間と、スクリーンユニット３００の動作確認用初期動作の期間とが重複することによって、消費電力が一時的に極端に大きくなってしまい、電源基板９２の電力供給能力を消費電力が超えてしまうことを防ぐとともに、電源基板９２が要求される電力供給能力の最大電力量を低く抑えて、電源基板９２のコストが増加してしまうことを抑えることができるようにしている。
【０２５６】
尚、本実施例では、上記したように、スクリーンユニット３００のスクリーン用モータ３０４Ａ，３０４Ｂを起動して動作確認用初期動作を開始させるタイミングとして、投影装置４００が起動して暖機運転が完了した直後のタイミングを設定することにより、投影装置４００の暖機運転が完了した後にスクリーンユニット３００の動作確認用初期動作を行う形態を例示しているが、本発明はこれに限定されるものではなく、図２８に示すように、スクリーンユニット３００のスクリーン用モータ３０４Ａ，３０４Ｂを起動して動作確認用初期動作を開始させるタイミングとして、役物装置３１０Ａ，３１０Ｂの動作確認用初期動作が完了した直後のタイミングを設定するとともに、投影装置４００を起動して暖機運転を開始させる起動タイミングとして、スクリーンユニット３００の動作確認用初期動作が完了した直後のタイミングを設定するようにしても良い。このようにすれば、投影装置４００からの画像の投影は、スクリーンユニット３００の動作確認用初期動作が完了した後、更に、暖機運転が完了してから開始されるので、スクリーンユニット３００が初期動作を行って形状が変化している段階において投影装置４００から画像が投影されてしまい、不適切な投影が行われてしまうことを防ぐことができる。
【０２５７】
尚、暖機運転の完了は、電力供給が開始されてからの期間で判定するものであっても良いし、投影装置４００の実際の温度、または温度に依存する電流や電圧などで判定しても良いし、電力供給が開始されてからの期間内であっても、温度に依存する電流や電圧の状態によって完了を判定するもの（電断からの復旧時等では短くなる）であっても良い。
【０２５８】
また、本実施例では、役物装置３１０Ａ，３１０Ｂの動作確認用初期動作を最初に行う形態を例示しているが、本発明はこれに限定されるものではなく、投影装置４００の暖機運転またはスクリーンユニット３００の動作確認用初期動作を最初に行うようにしても良い。
【０２５９】
尚、本発明における暖機運転には、投影装置４００の温度を投影可能温度とする状態だけではなく、投影装置４００を投影可能な状態とするための処理等を行う状態、たとえば、電源立ち上げ時（電源復旧時を含む）の初期設定や動作確認等を行っている状態を含むものであり、例えば、投影装置４００が投影可能温度とする必要がない場合には、これら投影可能温度とする運転状態を伴わず、初期設定や動作確認等を行っている投影装置４００を投影可能な状態とするための状態も、本発明の暖機運転に含まれる。
【０２６０】
図１８は、図１７に示された演出制御メイン処理における一斉演出処理を示すフローチャートである。一斉演出処理において演出制御用ＣＰＵ１２０は、先ず、一斉演出が実行中であることを示す一斉演出実行中フラグがセットされているか否かを判定する（Ｓ２００）。一斉演出実行中フラグがセットされていない場合は（Ｓ２００；Ｎ）、その時点の時刻を、ＲＴＣ１２６から取得した日付時刻データから特定する（Ｓ２００ａ）。
【０２６１】
そして、特定した時刻が、設定されている一斉演出の開始時刻に一致しているか否か、すなわち、一斉演出の開始タイミングか否かを判定する（Ｓ２０１）。
【０２６２】
一斉演出の開始タイミングでない場合は（Ｓ２０１；Ｎ）、一斉演出処理を終了する。一方、一斉演出の開始タイミングである場合は（Ｓ２０１；Ｙ）、更に、デモ演出中であるか否かを判定する（Ｓ２０１ａ）。デモ演出中でない場合（Ｓ２０１ａ；Ｎ）は、Ｓ２０２に進む。一方、デモ演出中である場合（Ｓ２０１ａ；Ｙ）は、実行中のデモ演出を中止した後、Ｓ２０２に進む。
【０２６３】
Ｓ２０２においては、一斉演出実行中フラグをセットする。そして、一斉演出期間タイマに一斉演出期間に応じた値をセットする（Ｓ２０３）。その後、一斉演出制御パターン（一斉演出プロセステーブル）をセットする（Ｓ２０４）。尚、一斉演出制御パターン（一斉演出プロセステーブル）は、他の演出制御パターンと同様に、一斉演出プロセスタイマのタイマ値に対応付けて、当該タイマ値となったときに実行する各種演出装置を制御するための制御実行データ（表示制御実行データ（投影制御実行データを含む）、音出力制御実行データ、操作部制御実行データ、スクリーンユニット制御実行データ、役物装置制御実行データ等）から構成される時系列に記述された制御データである。
【０２６４】
尚、本実施例では、一斉演出制御パターン（一斉演出プロセステーブル）を１つのみとした形態を例示したが、本発明はこれに限定されるものではなく、例えば、これら一斉演出を実行する時刻に応じて複数種類の一斉演出制御パターン（一斉演出プロセステーブル）を設けておき、時刻に応じて異なる種類の一斉演出が実行されるようにしても良いし、導入から一定期間が経過したことにより、実行される一斉演出の種類が異なる（置き換えだけではなく追加も含む）ものとしてもよい。
【０２６５】
Ｓ２０４にて一斉演出制御パターンをセットした後は、一斉演出プロセスタイマをスタートし（Ｓ２０５）、最初の一斉演出プロセスデータの内容に従って、投影装置４００からの投影、演出表示装置５における表示、演出用ＬＥＤ９での光出力、スピーカ８Ｌ，８Ｒ，８Ｕでの音出力、スクリーンユニット３００の態様、役物装置３１０Ａ，３１０Ｂの動作等の制御を実行し（Ｓ２０６）、一斉演出処理を終了する。
【０２６６】
一方、Ｓ２００において一斉演出実行中フラグがセットされている場合は（Ｓ２００；Ｙ）、一斉演出期間タイマ及び一斉演出プロセスタイマをそれぞれ−１し（Ｓ２０７ａ，Ｓ２０７ｂ）、一斉演出期間タイマがタイマアウトしたか否かを判定する（Ｓ２０８）。一斉演出期間タイマがタイマアウトしていない場合は（Ｓ２０８；Ｎ）、更に、投影対象のスクリーンを、第１スクリーン３０１、第２スクリーン３０２、第３スクリーン３０３のいずれかから他の１スクリーンに変化させるスクリーン変化タイミングであるか否かを判定する（Ｓ２０９）。尚、これらスクリーン変化タイミングであるか否かは、一斉演出プロセスデータに含まれるスクリーンユニット制御データに基づいて判定される。
【０２６７】
スクリーン変化タイミングではない場合には（Ｓ２０９；Ｎ）、Ｓ２１１に進む。一方、スクリーン変化タイミングである場合には（Ｓ２０９；Ｙ）、投影対象のスクリーンを変化させるスクリーン変化制御処理を実行した後（Ｓ２１０）、Ｓ２１１に進む。尚、Ｓ２１０のスクリーン変化制御処理においては、その時点の一斉演出プロセスタイマ値に対応付けられているスクリーンユニット制御データを実行することにより、投影対象のスクリーンを変化させるようになっている。
【０２６８】
つまり、本実施例の一斉演出においては、投影装置４００からスクリーンユニット３００に画像が投影される演出が実施されるとともに、投影装置４００から画像が投影される投影対象のスクリーンが、一斉演出中において切り替わるようになっており、これら投影対象のスクリーンが切り替わることで一斉演出の興趣を向上できるようになっている。
【０２６９】
Ｓ２１１においては、一斉演出プロセスタイマがタイマアウトしたか否かを判定する。
【０２７０】
一斉演出プロセスタイマがタイマアウトしていない場合は（Ｓ２１１；Ｎ）、一斉演出処理を終了する。一方、一斉演出プロセスタイマがタイマアウトしている場合は（Ｓ２１１；Ｙ）、一斉演出プロセスデータを次のプロセスデータに切り替え（Ｓ２１２）、次の一斉演出プロセスタイマをスタートさせる（Ｓ２１３）。そして、該次の一斉演出プロセスデータの内容に従って、投影装置４００からの投影、演出表示装置５における表示、演出用ＬＥＤ９での光出力、スピーカ８Ｌ，８Ｒ，８Ｕでの音出力、スクリーンユニット３００の態様、役物装置３１０Ａ，３１０Ｂの動作等の制御を実行し（Ｓ２１２）、一斉演出処理を終了する。
【０２７１】
また、Ｓ２０８において一斉演出期間タイマがタイマアウトしている場合は（Ｓ２０８；Ｙ）、投影装置４００からスクリーンユニット３００に投影されている一斉演出画像の消去の他、一斉演出に関する演出用ＬＥＤ９での光出力やスピーカ８Ｌ，８Ｒ，８Ｕでの一斉演出に関する音出力等の制御を終了し（Ｓ２１５）、一斉演出実行中フラグをクリアする（Ｓ２１６）。そして、演出制御プロセス処理の対象表示装置を演出表示装置５に限定する設定を解除して、演出制御プロセス処理の対象表示装置にスクリーンユニット３００を加えることで、演出図柄の変動表示がスクリーンユニット３００にも表示可能とした後（Ｓ２１７）、一斉演出処理を終了する。尚、Ｓ２１７において、演出制御プロセス処理の対象表示装置として演出表示装置５に限定する設定を解除するのは、後述する演出制御プロセス処理において一斉演出の実行中は演出制御プロセス処理の対象表示装置として演出表示装置５に限定する設定がなされることで、一斉演出の実行中において演出図柄の変動表示や保留記憶表示等が、演出表示装置５のみにおいて実行されるからである。
【０２７２】
尚、本実施例では、タイマ割り込みよって一斉演出処理を実行するときに、一斉演出実行中フラグがセットされていない場合には、演出制御用ＣＰＵ１２０がＲＴＣ１２６から日付時刻データを取得し、該日付時刻データが示す日付時刻から一斉演出の開始時刻であるか否かを判定するようにしているが、本発明はこれに限定されるものではなく、例えば、営業当日の起動時から計時された計時タイマ値から、その時点の時刻を特定して、一斉演出開始時刻となっているか否かを判定するようにしても良い。
【０２７３】
また、本実施例のデモ演出処理（Ｓ５８）において演出制御用ＣＰＵ１２０は、デモ演出の実行条件が成立したことに応じて、図２５に示すデモ演出（デモンストレーション演出）を実行するための各種制御処理、具体的には、図２５に示すデモ演出のデモ演出制御パターンが記述されたデモ演出プロセステーブルを実行することによる演出制御を実行する。
【０２７４】
ここで、図２５を用いて、本実施例のデモ演出について説明すると、デモ演出が開始されると、まず、図２５（Ａ）に示すように、スクリーンユニット３００の第２スクリーン３０２に、キャラクタが作業車に追いかけられている画像（映像）が投影装置４００から投影される。
【０２７５】
その後、スクリーンユニット３００における投影対象のスクリーンが、第２スクリーン３０２から第３スクリーン３０３に変化して、図２５（Ｂ）に示すように、キャラクタと作業車の進行方向側から見た画像が投影装置４００から第３スクリーン３０３に投影される。このように、第３スクリーン３０３において該第３スクリーン３０３の形状に合わせて作業車のタイヤが投影されて表示されることで、キャラクタが作業者に押しつぶされてしまうのではないかという迫力ある映像が第３スクリーン３０３に表示できる。
【０２７６】
更に、スクリーンユニット３００における投影対象のスクリーンが、第３スクリーン３０３から第１スクリーン３０１に変化して、図２５（Ｃ）に示すように、作業車の運転席から見た画像が投影装置４００から第１スクリーン３０１に投影される。この場合において、第１スクリーン３０１を構成する左側板３０１Ａ、右側板３０１Ｂ、下板３０１Ｃ、背板３０１Ｄのそれぞれにより形成される各屈曲部には、図２５（Ｃ）に示すように、作業車の運転席であることを解り易くするための強調フレームの画像が投影され、背板３０１Ｄには、キャラクタが逃げる姿の画像（映像）であって、キャラクタがだんだん接近する画像（映像）が投影される。
【０２７７】
その後、スクリーンユニット３００における投影対象のスクリーンが、第１スクリーン３０１から第２スクリーン３０２に変化して、図２５（Ｄ）に示すように、追いかける作業車をキャラクタが撃退する画像（映像）が投影装置４００から第２スクリーン３０２に投影され、デモ演出が終了する。
【０２７８】
このように、本実施例のデモ演出では、スクリーンユニット３００の変化を伴う演出を行うようにしているが、本発明はこれに限定されるものではなく、デモ演出として、スクリーンユニット３００の変化を伴わない演出を行うようにしても良い。具体的には、例えば、低確率状態においてはスクリーンユニット３００形態を平面状の第２スクリーン３０２に変化させ、高確率状態においては、スクリーンユニット３００形態を箱状の第１スクリーン３０１に変化させるように、遊技状態に応じてスクリーンユニット３００の形態を変化させるような場合にあっては、デモ演出を実行する時点のスクリーンユニット３００形態に応じたデモ演出、つまり、スクリーンユニット３００形態が第２スクリーン３０２に変化した状態であれば、第２スクリーン３０２に対応したデモ演出パターン（投影画像）を記憶しておき、該第２スクリーン３０２に対応したデモ演出パターン（投影画像）によるデモ演出を実行し、スクリーンユニット３００形態が第１スクリーン３０１に変化した状態であれば、第１スクリーン３０１に対応したデモ演出パターン（投影画像）を記憶しておき、該第１スクリーン３０１に対応したデモ演出パターン（投影画像）によるデモ演出を行うようにしても良い。
【０２７９】
また、上記したように、遊技状態に応じてスクリーンユニット３００の形態を変化させるような場合に前述した一斉演出を行う場合にあっても、ＲＴＣ１２６により特定される時刻が一斉演出の開始時刻であるときにスクリーンユニット３００形態が第２スクリーン３０２に変化した状態であれば、予め記憶されている第２スクリーン３０２に対応した一斉演出パターン（投影画像）による一斉演出を実行し、一斉演出の開始時刻におけるスクリーンユニット３００形態が第１スクリーン３０１に変化した状態であれば、予め記憶されている第１スクリーン３０１に対応した一斉演出パターン（投影画像）による一斉演出を行うようにすれば良い。
【０２８０】
尚、上記では、遊技状態に対応するスクリーンを第１スクリーン３０１と第２スクリーン３０２とする形態を例示しているが、例えば、遊技状態に応じてスクリーンユニット３００の形態が第１スクリーン３０１、第２スクリーン３０２、第３スクリーン３０３に変化する場合には、第１スクリーン３０１、第２スクリーン３０２、第３スクリーン３０３に対応した３つのデモ演出パターン（投影画像）や一斉演出パターン（投影画像）を予め記憶しておき、デモ演出や一斉演出の開始時における投影対象のスクリーンに対応するデモ演出パターン（投影画像）や一斉演出パターン（投影画像）を選択して、デモ演出や一斉演出を実行するようにすれば良い。尚、デモ演出や一斉演出の実行中に遊技状態が変化することで、投影対象のスクリーンが変化した場合には、変化後の投影対象のスクリーン対応するデモ演出パターン（投影画像）や一斉演出パターン（投影画像）を選択して実行すれば良い。
【０２８１】
尚、上記した第１スクリーン３０１、第２スクリーン３０２、第３スクリーン３０３に対応するデモ演出パターン（投影画像）や一斉演出パターン（投影画像）としては、同一の投影画像を各スクリーンの形状に合わせただけのものであっても良いし、特定の遊技状態（例えば、高確率状態）の場合のみ、例えば特別キャラクタの画像等を含む等のように他の遊技状態とは一部が異なるデモ演出パターン（投影画像）や一斉演出パターン（投影画像）を実行するようにしても良く、特に、特別キャラクタの画像等を含む等のように他の遊技状態とは一部が異なる一斉演出パターン（投影画像）を用いるようにすることで、一斉演出の開始時の遊技状態で異なる一斉演出が実行されるようになるので、一斉演出による遊技興趣を向上できるようになる。
【０２８２】
尚、上記したように、特定の遊技状態において、特別キャラクタの画像等を含む等のように他の遊技状態とは一部が異なる一斉演出パターン（投影画像）を用いる場合にあっては、例えば、「特別キャラクタ出現させろ」等のミッションを遊技者に提示するミッション演出を実行したり、該パチンコ遊技機１における遊技履歴を遊技者が管理可能なサーバ（サイト）において、「特別キャラクタ出現させる」等のミッションを設定する等により、特定の遊技状態において一斉演出を実行させることの動機付けを遊技者に与えることができるようにしても良い。
【０２８３】
図１９は、演出制御メイン処理における演出制御プロセス処理（Ｓ５６）を示すフローチャートである。演出制御プロセス処理では、演出制御用ＣＰＵ１２０は、先ず、演出制御プロセスフラグの値が、変動パターン指定コマンド受信待ち処理に対応する値であるか否か、つまり、演出図柄の変動表示中であるか否かを判定する。
【０２８４】
演出制御プロセスフラグの値が、変動パターン指定コマンド受信待ち処理に対応する値である場合（Ｓ７９０；Ｙ）、つまり、演出図柄の変動表示中または大当り遊技中ではない場合にはＳ７９９に進む。
【０２８５】
演出制御プロセスフラグの値が、変動パターン指定コマンド受信待ち処理に対応する値ではない場合（Ｓ７９０；Ｎ）、つまり、演出図柄の変動表示中または大当り遊技中である場合には、更に、一斉演出実行中フラグがセットされているか否かを判定する（Ｓ７９１）。
【０２８６】
一斉演出実行中フラグがセットされていない場合は（Ｓ７９１；Ｎ）、Ｓ７９９に進む。一方、一斉演出実行中フラグがセットされている場合は（Ｓ７９０；Ｙ）、該演出制御プロセス処理の対象表示装置として演出表示装置５のみに限定し（Ｓ７９２）、未だ、一斉演出用の演出制御プロセステーブルを実行していない場合には、実行中の演出制御プロセステーブルに代えて一斉演出用の演出制御プロセステーブルを実行対象として特定する（Ｓ７９３）。つまり、スクリーンユニット３００において一斉演出を実行するために、演出図柄の変動表示やリーチ演出等を演出表示装置５にて行うようにする。
【０２８７】
そして、演出制御用ＣＰＵ１２０は、Ｓ７９９において、保留記憶表示エリアにおける保留記憶表示を、図示しない第１特図保留記憶領域並びに第２特図保留記憶領域の記憶内容に基づいて更新する保留表示更新処理を実行する。尚、保留記憶表示エリアは、前述したように、通常においては、スクリーンユニット３００の第２スクリーン３０２の下方の領域が設定されているが、予告演出やリーチ演出等の演出がスクリーンユニット３００において実行される期間においては演出表示装置５の上方領域が設定されるようになっている（図２４参照）。
【０２８８】
その後、演出制御用ＣＰＵ１２０は、演出制御プロセスフラグの値に応じてＳ８００〜Ｓ８０６のうちのいずれかの処理を行う。各処理において、以下のような処理を実行する。
【０２８９】
変動パターン指定コマンド受信待ち処理（Ｓ８００）：遊技制御用マイクロコンピュータ１００から変動パターン指定コマンドを受信しているか否か確認する。具体的には、コマンド解析処理でセットされる変動パターン指定コマンド受信フラグがセットされているか否か確認する。変動パターン指定コマンドを受信していれば、演出制御プロセスフラグの値を演出図柄変動開始処理（Ｓ８０１）に対応した値に変更する。
【０２９０】
尚、本実施例の変動パターン指定コマンド受信待ち処理には、図１９に示すように、インターバル画像処理が含まれている。
【０２９１】
本実施例のインターバル画像処理において演出制御用ＣＰＵ１２０は、非変動表示の状態が所定期間継続する毎、つまり、演出制御プロセスフラグの値が変動パターン指定コマンド受信待ち処理に対応する値となってから所定期間が経過する毎に、一定時間、インターバル画像を投影装置４００にてスクリーンユニット３００の第２スクリーン３０２に投影する制御を行う。
【０２９２】
このように、インターバル画像処理が実行されることにより、図２６に示すように、保留記憶表示エリアであることを解り易く表示するための保留記憶表示用フレームが第２スクリーン３０２や投影装置４００に焼き付いてしまうことを、インターバル画像を表示することによって防ぐようになっている。
【０２９３】
つまり、非変動状態等が長く続くと、該非変動状態においてはスクリーンユニット３００の第２スクリーン３０２に保留記憶表示用フレームを含む画面が長く投影されることになるので、所定期間毎に保留記憶表示用フレームを含まないインターバル画像を表示することで、第２スクリーン３０２や投影装置４００に保留記憶表示用フレームが焼き付いてしまうことを防ぐようにしている。
【０２９４】
尚、本実施例では、インターバル画像を表示する形態を例示しているが、本発明はこれに限定されるものではなく、これらインターバル画像を表示することに代えて、デモ演出を実行することにより、第２スクリーン３０２や投影装置４００に保留記憶表示用フレームが焼き付いてしまうことを防ぐようにしても良く、この場合には、デモ演出の画像がインターバル画像に該当することになる。
【０２９５】
また、本実施例では、デモ演出を実行する場合には、保留記憶表示用フレームを消去する形態を例示しているが、本発明はこれに限定されるものではなく、これら保留記憶表示用フレームをデモ演出においては消去しないようにしても良く、このような場合においては、上記したインターバル画像を表示することによる焼き付き防止の効果がより一層高まる。
【０２９６】
尚、本実施例では、非変動表示の状態が所定期間継続することを条件にインターバル画像を表示するようにしているが、本発明はこれに限定されるものではなく、保留記憶表示用フレームが表示されている時間を積算しておき、該積算時間が規定時間に達する毎に、非変動表示中においてインターバル画像を表示するようにしたり、或いは、変動表示中において保留記憶表示用フレームの消去を伴う演出画像をインターバル画像として表示するようにしても良い。
【０２９７】
また、本実施例では、焼き付いてしまう部分として特定画像である保留記憶表示用フレームを例示しているが、本発明はこれに限定されるものではなく、これら焼き付いてしまう部分は、パチンコ遊技機の稼働中において、他の部分よりも同一の画像が継続して表示される部分が該当し、例えば、保留記憶表示ではなく、実行中の変動表示に対応する保留記憶表示（消費保留表示）を表示するための領域表示（消費保留表示領域）や、演出に使用されるキャラクタ等のレベル等が表示される表示領域であっても良い。
【０２９８】
演出図柄変動開始処理（Ｓ８０１）：演出図柄の変動が開始されるように制御する。そして、演出制御プロセスフラグの値を演出図柄変動中処理（Ｓ８０２）に対応した値に更新する。
【０２９９】
演出図柄変動中処理（Ｓ８０２）：変動パターンを構成する各変動状態（変動速度）の切替タイミング等を制御するとともに、変動時間の終了を監視する。そして、変動時間が終了したら、演出制御プロセスフラグの値を演出図柄変動停止処理（Ｓ８０３）に対応した値に更新する。
【０３００】
演出図柄変動停止処理（Ｓ８０３）：全図柄停止を指示する演出制御コマンド（図柄確定コマンド）を受信したことにもとづいて、演出図柄の変動を停止し表示結果（停止図柄）を導出表示する制御を行う。そして、演出制御プロセスフラグの値を大当り表示処理（Ｓ８０４）または変動パターン指定コマンド受信待ち処理（Ｓ８００）に対応した値に更新する。
【０３０１】
大当り表示処理（Ｓ８０４）：変動時間の終了後、スクリーンユニット３００または演出表示装置５において大当りの発生を報知するための画面を表示する制御を行う。そして、演出制御プロセスフラグの値を大当り遊技中処理（Ｓ８０５）に対応した値に更新する。
【０３０２】
大当り遊技中処理（Ｓ８０５）：大当り遊技中の制御を行う。例えば、大入賞口開放中指定コマンドや大入賞口開放後指定コマンドを受信したら、スクリーンユニット３００または演出表示装置５におけるラウンド数の表示制御等を行う。そして、演出制御プロセスフラグの値を大当り終了演出処理（Ｓ８０６）に対応した値に更新する。
【０３０３】
大当り終了演出処理（Ｓ８０６）：スクリーンユニット３００または演出表示装置５において、大当り遊技状態が終了したことを遊技者に報知する制御を行う。そして、演出制御プロセスフラグの値を変動パターン指定コマンド受信待ち処理（Ｓ８００）に対応した値に更新する。
【０３０４】
図２０は、図１９に示された演出制御プロセス処理における演出図柄変動開始処理（Ｓ８０１）を示すフローチャートである。演出図柄変動開始処理において、演出制御用ＣＰＵ１２０は、まず、Ｓ２７１において第１変動開始コマンド受信フラグがセットされているか否かを判定する（Ｓ２７１）。第１変動開始コマンド受信フラグがセットされている場合は（Ｓ２７１；Ｙ）、図示しない第１特図保留記憶領域における第１特図保留記憶番号「１−０」〜「１−４」に対応付けて格納されている始動入賞フラグを、保留記憶番号１個分ずつ上位にシフトする（Ｓ２７２）。尚、第１特図保留記憶番号「１−０」の内容については、シフトする先が存在しないためにシフトすることはできないので消去される。
【０３０５】
また、Ｓ２７１において第１変動開始コマンド受信フラグがセットされていない場合は（Ｓ２７１；Ｎ）、第２変動開始コマンド受信フラグがセットされているか否かを判定する（Ｓ２７３）。第２変動開始コマンド受信フラグがセットされていない場合は（Ｓ２７３；Ｎ）、演出図柄変動開始処理を終了し、第２変動開始コマンド受信フラグがセットされている場合は（Ｓ２７３；Ｙ）、図示しない第２特図保留記憶領域における第２特図保留記憶番号「２−０」〜「２−４」に対応付けて格納されている始動入賞フラグを、保留記憶番号１個分ずつ上位にシフトする（Ｓ２７４）。尚、第２特図保留記憶番号「２−０」の内容については、シフトする先が存在しないためにシフトすることはできないので消去される。
【０３０６】
Ｓ２７２またはＳ２７４の実行後、演出制御用ＣＰＵ１２０は、変動パターン指定コマンド格納領域から変動パターン指定コマンドを読み出す（Ｓ２７５）。
【０３０７】
次いで、表示結果指定コマンド格納領域に格納されているデータ（即ち、受信した表示結果指定コマンド）に応じて演出図柄の表示結果（停止図柄）を決定する（Ｓ２７６）。この場合、演出制御用ＣＰＵ１２０は、表示結果指定コマンドで指定される表示結果に応じた演出図柄の停止図柄を決定し、決定した演出図柄の停止図柄を示すデータを演出図柄表示結果格納領域に格納する。
【０３０８】
尚、本実施例では、受信した変動表示結果指定コマンドが確変大当りＡに該当する第２変動表示結果指定コマンドである場合において、演出制御用ＣＰＵ１２０は、例えば、停止図柄として３図柄が「７」で揃った演出図柄の組合せ（大当り図柄）を決定する。また、受信した変動表示結果指定コマンドが確変大当りＢに該当する第３変動表示結果指定コマンドである場合においては、停止図柄として、「７」以外の奇数図柄の複数の組合せ（例えば「１１１」、「３３３」、「５５５」、「９９９」などの演出図柄の組合せ）の中から決定する。また、受信した変動表示結果指定コマンドが非確変大当りに該当する第４変動表示結果指定コマンドである場合において、演出制御用ＣＰＵ１２０は、例えば、停止図柄として３図柄が偶数図柄で揃った演出図柄の組合せ（大当り図柄）を決定する。また、受信した変動表示結果指定コマンドが、はずれに該当する第１変動表示結果指定コマンドである場合には、停止図柄として３図柄が不揃いとなる演出図柄の組合せ（はずれ図柄）を決定する。
【０３０９】
これら停止図柄の決定においては、演出制御用ＣＰＵ１２０は、例えば、停止図柄を決定するための乱数を抽出し、演出図柄の組合せを示すデータと数値とが対応付けられている停止図柄判定テーブルを用いて、演出図柄の停止図柄を決定すれば良い。即ち、抽出した乱数に一致する数値に対応する演出図柄の組合せを示すデータを選択することによって停止図柄を決定すれば良い。
【０３１０】
次いで、演出制御用ＣＰＵ１２０は、図２１に示す予告演出決定処理を実施して、当該変動表示において予告演出を実行するか否かを決定する（Ｓ２７７）。尚、本実施例では、予告演出決定処理において、スクリーンユニット３００の変化の前兆演出を伴い、スクリーンユニット３００が実際に変化するスクリーン変化予告や、前兆演出を伴うもののスクリーンユニット３００が変化しないスクリーン非変化予告や、前兆演出を伴わずにスクリーンユニット３００が変化しないスクリーン非変化予告や等のスクリーンユニット３００の変化に関連した予告演出を決定するようにしているが、本発明はこれに限定されるものではなく、これらの予告演出として、その他の態様の予告演出、例えば、予告画像が段階的に変化するステップアップ予告や、所定のキャラクタの一群が表示領域を横切る群予告等の実行を決定するようにしても良く、これら異なる態様の予告演出を決定する場合には、予告演出を開始するタイミングが予告演出の態様に応じて異なるので、後述する予告演出開始待ちタイマに、予告演出の態様に応じた異なる期間を設定すれば良い。
【０３１１】
本実施例の予告演出決定処理において演出制御用ＣＰＵ１２０は、図２１に示すように、まず、変動表示結果と変動パターンとを特定する（Ｓ２９１）。変動表示結果は、変動開始時において主基板１１から送信される変動表示結果（はずれ、確変大当りＡ、確変大当りＢ、非確変大当り）を指定するための変動表示結果指定コマンドを格納するための変動表示結果指定コマンド格納領域に記憶されている変動表示結果指定コマンドにより特定することができる。また、変動パターンは、前述したように、変動パターン指定コマンド格納領域に記憶されている変動パターン指定コマンドにて特定できる。尚、本実施例では、図２２に示すように、予告演出の対象が、大当り（確変大当りＡ、確変大当りＢ、非確変大当り）、スーパーリーチ、ノーマルリーチであるので、具体的には、変動表示結果が大当り（確変大当りＡ、確変大当りＢ、非確変大当り）であるのか否かを変動表示結果指定コマンドにより特定し、変動パターンがスーパーリーチであるのか否か、ノーマルリーチであるのか否かを変動パターン指定コマンドにて特定すれば良い。
【０３１２】
そして、予告演出決定用乱数を抽出するとともに、図２２（ａ）に示す予告演出種別決定用テーブルを用いて予告演出の実行の有無と、実行する場合の予告演出の種別とを決定する（Ｓ２９２）。
【０３１３】
尚、本実施例では、予告演出決定用乱数は、１〜１００の範囲の乱数とされていて１〜１００の範囲のいずれかの値が抽出される。つまり、予告演出決定用乱数の判定値数の１〜１００の範囲の１００個とされているが、本発明はこれに限定されるものではなく、これら予告演出決定用乱数の範囲等は適宜に決定すれば良い。また、これら予告演出決定用乱数を生成するための予告演出決定用乱数カウンタがＲＡＭ１２２に設定されており、該予告演出決定用乱数カウンタが乱数更新処理にてタイマ割込毎に更新される。
【０３１４】
本実施例では、予告演出として、図２２（ａ）に示すように、スクリーン変化予告と、スクリーン非変化予告（前兆あり）と、スクリーン非変化予告（前兆なし）とが決定可能とされている。
【０３１５】
予告演出種別決定用テーブルにおいては、図２２（ａ）に示すように、「スクリーン変化予告」、「スクリーン非変化予告（前兆あり）」、「スクリーン非変化予告（前兆なし）」、「予告演出なし」のそれぞれに対して、変動表示結果が大当りとなる場合、変動パターンがスーパーリーチはずれである場合、変動パターンがノーマルリーチはずれである場合、のそれぞれに異なる判定値が、図２２（ａ）に示す判定値数となるように、割り当てられている。
【０３１６】
具体的には、変動表示結果が大当りとなる場合については、「スクリーン変化予告」に対して７５個の判定値が割り当てられ、「スクリーン非変化予告（前兆あり）」に対して１０個の判定値が割り当てられ、「スクリーン非変化予告（前兆なし）」に対して１０個の判定値が割り当てられ、「予告演出なし」に対して５個の判定値が割り当てられている。また、変動パターンがスーパーリーチはずれである場合については、「スクリーン変化予告」に対して３０個の判定値が割り当てられ、「スクリーン非変化予告（前兆あり）」に対して２５個の判定値が割り当てられ、「スクリーン非変化予告（前兆なし）」に対して２５個の判定値が割り当てられ、「予告演出なし」に対して２０個の判定値が割り当てられている。また、変動パターンがノーマルリーチはずれである場合については、「スクリーン変化予告」に対して１０個の判定値が割り当てられ、「スクリーン非変化予告（前兆あり）」に対して１５個の判定値が割り当てられ、「スクリーン非変化予告（前兆なし）」に対して１５個の判定値が割り当てられ、「予告演出なし」に対して６０個の判定値が割り当てられている。
【０３１７】
このように判定値が割り当てられていることにより、当該変動表示において大当りとなる場合には、スーパーリーチはずれやノーマルリーチはずれとなる場合よりも予告演出が実行され易くなるとともに、「スクリーン変化予告」や「前兆演出」が決定され易くなっている。また、スーパーリーチはずれである場合については、スクリーンユニット３００が変化しない「スクリーン非変化予告」が決定され易くなっている。ノーマルリーチはずれである場合については、「予告演出なし」が、大当りとなる場合やスーパーリーチはずれの場合よりも決定されやすくなっている。
【０３１８】
よって、本実施例では予告演出が実行されないときよりも、予告演出が実行されるときの方が、大当り期待度が高くなっている。更に、予告演出においては、スクリーンユニット３００が変化する「スクリーン変化予告」やスクリーンユニット３００が変化することを事前に示唆する「前兆演出」が実行されるときの方が、「スクリーン非変化予告」が実行されるときや「前兆演出」が実行されないときよりも大当り期待度が高くなっている。
【０３１９】
尚、本実施例は、「スクリーン変化予告」を行う場合には、必ず前兆演出を実行する形態を例示しているが、本発明はこれに限定されるものではなく、これら「スクリーン変化予告」を行う場合にも、「前兆あり」、「前兆なし」のいずれかを決定して、前兆演出が実行されなくてもスクリーンが変化する予告演出が実行されるようにしても良い。
【０３２０】
また、各予告演出の大当り期待度（信頼度）とは、各予告演出が実行されて「大当り」となる確率を、各予告演出が実行されて「大当り」となる確率と各予告演出が実行されて「はずれ」となる確率の和で除算した数値である。
【０３２１】
図２１に戻り、Ｓ２９３においては、Ｓ２９２において、いずれかの予告演出の実行を決定したか否か、つまり「スクリーン変化予告」、「スクリーン非変化予告（前兆あり）」、「スクリーン非変化予告（前兆なし）」のいずれかを決定したか否かを判定する。ここで、「スクリーン変化予告」、「スクリーン非変化予告（前兆あり）」、「スクリーン非変化予告（前兆なし）」のいずれの予告演出も決定していない場合、つまり、「予告演出なし」を決定した場合には、当該予告演出決定処理を終了する。一方、「スクリーン変化予告」、「スクリーン非変化予告（前兆あり）」、「スクリーン非変化予告（前兆なし）」のいずれかを決定した場合には、Ｓ２９４に進んで、更に、「スクリーン変化予告」を決定したか否かを判定する。
【０３２２】
「スクリーン変化予告」を決定していない場合には、Ｓ２９６に進む。一方、「スクリーン変化予告」を決定した場合には、Ｓ２９５に進んで、前兆演出の何回目においてスクリーンユニット３００を変化させるか、つまり、スクリーンユニット３００を変化させるタイミングを、図２２（ｂ）に示すスクリーン変化タイミング決定用テーブルとスクリーン変化タイミング決定用乱数とを用いて、「前兆１回目」、「前兆２回目」、「前兆３回目」のいずれかに決定し、スクリーン変化予告において第１スクリーン３０１に表示される窓の表示態様を、図２２（ｃ）に示す窓種別決定用テーブルと窓種別決定用乱数とを用いて、「１面のみ」、「２面」、「３面」のいずれかに決定するとともに、スクリーン変化予告において第１スクリーン３０１外へのキャラクタのはみ出しの有無を、図２２（ｄ）に示すはみ出し決定用テーブルとはみ出し決定用乱数とを用いて「有り」、「無し」のいずれかに決定する。
【０３２３】
尚、「スクリーン非変化予告（前兆あり）」が決定された場合には、スクリーンユニット３００は変化しないので、スクリーンユニット３００の変化タイミングを決定する必要はなく、「前兆１回目」、「前兆２回目」、「前兆３回目」の全てにおいて失敗してスクリーンユニット３００が変化しない前兆演出が実行されるようになっている。
【０３２４】
また、本実施例では、「スクリーン変化予告」が決定された場合には、後述するように、スクリーンユニット３００において、投影装置４００から画像が投影される投影対象のスクリーンが、平面状の第２スクリーン３０２から箱状の第１スクリーン３０１に変化するため、第１スクリーン３０１における屈曲部を跨がる窓種別を決定し、「スクリーン非変化予告」が決定された場合には、スクリーンユニット３００において、投影装置４００から画像が投影される投影対象のスクリーンが、平面状の第２スクリーン３０２のままであるので、屈曲部を跨がる窓種別を決定する必要がないので、窓種別を決定しないようにしているが、本発明はこれに限定されるものではなく、例えば、「スクリーン非変化予告」を決定した場合においても、該予告演出において第２スクリーン３０２に投影する画像に含まれる背景画像における窓の数を、窓種別と同様に「１」〜「３」のいずれかに決定して「スクリーン非変化予告」を実行するようにしても良い。
【０３２５】
また、本実施例では、「スクリーン変化予告」が決定された場合にのみ、キャラクタのはみ出しの有無を決定するようにしているが、本発明はこれに限定されるものではなく、「スクリーン非変化予告（前兆あり）」、「スクリーン非変化予告（前兆なし）」を決定した場合においても、キャラクタのはみ出しの有無を同様に決定して、はみ出しの「有り」を決定した場合には、キャラクタが第２スクリーン３０２をはみ出す態様の「スクリーン非変化予告（前兆あり）」、「スクリーン非変化予告（前兆なし）」を実行するようにしても良い。
【０３２６】
本実施例のスクリーン変化タイミング決定用テーブルにおいては、図２２（ｂ）に示すように、「前兆１回目」、「前兆２回目」、「前兆３回目」のそれぞれに対して、変動表示結果が大当りとなる場合、変動パターンがスーパーリーチはずれである場合、変動パターンがノーマルリーチはずれである場合、のそれぞれに異なる判定値が、図２２（ｂ）に示す判定値数となるように、割り当てられている。
【０３２７】
具体的には、変動表示結果が大当りとなる場合については、「前兆１回目」に対して１０個の判定値が割り当てられ、「前兆２回目」に対して２５個の判定値が割り当てられ、「前兆３回目」に対して６５個の判定値が割り当てられている。また、変動パターンがスーパーリーチはずれである場合については、「前兆１回目」に対して２５個の判定値が割り当てられ、「前兆２回目」に対して５０個の判定値が割り当てられ、「前兆３回目」に対して２５個の判定値が割り当てられている。また、変動パターンがノーマルリーチはずれである場合については、「前兆１回目」に対して６５個の判定値が割り当てられ、「前兆２回目」に対して２５個の判定値が割り当てられ、「前兆３回目」に対して１０個の判定値が割り当てられている。
【０３２８】
このように判定値が割り当てられていることにより、当該変動表示において大当りとなる場合には、「前兆３回目」が決定され易く、当該変動表示の変動パターンがスーパーリーチはずれである場合には、「前兆２回目」が決定され易く、当該変動表示の変動パターンがノーマルリーチはずれである場合には、「前兆１回目」が決定され易い。
【０３２９】
つまり、スクリーンユニット３００が遅いタイミングで変化（投影対象のスクリーンの切り替え）した方が、早いタイミングで変化（投影対象のスクリーンの切り替え）した場合よりも、当該変動表示において大当りとなる期待度が高くなるように設定されているので、これら変化（投影対象のスクリーンの切り替え）するタイミングに注目させることができ、遊技興趣を向上できる。
【０３３０】
尚、本実施例では、スクリーンユニット３００の変化タイミングが遅い方が大当りとなる期待度が高くなる形態を例示しているが、本発明はこれに限定されるものではなく、逆に、スクリーンユニット３００の変化タイミングが早い方が大当りとなる期待度が高くなるようにしても良いし、特定のタイミング（例えば、前兆２回目）においてスクリーンユニット３００が変化した場合に、特定以外のタイミング（例えば、前兆１回目や前兆３回目）においてスクリーンユニット３００が変化した場合よりも、大当りとなる期待度が高くなるようにしても良い。
【０３３１】
本実施例の窓種別決定用テーブルにおいては、図２２（ｃ）に示すように、「１面のみ」、「２面」、「３面」のそれぞれに対して、変動表示結果が大当りとなる場合、変動パターンがスーパーリーチはずれである場合、変動パターンがノーマルリーチはずれである場合、のそれぞれに異なる判定値が、図２２（ｃ）に示す判定値数となるように、割り当てられている。
【０３３２】
尚、「１面のみ」が決定された場合には、図２４（Ｄ）に示すように、「スクリーン変化予告」において、変化後の第１スクリーン３０１を構成する背板３０１Ｄの１面のみに窓の画像が投影され、「２面」が決定された場合には、図２４（Ｅ）に示すように、「スクリーン変化予告」において、変化後の第１スクリーン３０１を構成する左側板３０１Ａと背板３０１Ｄとの２つの面に跨がって窓の画像が投影され、「３面」が決定された場合には、図２４（Ｆ）に示すように、「スクリーン変化予告」において、変化後の第１スクリーン３０１を構成する左側板３０１Ａと背板３０１Ｄと右側板３０１Ｂの３つの面に跨がって窓の画像が投影される。
【０３３３】
具体的には、変動表示結果が大当りとなる場合については、「１面のみ」に対して１５個の判定値が割り当てられ、「２面」に対して３０個の判定値が割り当てられ、「３面」に対して５５個の判定値が割り当てられている。また、変動パターンがスーパーリーチはずれである場合については、「１面のみ」に対して３０個の判定値が割り当てられ、「２面」に対して５５個の判定値が割り当てられ、「３面」に対して１５個の判定値が割り当てられている。また、変動パターンがノーマルリーチはずれである場合については、「１面のみ」に対して５５個の判定値が割り当てられ、「２面」に対して３０個の判定値が割り当てられ、「３面」に対して１５個の判定値が割り当てられている。
【０３３４】
このように判定値が割り当てられていることにより、当該変動表示において大当りとなる場合には、「３面」が決定され易く、当該変動表示の変動パターンがスーパーリーチはずれである場合には、「２面」が決定され易く、当該変動表示の変動パターンがノーマルリーチはずれである場合には、「１面」が決定され易い。
【０３３５】
つまり、投影される窓の画像が跨がる面の数が多い程、すなわち、隣接する面により形成される屈曲部を窓の画像が跨がる数が多い程、当該変動表示において大当りとなる期待度が高くなるように設定されている。
【０３３６】
尚、本実施例では、窓の画像が跨がる屈曲部の数が多い方が大当りとなる期待度が高くなる形態を例示しているが、本発明はこれに限定されるものではなく、逆に、窓の画像が跨がる屈曲部の数が少ない方が大当りとなる期待度が高くなるようにしても良いし、窓の画像が跨がる屈曲部の数が特定の数（例えば、１）において、最も大当りとなる期待度が高くなるようにしても良い。
【０３３７】
また、本実施例では、窓の画像が跨がる屈曲部の数、つまり、窓の画像が跨がる面の数によって大当りとなる期待度を示す形態を例示しているが、本発明はこれに限定されるものではなく、例えば、屈曲部は跨がらせずに、窓の画像が表示される面の数によって大当りとなる期待度を示すようにしても良い。
【０３３８】
本実施例のはみ出し決定用テーブルにおいては、図２２（ｄ）に示すように、「有り」、「無し」のそれぞれに対して、変動表示結果が確変大当りとなる場合、変動表示結果が非確変大当りとなる場合、変動表示結果がはずれである場合、のそれぞれに異なる判定値が、図２２（ｄ）に示す判定値数となるように割り当てられている。
【０３３９】
尚、「有り」が決定された場合には、図２４（Ｄ’）〜図２４（Ｆ’）に示すように、「スクリーン変化予告」において、変化後の第１スクリーン３０１からはみ出してキャラクタが投影され、「無し」が決定された場合には、図２４（Ｄ）〜図２４（Ｆ）に示すように、変化後の第１スクリーン３０１からはみ出さずにキャラクタが投影される。
【０３４０】
具体的には、変動表示結果が確変大当りとなる場合については、「有り」に対して６５個の判定値が割り当てられ、「無し」に対して３５個の判定値が割り当てられている。また、変動表示結果が非確変大当りとなる場合については、「有り」に対して３５個の判定値が割り当てられ、「無し」に対して６５個の判定値が割り当てられている。また、変動表示結果がリーチはずれである場合（スーパーリーチはずれおよびノーマルリーチはずれ）については、「有り」に対して１０個の判定値が割り当てられ、「無し」に対して９０個の判定値が割り当てられている。
【０３４１】
このように判定値が割り当てられていることにより、当該変動表示において確変大当りとなる場合には、「有り」が決定され易く、当該変動表示において非確変大当りとなる場合およびはずれとなる場合には、「無し」が決定され易い。
【０３４２】
つまり、キャラクタが変化後の第１スクリーン３０１からはみ出して投影される場合には、はみ出さずに投影される場合よりも、当該変動表示において確変大当りとなる期待度が高くなるように設定されており、このように、キャラクタが変化後の第１スクリーン３０１からはみ出して投影することで、遊技者に意外性を与えることで遊技興趣を向上できるとともに、確変大当りとなるのではないかという遊技者の期待感を高めることもでき、遊技興趣を更に向上できる。
【０３４３】
尚、本実施例では、はみ出しの有無によって、確変大当りとなる期待度を変化させるようにしているが、本発明はこれに限定されるものではなく、はみ出しの大きさや度合い等によって、確変大当りとなる期待度を変化させるようにしても良い。
【０３４４】
また、本実施例では、はみ出しの有無によって示唆する対象を、「確変」、「非確変」の大当り種別としているが、本発明はこれに限定されるものではなく、上記した変化タイミングや窓種別のように、当該変動表示において大当りとなるか否かを示唆するようにしても良いし、これら大当りとなるか否か以外の内容、たとえば、大当りのラウンド数や、大当り後の時短回数や確変回数等を示唆するようにしても良い。また、逆に、上記した変化タイミングや窓種別において示唆する内容を、当該変動表示において大当りとなるか否かではなく、「確変」、「非確変」の大当り種別としても良いし、これら「確変」、「非確変」の大当り種別以外の内容、たとえば、大当りのラウンド数や、大当り後の時短回数や確変回数等を示唆するようにしても良い。
【０３４５】
このようにして決定した変化タイミングや窓種別やはみ出しの有無等の内容や、前述したＳ２９２にて決定した予告演出の種別は、図２１のＳ２９６においてＲＡＭ１２２の所定領域に記憶される。
【０３４６】
その後、演出制御用ＣＰＵ１２０は、Ｓ２９７に進んで、予告演出実行決定フラグをセットした後、当該予告演出決定処理を終了する。
【０３４７】
図２０に戻り、Ｓ２７７の予告演出決定処理の後に、Ｓ２７８において演出制御用ＣＰＵ１２０は、予告演出実行決定フラグがセットされているか否か、つまり、Ｓ２７７の予告演出決定処理において、いずれかの予告演出の実行を決定したか否かを判定する。
【０３４８】
予告演出実行決定フラグがセットされている場合には、Ｓ２７９に進んで、予告演出開始待ちタイマに、予告演出開始までの期間として予告演出の種別、具体的には、前兆演出の有無に対応した期間（前兆演出が有る場合には短い期間、前兆演出が無い場合には長い期間）を設定し（Ｓ２７９）、予告演出実行決定フラグをクリアして（Ｓ２８０）、Ｓ２８１に進む。一方、予告演出実行決定フラグがセットされていない場合には、Ｓ２７９、Ｓ２８０を経由することなくＳ２８１に進む。
【０３４９】
Ｓ２８１において演出制御用ＣＰＵ１２０は、変動パターン指定コマンドに応じた演出制御パターン（プロセステーブル）を選択する。そして、選択したプロセステーブルのプロセスデータ１におけるプロセスタイマをスタートさせる（Ｓ２８２）。
【０３５０】
尚、プロセステーブルには、投影装置４００による投影や演出表示装置５の表示を制御するための表示制御実行データ、各ＬＥＤの点灯を制御するためのＬＥＤ制御実行データ、スピーカ８Ｌ，８Ｒ，８Ｕから出力する音の制御するための音制御実行データや、プッシュボタン３１Ｂやスティックコントローラ３１Ａの操作を制御するための操作部制御実行データや、スクリーンユニット３００の動作を制御するためのスクリーンユニット制御実行データ、役物装置３１０Ａ，３１０Ｂの動作を制御するための役物装置制御実行データ等が、各プロセスデータｎ（１〜Ｎ番まで）に対応付けて時系列に順番配列されている。
【０３５１】
次いで、演出制御用ＣＰＵ１２０は、プロセスデータ１の内容（表示制御実行データ１、ＬＥＤ制御実行データ１、音制御実行データ１、操作部制御実行データ１、スクリーンユニット制御実行データ１、役物装置制御実行データ１）に従って演出装置（演出用部品としての投影装置４００や演出表示装置５、演出用部品としての各種演出用ＬＥＤ及び演出用部品としてのスピーカ８Ｌ，８Ｒ，８Ｕ、操作部（プッシュボタン３１Ｂ、スティックコントローラ３１Ａ）、演出用部品としてのスクリーンユニット３００、演出用部品としての役物装置３１０Ａ，３１０Ｂ等）の制御を実行する（Ｓ２８３）。例えば、スクリーンユニット３００や演出表示装置５において変動パターンに応じた画像を表示させるために、表示制御部１２３に指令を出力する。また、各種演出用ＬＥＤを点灯／消灯制御を行わせるために、ＬＥＤ制御基板１４に対して制御信号（ＬＥＤ制御実行データ）を出力する。また、スピーカ８Ｌ，８Ｒ，８Ｕからの音声出力を行わせるために、音声制御基板１３に対して制御信号（音番号データ）を出力する。また、スクリーンユニット３００を動作させるために、スクリーン用モータ３０４Ａ，３０４Ｂに駆動信号を出力する。また、役物装置３１０Ａ，３１０Ｂを動作させるために、可動役物用モータ３１１Ａ，３１１Ｂに駆動信号を出力する。
【０３５２】
尚、この実施例では、演出制御用ＣＰＵ１２０は、変動パターン指定コマンドに１対１に対応する変動パターンによる演出図柄の変動表示が行われるように制御するが、演出制御用ＣＰＵ１２０は、変動パターン指定コマンドに対応する複数種類の変動パターンから、使用する変動パターンを選択するようにしてもよい。
【０３５３】
そして、変動時間タイマに、変動パターン指定コマンドで特定される変動時間に相当する値を設定する（Ｓ２８４）。また、変動制御タイマに所定時間を設定する（Ｓ２８５）。尚、所定時間は例えば３０ｍｓであり、演出制御用ＣＰＵ１２０は、所定時間が経過する毎に左中右の演出図柄の表示状態を示す画像データをＶＲＡＭに書き込み、表示制御部１２３がＶＲＡＭに書き込まれた画像データに応じた信号を投影装置４００や演出表示装置５に出力し、投影装置４００が信号に応じた画像を投影するとともに演出表示装置５が信号に応じた画像を表示することによって演出図柄の変動表示が実現される。次いで、演出制御プロセスフラグの値を演出図柄変動中処理（Ｓ８０２）に対応した値にする（Ｓ２８６）。
【０３５４】
図２３は、図１９に示された演出制御プロセス処理における演出図柄変動中処理（Ｓ８０２）を示すフローチャートである。演出図柄変動中処理において、演出制御用ＣＰＵ１２０は、まず、プロセスタイマ、変動時間タイマ、変動制御タイマのそれぞれの値を−１する（Ｓ３０１，Ｓ３０２，Ｓ３０３）。また、演出制御用ＣＰＵ１２０は、予告演出開始待ちタイマがセットされている（予告演出を行うことに決定されている）か、または予告演出実行中フラグがセットされている（予告演出の実行中である）場合には（Ｓ３０４；Ｙ）、予告演出処理を実行する（Ｓ３０５）。予告演出開始待ちタイマも予告演出実行中フラグもセットされていない場合には、Ｓ３０５の予告演出処理を実施することなく、Ｓ３０６に進む。尚、特に図示しないが、予告演出実行中フラグは、予告演出開始待ちタイマがタイマアップして予告演出が開始されるときにセットされるフラグである。
【０３５５】
Ｓ３０６において演出制御用ＣＰＵ１２０は、プロセスタイマがタイマアウトしたか否か確認する。プロセスタイマがタイマアウトしていたら、プロセスデータの切り替えを行う（Ｓ３０７）。即ち、プロセステーブルにおける次に設定されているプロセスタイマ設定値をプロセスタイマに設定することによってプロセスタイマをあらためてスタートさせる（Ｓ３０８）。
【０３５６】
また、その次に設定されている表示制御実行データ、ＬＥＤ制御実行データ、音制御実行データ、操作部制御実行データ、スクリーンユニット制御実行データ、役物装置制御実行データ等にもとづいて演出装置（演出用部品）に対する制御状態を変更する（Ｓ３０９）。
【０３５７】
次に、投影開始タイミングであるか否かを判定する（Ｓ３１０）。投影開始タイミングであるか否かは、実行中のプロセスデータの表示制御実行データ等より特定することができる。
【０３５８】
投影開始タイミングでない場合にはＳ３１４に進む。投影開始タイミングである場合には、Ｓ３１１に進んで、役物装置３１０Ａ、３１０Ｂが動作中であるか否かを判定する。尚、本実施例では、プロセスデータにおいて、投影装置４００からの投影を開始するときには、役物装置３１０Ａ、３１０Ｂが動作しないように予め役物装置制御実行データが記述されているため、Ｓ３１１において役物装置３１０Ａ、３１０Ｂが動作中であると判断される場合とは、役物装置３１０Ａ、３１０Ｂが何らかの不具合、例えば、ノイズ等によって動作を停止せずに、動作が継続している場合等である。
【０３５９】
よって、役物装置３１０Ａ、３１０Ｂが動作している場合には、役物装置３１０Ａ、３１０Ｂが備える剣型の模型によって投影装置４００からの投影光が遮られてしまうことを防ぐために、役物動作を中止して、剣型の模型を格納位置に移動させる設定を行う（Ｓ３１２）。尚、役物装置３１０Ａ、３１０Ｂが動作していない場合、つまり、剣型の模型が立設した状態で格納位置に格納されている場合には、Ｓ３１２を経由することなく、Ｓ３１３に進む。Ｓ３１３では、表示制御実行データに基づいて投影装置４００による投影を開始する。
【０３６０】
次に、役物動作タイミングであるか否かを判定する（Ｓ３１４）。役物動作タイミングであるか否かは、実行中のプロセスデータの役物装置制御実行データ等より特定することができる。
【０３６１】
役物動作タイミングでない場合にはＳ３１７に進む。役物動作タイミングである場合には、Ｓ３１５に進んで、更に、投影装置４００による投影を実行中であるか否かを判定する。
【０３６２】
投影装置４００による投影を実行中でない場合にはＳ３１６に進んで、役物装置制御実行データに基づいて可動役物用モータ３１１Ａ，３１１Ｂに駆動信号を出力して役物装置３１０Ａ、３１０Ｂの動作を開始する。
【０３６３】
このように、Ｓ３１０〜Ｓ３１６の処理を実行することにより、投影装置４００により投影される投影光が、役物装置３１０Ａ、３１０Ｂが動作することによって、役物装置３１０Ａ、３１０Ｂに設けられた剣型の模型によって遮られてしまうことを防止できるようになっている。
【０３６４】
次に、演出制御用ＣＰＵ１２０は、変動制御タイマがタイマアウトしているか否かを確認する（Ｓ３１７）。変動制御タイマがタイマアウトしている場合には（Ｓ３１７；Ｙ）、左中右の演出図柄の次表示画面（前回の演出図柄の表示切り替え時点から３０ｍｓ経過後に表示されるべき画面）の画像データを作成し、ＶＲＡＭの所定領域に書き込む（Ｓ３１８）。そのようにして、投影装置４００や演出表示装置５において、演出図柄の変動表示制御が実現される。表示制御部１２３は、設定されている背景画像等の所定領域の画像データと、プロセステーブルに設定されている表示制御実行データにもとづく画像データとを重畳したデータに基づく信号を投影装置４００や演出表示装置５に出力する。そのようにして、投影装置４００や演出表示装置５において、演出図柄の変動表示における背景画像、キャラクタ画像及び演出図柄が投影または表示される。また、変動制御タイマに所定値を再セットする（Ｓ３１９）。
【０３６５】
また、変動制御タイマがタイマアウトしていない場合（Ｓ３１７；Ｎ）には、演出制御用ＣＰＵ１２０は、変動時間タイマがタイマアウトしているか否か確認する（Ｓ３２０）。変動時間タイマがタイマアウトしていれば、演出制御プロセスフラグの値を演出図柄変動停止処理（Ｓ８０３）に応じた値に更新する（Ｓ３２２）。変動時間タイマがタイマアウトしていなくても、図柄確定指定コマンドを受信したことを示す確定コマンド受信フラグがセットされていたら（Ｓ３２１；Ｙ）、演出制御プロセスフラグの値を演出図柄変動停止処理（Ｓ８０３）に応じた値に更新する（Ｓ３２２）。変動時間タイマがタイマアウトしていなくても図柄確定指定コマンドを受信したら変動を停止させる制御に移行するので、例えば、基板間でのノイズ等に起因して長い変動時間を示す変動パターン指定コマンドを受信したような場合でも、正規の変動時間経過時（特別図柄の変動終了時）に、演出図柄の変動を終了させることができる。
【０３６６】
尚、演出図柄の変動制御に用いられているプロセステーブルには、演出図柄の変動表示中のプロセスデータが設定されている。つまり、プロセステーブルにおけるプロセスデータ１〜ｎのプロセスタイマ設定値の和は演出図柄の変動時間に相当する。よって、Ｓ３０６の処理において最後のプロセスデータｎのプロセスタイマがタイマアウトしたときには、切り替えるべきプロセスデータ（表示制御実行データやＬＥＤ制御実行データや音出力制御実行データ等）はなく、プロセステーブルにもとづく演出図柄の演出制御は終了する。
【０３６７】
尚、予告演出処理において、演出制御用ＣＰＵ１２０は、既に予告演出が開始されている状態であるか否かを判定し、予告演出が開始されていない場合には、予告演出開始待ちタイマの値を−１する。予告演出開始待ちタイマがタイムアウトしていなければ予告演出処理を終了する。予告演出開始待ちタイマがタイムアウトしている場合には、ＲＡＭ１２２の所定領域に記憶されている予告演出の種類、内容に基づいて実行する予告演出を特定し、特定した予告演出に該当する予告演出期間に相当する値を予告期間タイマにセットする。
【０３６８】
次いで、演出制御用ＣＰＵ１２０は、実行する予告演出の種類および内容に対応する予告演出制御パターンを、予告演出制御パターンテーブル（図示略）から読み出して選択した後、選択した予告演出制御パターン（予告プロセステーブル）のプロセスデータ１における予告プロセスタイマをスタートさせる。
【０３６９】
そして演出制御用ＣＰＵ１２０は、選択した予告演出制御パターン（予告プロセステーブル）の最初のプロセスデータ１の内容（表示制御実行データ１、ＬＥＤ制御実行データ１、音制御実行データ１、操作部制御実行データ１、スクリーンユニット制御実行データ１、役物装置制御実行データ１等）に従って各演出装置の制御を開始する。
【０３７０】
また、既に予告演出が開始されている状態である場合に演出制御用ＣＰＵ１２０は、予告プロセスを変更するための予告プロセスタイマの値を−１する。そして、予告演出期間の終了を計時するための予告期間タイマの値を−１し、予告期間タイマがタイマアウトしたか否かを判定する。予告期間タイマがタイマアウトしている場合は予告演出処理を終了し、予告期間タイマがタイマアウトしていない場合は、予告プロセスタイマがタイマアウトしたか否かを判定する。
【０３７１】
予告プロセスタイマがタイマアウトしていない場合には、予告演出制御パターン（予告プロセステーブル）を順次実行する。尚、実行中の予告演出制御パターン（予告プロセステーブル）と予告プロセスタイマとに基づいて、スクリーンユニット３００の変化タイミングであるか否か（スクリーン変化予告のみ）を判定する。
【０３７２】
スクリーンユニット３００の変化タイミングである場合にはスクリーン用モータ３０４Ａ，３０４Ｂに駆動信号を出力して、スクリーンユニット３００の投影対象を、第２スクリーン３０２から第１スクリーン３０１に変化させる。
【０３７３】
一方、予告プロセスタイマがタイマアウトしている場合は、予告プロセスデータの切り替えを行う。すなわち、予告プロセステーブルにおける次に設定されている予告プロセスタイマ設定値をプロセスタイマに設定することによってプロセスタイマをあらためてスタートさせる。また、その次に設定されている予告プロセスデータに含まれる表示制御実行データ、ＬＥＤ制御実行データ、音制御実行データ、操作部制御実行データ、スクリーンユニット制御実行データ、役物装置制御実行データ等にもとづいて演出装置（演出用部品）に対する制御状態を変更して実施した後、予告演出処理を終了する。
【０３７４】
次に、本実施例における予告演出について、図２４を用いて以下に説明する。本実施例における予告演出においては、図２４（Ａ）に示すように、変動表示がスクリーンユニット３００の第２スクリーン３０２にて投影表示により開始された後、予告演出の開始タイミングにおいて保留記憶表示エリアが、第２スクリーン３０２の下方領域から演出表示装置５の上方領域に変更されて、保留記憶表示が演出表示装置５の上方に表示されるとともに、演出図柄の変動表示も、演出表示装置５に表示され、変動表示が第２スクリーン３０２と演出表示装置５の双方において表示される。
【０３７５】
このように、遊技にとって重要な表示である保留記憶の数等を示す保留記憶表示や変動表示が、演出表示装置５において表示されることにより、スクリーンユニット３００の変化によって、保留記憶表示や変動表示が誤認されてしまうことを防ぐことができる。
【０３７６】
予告演出の種別が前兆ありの予告演出種別である場合には、図２４（Ｂ１）に示すように、変動表示の画面内にキャラクタが登場して、第２スクリーン３０２を持ち上げて変化させようとする画像（映像）が投影表示される。
【０３７７】
スクリーンユニット３００の変化タイミングが前兆１回目に決定されている場合には、キャラクタが１回目に登場して第２スクリーン３０２を持ち上げて変化させようとする画像（映像）されたときに、図２４（Ｃ）に示すように、投影が中止されてスクリーンユニット３００が暗転して、投影対象のスクリーンが第２スクリーン３０２から第１スクリーン３０１に変化した後、該第１スクリーン３０１への投影による図２４（Ｄ）〜（Ｆ）または図２４（Ｄ’）〜（Ｆ’）のいずれかの演出に進む。
【０３７８】
一方、前兆１回目以外の変化タイミングが決定されている場合とスクリーンユニット３００の変化なしで「前兆あり」の予告演出種別が決定されている場合には、図２４（Ｂ２）に示すように、キャラクタが第２スクリーン３０２を持ち上げることに失敗する画像（映像）が第２スクリーン３０２に投影表示される。そして、図２４（Ｂ１）に示すように、１回目と同じように、変動表示の画面内にキャラクタが登場して、第２スクリーン３０２を持ち上げて変化させようとする画像（映像）が再度投影表示される。
【０３７９】
スクリーンユニット３００の変化タイミングが前兆２回目に決定されている場合には、該キャラクタが再登場（２回目の登場）して第２スクリーン３０２を持ち上げて変化させようとする画像（映像）されたときに、図２４（Ｃ）に示すように、投影が中止されてスクリーンユニット３００が暗転して、投影対象のスクリーンが第２スクリーン３０２から第１スクリーン３０１に変化した後、該第１スクリーン３０１への投影による図２４（Ｄ）〜（Ｆ）または図２４（Ｄ’）〜（Ｆ’）のいずれかの演出に進む。
【０３８０】
一方、前兆３回目の変化タイミングが決定されている場合とスクリーンユニット３００の変化なしで「前兆あり」の予告演出種別が決定されている場合には、図２４（Ｂ２）に示すように、１回目の失敗と同様にキャラクタが第２スクリーン３０２を持ち上げることに失敗する画像（映像）が第２スクリーン３０２に投影表示される。そして、図２４（Ｂ１）に示すように、１回目および２回目と同じように、変動表示の画面内にキャラクタが登場して、第２スクリーン３０２を持ち上げて変化させようとする画像（映像）が再度投影表示される。
【０３８１】
スクリーンユニット３００の変化タイミングが前兆３回目に決定されている場合には、該キャラクタが再登場（３回目の登場）して第２スクリーン３０２を持ち上げて変化させようとする画像（映像）されたときに、図２４（Ｃ）に示すように、投影が中止されてスクリーンユニット３００が暗転して、投影対象のスクリーンが第２スクリーン３０２から第１スクリーン３０１に変化した後、該第１スクリーン３０１への投影による図２４（Ｄ）〜（Ｆ）または図２４（Ｄ’）〜（Ｆ’）のいずれかの演出に進む。
【０３８２】
一方、スクリーンユニット３００の変化なしで「前兆あり」の予告演出種別が決定されている場合には、図２４（Ｂ２）に示すように、２回目の失敗と同様にキャラクタが第２スクリーン３０２を持ち上げることに失敗する画像（映像）が第２スクリーン３０２に投影表示された後、第２スクリーン３０２においてスクリーン非変化予告の予告演出が実行される。
【０３８３】
上記したように、本実施例では、スクリーンユニット３００が変化する期間において、図２４（Ｃ）に示すように、投影を中止してスクリーンユニット３００を暗転させるようにすることで、投影画像がスクリーンユニット３００の変化によって誤認識されてしまうことを防ぐことができる。
【０３８４】
尚、本実施例では、スクリーンユニット３００が変化する期間において、投影装置４００による投影を中止するようにしているが、本発明はこれに限定されるものではなく、スクリーンユニット３００が変化する期間において、変化に連動すること等で、投影表示が誤認されることのない変化時画像を投影して、これら変化時において画像が投影されないことによる興趣の低下を防ぐようにしても良いし、明るさが非常に低い画像（変化時画像）を投影したり、更には、これらスクリーンユニット３００が変化する期間において、投影装置４００の動作自体を停止させて非作動状態として、投影を不能とすることで、スクリーンユニット３００の形状が変化するときに、変化に対応していない誤った画像が投影されて、遊技者に誤認されてしまうことを防ぐことができるようにしても良い。
【０３８５】
スクリーンユニット３００が第１スクリーン３０１に変化する期間の経過後においては、予告演出の実行決定時に決定した内容に基づいて、第１スクリーン３０１の形状に対応した部屋の画像（映像）が投影される図２４（Ｄ）〜（Ｆ）または図２４（Ｄ’）〜（Ｆ’）のいずれかの演出が実行される。
【０３８６】
尚、第１スクリーン３０１の形状に対応した部屋の画像（映像）は、図２４（Ｄ）〜（Ｆ）または図２４（Ｄ’）〜（Ｆ’）に示すように、第１スクリーン３０１の屈曲部に黒色のフレームを投影表示することで、第１スクリーン３０１の形状、つまり、箱状の立体であることを強調して部屋の画像（特定画像）の興趣を向上できるようになっている。つまり、黒色のフレームの画像が屈曲部であることを強調する強調画像に該当し、投影装置４００は、これら強調画像を投影可能である。
【０３８７】
予告演出の実行決定時において窓種別が「１面のみ」が決定されるとともに、はみ出し「無し」が決定されている場合には、図２４（Ｄ）に示すように、背板３０１Ｄにて形成される１面のみに窓があって、窓がいずれの屈曲部を跨がらず、且つ第１スクリーン３０１をキャラクタがはみ出さない部屋の画像が投影表示される。
【０３８８】
また、予告演出の実行決定時において窓種別が「１面のみ」が決定されるとともに、はみ出し「有り」が決定されている場合には、図２４（Ｄ’）に示すように、背板３０１Ｄにて形成される１面のみに窓があって、窓がいずれの屈曲部を跨がらず、且つ第１スクリーン３０１をキャラクタがはみ出す部屋の画像が投影表示される。
【０３８９】
予告演出の実行決定時において窓種別が「２面」が決定されるとともに、はみ出し「無し」が決定されている場合には、図２４（Ｅ）に示すように、第１スクリーン３０１の左側板３０１Ａと背板３０１Ｄとの２つの面に跨がった窓があって、第１スクリーン３０１をキャラクタがはみ出さない部屋の画像が投影表示される。
【０３９０】
予告演出の実行決定時において窓種別が「２面」が決定されるとともに、はみ出し「有り」が決定されている場合には、図２４（Ｅ’）に示すように、第１スクリーン３０１の左側板３０１Ａと背板３０１Ｄとの２つの面に跨がった窓があって、第１スクリーン３０１をキャラクタがはみ出す部屋の画像が投影表示される。
【０３９１】
予告演出の実行決定時において窓種別が「３面」が決定されるとともに、はみ出し「無し」が決定されている場合には、図２４（Ｆ）に示すように、第１スクリーン３０１の左側板３０１Ａと背板３０１Ｄと右側板３０１Ｂの３つの面に跨がった窓があって、第１スクリーン３０１をキャラクタがはみ出さない部屋の画像が投影表示される。
【０３９２】
予告演出の実行決定時において窓種別が「３面」が決定されるとともに、はみ出し「有り」が決定されている場合には、図２４（Ｆ’）に示すように、第１スクリーン３０１の左側板３０１Ａと背板３０１Ｄと右側板３０１Ｂの３つの面に跨がった窓があって、第１スクリーン３０１をキャラクタがはみ出す部屋の画像が投影表示される。
【０３９３】
本実施例の予告演出では、図２４（Ｄ’）〜（Ｆ’）に示すように、投影画像（キャラクタ画像）が第１スクリーン３０１の外に飛び出すように見えるので、遊技者に意外性を与えて遊技興趣を向上できる。
【０３９４】
尚、第１スクリーン３０１の外に飛び出す映像を投影する場合において、これら第１スクリーン３０１の外に飛び出す部分の映像が見づらくならないように、第３スクリーン３０３の裏面についても、画像を投影可能な領域（例えば、他の投影領域や前面と同様の形態としたり、他の投影領域や前面よりも暗い色で非投影時には目立たないが、投影画像は視認可能な形態（例えばグレー塗料を塗布する等）とすることが望ましい。
【０３９５】
以上、本実施例によれば、スクリーンユニット３００の形状が変化して投影対象のスクリーンが切り替わるときには、特定画像である保留記憶表示等の投影が中止されるとともに、これら特定画像である保留記憶表示等が演出表示装置５に表示されるので、スクリーンユニット３００の形状が変化することによる保留記憶表示等の特定画像の誤認を防ぐことができる。
【０３９６】
また、本実施例によれば、デモ演出において、図２５（Ｂ）に示すように、中央部が前方に突出する湾曲板状とされた第３スクリーン３０３に対応するようにマッピングされたタイヤの画像や、図２５（Ｃ）に示すように、第１スクリーン３０１の略箱状に対応するようにマッピングされた運転席の画像による演出が実行されるので、デモ演出の興趣を向上できる。
【０３９７】
また、本実施例によれば、非変動表示の状態が所定期間継続する毎にインターバル画像が表示されることで、第２スクリーン３０２（被投影部）に保留記憶表示用フレーム等の特定画像が焼き付いてしまうことを防ぐことができる。
【０３９８】
また、本実施例によれば、予告演出において、特別画像である窓の画像が跨がる屈曲部が多い程、大当りとなる期待度が高くなるため、特別画像が跨がる屈曲部の数に遊技者を注目させることができるので、遊技興趣を向上できる。
【０３９９】
また、本実施例によれば、スクリーンユニット３００において投影対象のスクリーンが第２スクリーン３０２から第１スクリーン３０１に切り替わるため遊技興趣を向上できるとともに、これら投影対象のスクリーンが切り替わる前に、図２４（Ｂ１）、図２４（Ｂ２）に示す前兆予告の演出を行うので、投影対象のスクリーンが切り替わることへの遊技者  の期待感を高めることができる。
【０４００】
また、本実施例によれば、図２７に示すように、投影装置４００の暖機運転が完了してからスクリーンユニット３００が初期動作して形状が変化するので、暖機運転が完了する前にスクリーンユニット３００の形状が変化して投影装置４００から画像が投影されてしまい、不適切な投影が行われてしまうことを防ぐことができる。
【０４０１】
また、本実施例によれば、演出制御用ＣＰＵ１２０がＳ５１の演出装置起動設定処理において、図２７に示すように、役物装置３１０Ａ，３１０Ｂが初期動作を実行した後に、投影装置４００が起動して暖機運転を開始するように、起動タイミングを設定するので、投影装置４００と役物装置３１０Ａ，３１０Ｂとが同時に起動されて電力消費が著しく高くなってしまうことを防ぐことができる。
【０４０２】
また、本実施例によれば、演出制御用ＣＰＵ１２０が演出図柄変動中処理において、Ｓ３１０〜Ｓ３１６の処理を実行することにより、投影装置４００による投影と役物装置３１０Ａ，３１０Ｂとが同時に作動することが制限されているので、投影装置４００と役物装置３１０Ａ，３１０Ｂとが同時に作動して電力消費が著しく高くなってしまうことを防ぐことができる。
【０４０３】
また、本実施例によれば、第２スクリーン３０２に緩衝部材３０２Ｂを設けているので、第１スクリーン３０１と第２スクリーン３０２とが当接するときの損傷を防ぐことができる。
【０４０４】
以上、本発明の実施例を図面により説明してきたが、具体的な構成はこれら実施例に限られるものではなく、本発明の要旨を逸脱しない範囲における変更や追加があっても本発明に含まれる。
【０４０５】
例えば、前記実施例では、予告演出において、スクリーンユニット３００を第２スクリーン３０２から第１スクリーン３０１に変化させる形態を例示していが、本発明はこれに限定されるものではなく、スクリーンユニット３００を第２スクリーン３０２から第３スクリーン３０３に変化させる変化パターンや、スクリーンユニット３００を第２スクリーン３０２から第３スクリーン３０３、更に第３スクリーン３０３から第１スクリーン３０１に変化させる変化パターンを設けて、これら変化の実行回数によって、大当り期待度や確変期待度が異なるようにしても良い。
【０４０６】
また、前記実施例では、スクリーンユニット３００を変化させる場合においては、保留記憶表示エリアを、第２スクリーン３０２の下方領域から演出表示装置５の上方領域に変更して、変化するスクリーンユニット３００には表示しない形態を例示しているが、本発明はこれに限定されるものではなく、図２９に示すように、例えば、変化後の第１スクリーン３０１に、保留記憶表示等の遊技にとって重要な表示（特定画像の表示）を行うようにしても良く、この場合には、図２９に示すように、第１スクリーン３０１のように屈曲部を有するスクリーンであれば、屈曲部を跨がらないように表示することで、保留記憶表示等の重要な表示がこれらスクリーンの屈曲部や凹凸部によって視認し難くなったり、誤認されてしまうことがないようにすれば良い。尚、これらの屈曲部は、第１スクリーン３０１のように各面が成す部分ではなく、例えば、スクリーンが凹凸部を有するものである場合であれば、これら凹凸部についての屈曲部であってもよく、これら凹凸部の屈曲部を跨がらないように表示すれば良い。
【０４０７】
また、前記実施例では、演出図柄の変動表示が、第１特別図柄の変動表示に連動したものである場合でも第２特別図柄の変動表示に連動したものである場合でも、同一の演出図柄変動エリアにて変動表示を行う形態を例示しているが、本発明はこれに限定されるものではなく、例えば、図３０に示すように、第１特別図柄に連動した演出図柄の変動表示については背板３０１Ｄにより形成される１面内において実行し、第２特別図柄に連動した演出図柄の変動表示については、背板３０１Ｄとは異なる下板３０１Ｃにより形成される１面内において実行することで、演出図柄の変動表示の連動対象が、第１特別図柄であるのか第２特別図柄であるのかを、遊技者が直感的に認識できるようにしても良く、この場合にあっては、前述した保留記憶表示と同様に、スクリーンの屈曲部（凹凸部の屈曲部を含む）を跨がらないように演出図柄を変動表示する（特定画像を表示する）ことで、演出図柄の変動表示がこれらスクリーンの屈曲部によって誤認されてしまうことがないようにすれば良い。
【０４０８】
尚、上記した特定画像としては、保留記憶表示（保留記憶表示用フレームを含む）や演出図柄の変動表示だけではなく、遊技にとって重要となる画像、例えば、遊技者の遊技履歴等を他の遊技機等に引き継いだり、或いは、サーバ等において遊技者が管理できるようにするために表示される２次元バーコードやパスワード等であっても良い。
【０４０９】
また、前記実施例では、屈曲部を有する第１スクリーン３０１には、予告演出やリーチ演出において振動していない部屋の画像を表示する形態を例示しているが、本発明はこれに限定されるものではなく、図３１に示すように、これら屈曲部を有する第１スクリーン３０１に振動していることを示す画像（映像）を投影表示するようにしても良く、この場合にあっては、画像が視認し難くなってしまうことや、振動している画像（映像）であることが解り難くなってしまうことを防ぐために、スクリーンの屈曲部（凹凸部の屈曲部を含む）を跨がらないように表示するようにすれば良い。よって、上記したように、スクリーンの屈曲部を跨がらないように表示する特定画像に、振動していることを示す画像（映像）が含まれるようにすれば良い。
【０４１０】
また、前記実施例では、スクリーンユニット３００を構成する第１スクリーン３０１、第２スクリーン３０２、第３スクリーン３０３を、単体のスクリーンとした形態を例示しているが、本発明はこれに限定されるものではなく、例えば、箱状のスクリーンを隠すスクリーンを前方に設ける場合にあっては、図３２に示すように、これら前方に設けるスクリーンを、左右の略方形の２つのスクリーンを合体させて横長の方形型のスクリーンとし、箱状のスクリーンに投影表示する場合には、前方のスクリーンの合体を解消して、箱状のスクリーンの両側方位置に、移動させて格納するようにすれば良い。このようにすることにより、複数の部分が合体して横長の方形型のスクリーンが構成されるため、大きなスクリーンに画像を大きく投影することができるので、画像の迫力を高めることができる。
【０４１１】
また、前記実施例では実施していないが、図３３（Ａ）に示すように、背板３０１Ｄの背面に、面状発光が可能なバックライト等の発光体を設けておき、例えば、前述した予告演出において窓が表示されるときに、バックライトを発光させて窓の部分が非常に明るく光る場合（図３３（Ｂ））と、バックライトを発光させずに窓の部分が明るく光らない場合（図３３（Ｃ））とがあるようにしても良く、これらバックライトを発光させる場合とバックライトを発光させない場合とを、大当りとなる場合と大当りとならない場合とで異なる割合にて決定することや、確変大当りとなる場合と確変大当りとならない場合とで異なる割合にて決定することにより、バックライトを発光させる場合とバックライトを発光させない場合とで大当り期待度や確変期待度が異なるようにしても良い。このように、バックライトをスクリーンユニット３００に設けることで、被投影部であるスクリーンユニット３００に投影される画像による光だけではなく、バックライトによってスクリーンユニット３００を背面からも照光することが可能となるため、スクリーンユニット３００をより一層、目立たせることができるので、遊技興趣を向上できる。
【０４１２】
尚、このようにバックライトを設ける場合にあっては、背板３０１Ｄの全体または窓の表示に対応する部分だけを、光を透過可能であって十分な機械的強度を有する素材、例えば、ポリエチレンテレフタレート（ＰＥＴ）樹脂フィルム等により形成すれば良い。
【０４１３】
また、前記実施例では、形態が変化するスクリーンユニット３００とともに形態が変化しない液晶表示装置からなる演出表示装置５を設けた形態を例示したが、本発明はこれに限定されるものではなく、例えば、演出表示装置５に対応する部分に形態が変化しない第４スクリーンを設けて、演出表示装置５の表示内容と同様に、少なくともスクリーンユニット３００が変化する期間において、保留記憶表示や演出図柄の変動表示を、投影装置４００が該第４スクリーンに投影するようにしても良い。尚、第４スクリーンは、演出表示装置５の位置ではなく、スクリーンユニット３００において変化しない部分として設けられていても良い。つまり、投影装置４００（投影手段）は、スクリーンユニット３００（被投影部）に投影可能な保留記憶表示や演出図柄の変動表示や２次元バーコード等の特定画像について、少なくともスクリーンユニット３００の形状が変化するときには、形態が変化しない非変化部である第４スクリーンに投影すれば良い。尚、これら第４スクリーンを設ける場合には、該第４スクリーンとスクリーンユニット３００とが被投影部を構成する。
【０４１４】
また、前記実施例では、スクリーンユニット３００の形状の変化が、投影対象のスクリーンを切り替えることによるものとしているが、本発明はこれに限定されるものではなく、例えば、スクリーンユニット３００が１のスクリーンのみを備え、該１のスクリーンの形状が膨らんだり、或いは凹むように変化するものであっても良い。
【０４１５】
また、前記実施例では、マッピングされた画像を投影する形態を例示しているが、本発明はこれに限定されるものではなく、これら投影画像は、マッピングされていない画像であっても良い。
【０４１６】
前記実施例では、遊技盤２を前方から覆う第１透明板５０ａを有するパチンコ遊技機１であって、遊技に関する画像を投影可能な投影装置４００（投影手段）と、投影装置４００（投影手段）によって画像が投影されるスクリーンユニット３００（被投影部）と、第１透明板５０ａを前方から覆う第２透明板５０ｂと、を備え、投影装置４００（投影手段）が投影光を出力する投影部４０１（投光部）が、第１透明板５０ａと第２透明板５０ｂの間に設けられている形態を例示したが、本発明はこれに限定されるものではなく、投影部４０１（投光部）が第１透明板５０ａと第２透明板５０ｂの間に設けられていないものであっても良い。
【０４１７】
前記実施例では、遊技に関する制御を行う主基板１１や演出制御基板１２等の各種の制御基板が、スクリーンユニット３００（被投影部）の前方領域を除く位置であって、スクリーンユニット３００（被投影部）の後方端よりも前方となる位置、つまり、スクリーンユニット３００（被投影部）の背面位置を除いた位置となる、後方に向けて膨出するカバー体２２０の外周面下部に形成された傾斜面２２０ａや開閉扉枠５０の背面下部に配置されている形態を例示したが、本発明はこれに限定されるものではなく、各種の制御基板の配置位置は、スクリーンユニット３００（被投影部）の背面位置を除いた位置であれば、パチンコ遊技機１の任意の位置として良い。
【０４１８】
前記実施例では、パチンコ遊技機１の前面上部位置に、前方側に突出するように庇状に形成された上突出部２１０Ａ（庇部）に投影装置４００（投影手段）が設けられている形態を例示したが、本発明はこれに限定されるものではなく、これら投影装置４００（投影手段）を上突出部２１０Ａ（庇部）とは異なる部分、例えば、カバー体２２０の上方位置等に設けて、上突出部２１０Ａ（庇部）には反射鏡だけを設けるようにしても良い。
【０４１９】
前記実施例では実施していないが、スクリーンユニット３００（被投影部）の周囲に位置する、ステージ飾り枠５１や障害釘や風車等の部材を、スクリーンユニット３００（被投影部）の周囲に位置しない部材よりも、光を反射し難い色、材質、表面状態の少なくともいずれかとすることで、これらスクリーンユニット３００（被投影部）の周囲に位置する部材により、投影装置４００（投影手段）からの投影光やスクリーンユニット３００（被投影部）からの光が反射されて、スクリーンユニット３００（被投影部）に投影された画像の視認性が低下してしまうことを防ぐようにしても良い。
【０４２０】
尚、ステージ飾り枠５１等のスクリーンユニット３００（被投影部）の周囲に位置する部材だけではなく、例えば、スティックコントローラ３１Ａやプッシュボタン３１Ｂ等のスクリーンユニット３００の周囲に位置しない他の部材を含むパチンコ遊技機１全体を、光を反射し難い茶（平均反射率２５％）や赤（平均反射率２０％）、黒（平均反射率４％）等の色に着色したり、黒色であるカーボン材等の光が反射し難い材質にて構成しても良い。
【０４２１】
前記実施例では実施していないが、パチンコ遊技機１にエラー報知制御手段を備えるようにして、該エラー報知制御手段により、パチンコ遊技機１における異常の発生を報知するようにしても良く、この場合にあっては、本体を開閉可能に覆う開閉扉枠５０（開閉扉）の開放異常を投影装置４００（投影手段）によりスクリーンユニット３００（被投影部）に大きく投影して報知しようとしても、前記実施例では開閉扉枠５０（開閉扉）に投影装置４００（投影手段）が設けられているため、異常を報知する画像をスクリーンユニット３００（被投影部）に投影できなくなってしま可能性が高いので、少なくとも開閉扉枠５０（開閉扉）が開放されている期間においては、スクリーンユニット３００（被投影部）とは個別に設けられ、画像を表示可能な表示手段である演出表示装置５に、エラー報知画像を表示して異常の発生を報知するようにすれば良い。
【０４２２】
前記実施例では、遊技球（遊技媒体）が通過する通過経路は、該通過経路を通過する遊技球がスクリーンユニット３００（被投影部）に投影される投影光を遮らない位置に設けられていることで、通過経路を通過する遊技球によって投影光が遮られて画像が分かりづらくなってしまうことを防止できるようにしているが、本発明はこれに限定されるものではなく、通過経路を通過する遊技球が、投影光の一部を遮るように通過経路を形成するようにしても良い。
【０４２３】
前記実施例では、投影装置４００（投影手段）の制御を行う投影制御手段である演出制御用ＣＰＵ１２０は、本体を開閉可能に覆う開閉扉枠５０（開閉扉）の開放に関係なく投影装置４００（投影手段）の制御を行う形態を例示しているが、本発明はこれに限定されるものではなく、投影制御手段である演出制御用ＣＰＵ１２０は、少なくとも開閉扉枠５０（開閉扉）が開放されている期間においては、閉鎖されている期間と比較して投影装置４００から投影される投影光の明るさを低減させる制御、または、投影装置４００による投影を停止する制御を行うようにしても良い。
【０４２４】
前記実施例では、投影装置４００の焦点を、投影装置４００に近い近領域である第３スクリーン３０３と、投影装置４００から遠い遠領域である背板３０１Ｄとの間の中間領域となる第２スクリーン３０２（第２投影位置）に合わせた形態を例示したが、本発明はこれに限定されるものではなく、例えば、投影装置４００として、自動的に投影されるスクリーンに焦点を自動的に修正可能なものを用いるようにしても良い。
【０４２５】
前記実施例では、投影装置４００の暖機運転を起動時において実行し、その後は、投影装置４００を継続して稼働状態とする形態を例示しているが、本発明はこれに限定されるものではなく、これら投影装置４００を、例えば、遊技者にとって有利な有利状態となる期待度が第１演出よりも高い第２演出を実行する場合において稼働状態として、スクリーンユニット３００に第２演出に関する画像を投影装置４００が投影するようにしても良く、この場合にあっては、第２演出が実行される前に該第２演出が実行されるか否かを判定する判定手段を備えるようにして、該判定手段によって第２演出が少なくとも実行されることが判定された場合に、第２演出に係わる作動条件が成立、つまり、第２演出に関する画像を投影するタイミングとなる前に、事前に暖機運転を開始するようにすれば良い。
【０４２６】
前記実施例では、投影装置４００を上突出部２１０Ａに不動に固定して設けた形態を例示したが、本発明はこれに限定されるものではなく、投影装置４００を、例えば、第１スクリーン３０１（第１被投影部）に画像を投影可能な第１状態と、第２スクリーン３０２（第２被投影部）に画像を投影可能な第２状態に可動させる可動手段にて可動可能に上突出部２１０Ａに設けるようにしても良く、この場合にあって投影装置４００は、少なくとも可動手段によって可動される期間においては、投影光の明るさを低減させて遊技に関する画像を投影する、または、遊技に関する画像を投影しないようにすれば良い。
【０４２７】
前記実施例では、スクリーンユニット３００（被投影部）に投影される投影画像と、演出表示装置５に表示される表示画像とが、互いに作用し合うような連携演出を行わない形態を例示しているが、本発明はこれに限定されるものではなく、投影装置４００（投影手段）が投影する投影画像と演出表示装置５（表示手段）が表示する表示画像とにより連携演出を実行する連携演出実行手段を備えるようにしても良く、この場合にあっては、スクリーンユニット３００（被投影部）の近傍に配置される演出表示装置５の表示制御と、投影装置４００の投影制御を行う制御手段である演出制御用ＣＰＵ１２０は、連携演出が実行されるときには、投影装置４００（投影手段）により投影される投影画像の明るさと、演出表示装置５（表示手段）により表示される表示画像の明るさとを合わせる制御を行うようにすれば良い。
【０４２８】
前記実施例では、投影装置４００（投影手段）を、本体を開閉可能に覆う開閉扉枠５０（開閉扉）に前方側に突出するように庇状に形成された上突出部２１０Ａに設け、開閉扉枠５０（開閉扉）の開閉に応じて投影装置４００（投影手段）の投影方向が変化する形態を例示しているが、本発明はこれに限定されるものではなく、これら投影装置４００（投影手段）を、例えば、投影装置４００（投影手段）を投影可能な上突出部２１０Ａを、開閉扉枠５０（開閉扉）等から分離固定して、開閉扉枠５０（開閉扉）を閉鎖した状態及び開放した状態のいずれの状態であっても、スクリーンユニット３００（被投影部）に画像を投影可能に設けるようにしても良いし、開閉扉枠５０（開閉扉）ではなく、開閉扉枠５０（開閉扉）の開閉に伴って移動しない遊技盤２に投影装置４００を設けることにより、開閉扉枠５０（開閉扉）を閉鎖した状態及び開放した状態のいずれの状態であっても、スクリーンユニット３００（被投影部）に画像を投影可能に設けるようにしても良い。つまり、投影装置４００を開閉扉枠５０（開閉扉）を閉鎖した状態及び開放した状態のいずれの状態であっても、スクリーンユニット３００（被投影部）に画像を投影可能な位置に設けるようにしても良い。
【０４２９】
前記実施例では、投影装置４００をパチンコ遊技機１の前方に突出する上突出部２１０Ａに、遊技盤２と対向するように設けた形態を例示したが、本発明はこれに限定されるものではなく、例えば、上突出部２１０Ａに反射鏡を配置して、投影装置４００を遊技盤２側に設けて、投影装置４００からの投影光を反射鏡にて反射してスクリーンユニット３００（被投影部）に投影するようにしても良い。
【０４３０】
また、前記実施例では、演出表示装置５を設けた形態を例示しているが、本発明はこれに限定されるものではなく、これら演出表示装置５を設けないようにしても良い。
【０４３１】
また、前記実施例では、図２４に示すように、スクリーンユニット３００（被投影部）と演出表示装置５の双方において演出図柄の変動表示を行う形態を例示したが、本発明はこれに限定されるものではなく、これら演出図柄の変動表示をスクリーンユニット３００（被投影部）と演出表示装置５のいずれか一方のみで行うようにしても良い。
【０４３２】
また、前記実施例では、ベース板３０２Ａの左側辺、右側辺及び下辺に沿って各辺を覆うように緩衝部材３０２Ｂを設けた形態を例示しているが、本発明はこれに限定されるものではなく、例えば、ベース板３０２Ａが下辺においてのみ、第１スクリーン３０１の下板３０１Ｃと当接する場合には、これら当接する下辺にのみに、緩衝部材３０２Ｂを設けるようにしても良い。
【０４３３】
また、前記実施例では、被投影部が切り替わることを予告する演出として、図２４（Ｂ１）に示すように、キャラクタが登場して、第２スクリーン３０２を持ち上げて変化させようとする画像（映像）を投影する形態を例示したが、本発明はこれに限定されるものではなく、例えば、スクリーンの移動方向が左右に移動するものであれば、キャラクタがスクリーンの移動方向である右方向または左方向に移動することで、被投影部が切り替わることを予告するようにしても良い。また、スクリーンが分割して切り替わるような場合であれば、スクリーンが分割することを示すエフェクト画像（ヒビが入る画像（映像）等）を投影したり、或いは、切り替え後のスクリーンの形状の画像やアイコン等を投影する当により、被投影部が切り替わることを予告するようにしても良い。更には、これら画像等を投影せずに、移動するスクリーンを少しだけ移動させて戻すような動きや、スクリーンが割れるような動作を少しだけ行って被投影部が切り替わることを予告するようにしても良い。
【０４３４】
また、前記実施例では、前述したように、演出装置である役物装置３１０Ａ，３１０Ｂの動作確認用初期動作の期間と、投影装置４００の暖機運転期間と、スクリーンユニット３００の動作確認用初期動作の期間とが重複しないようにした形態を例示しているが、本発明はこれに限定されるものではなく、これら役物装置３１０Ａ，３１０Ｂだけではなく、例えば、他の演出装置である、演出用ＬＥＤ９やスピーカ８Ｌ，８Ｒ，８Ｕの動作確認用初期動作の期間も、投影装置４００の暖機運転期間と、スクリーンユニット３００の動作確認用初期動作の期間と重複しないようにして、一時的に電力消費が著しく高くなってしまうことを更に防ぐことができるようにしても良い。
【０４３５】
また、前記実施例では、スクリーンユニット３００を変化させる演出の１例として予告演出を例示しているが、本発明はこれに限定されるものではなく、これらスクリーンユニット３００を変化させる演出を、リーチ演出中において実行したり、変動表示が実行されていない大当り中に実行される演出、例えば、前述した大当り中昇格演出として実行することで、確変昇格を報知する演出として実行しても良いし、例えば、５ラウンド大当りであるか１６ラウンドの大当りであるかが不明である場合に、１６ラウンドであることを報知するラウンド昇格演出として実行したり、大当り後に保留記憶によって実行される変動表示によって大当りが連続して発生するか否かを示唆する保留内連荘示唆演出として実行するようにしても良い。更には、大当りに当選する確率が高い高確率状態であるのか、大当りに当選する確率が低い通常状態（低確率状態）であるのかが判別不能である潜伏状態である場合に、高確率状態であるか通常状態（低確率状態）であるのを示唆する演出として実行しても良い。
【０４３６】
また、前記実施例では、大当り遊技において大入賞口の開放を実施することで多くの遊技球を獲得できる大当りのみを発生させる形態を例示しているが、本発明はこれに限定されるものではなく、例えば、確変大当りＢを、ラウンド遊技における大入賞口の開放時間を著しく短くして、大入賞口が開放したことを遊技者に認識されないようにして、該確変大当りＢの発生により、突然に確変状態となったように見せる突確大当りとしても良い。尚、これら確変大当りＢを突確大当りとする場合には、該確変大当りＢの大当り遊技における大入賞口の開放パターンと同一の開放パターンにて大入賞口を開放する小当りを設けるようにして、確変大当りＢや小当りの発生後の遊技状態が、高確状態であるのか、或いは低確状態にあるのかが不明な状態（いわゆる潜伏状態）が発生するようにしても良い。
【０４３７】
また、前記実施例では、始動入賞口を、第１始動入賞口と第２始動入賞口の２つとした形態を例示しているが、本発明はこれに限定されるものではなく、始動入賞口を１つのみとしても良いし、始動入賞口を３以上としても良い。
【０４３８】
また、前記実施例では、特別図柄を、第１特図と第２特図の２つとした形態を例示しているが、本発明はこれに限定されるものではなく、特別図柄を１つのみとしても良いし、特別図柄を３以上としても良い。
【０４３９】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な演出表示装置やリールに変動表示結果が導出されることにより１ゲームが終了し、該演出表示装置に導出された変動表示結果に応じて入賞が発生可能とされたスロットマシンにも適用可能である。尚、本発明をスロットマシンに適用する場合の遊技領域としては、スロットマシンの前面を閉鎖する遊技機用枠に設けられた透明板の後方に配置されるスクリーンユニットを含む。
【０４４０】
また、前記実施例では、スクリーンユニット３００の後方領域には、いずれの基板も配置しない形態を例示したが、本発明はこれに限定されるものではなく、例えば、投影装置４００とスクリーンユニット３００との距離を十分に確保できる場合にあっては、スクリーンユニット３００の後方領域に、基板を配置するようにしても良い。
【０４４１】
また、前記実施例では、第１特別図柄表示器４Ａと第２特別図柄表示器４Ｂはそれぞれ変動表示結果となる最終停止図柄を含む複数種類の特別図柄を変動表示した後に、最終停止図柄を停止表示するようになっているが、本発明はこれに限定されるものではなく、変動表示結果となる最終停止図柄を含めずに複数種類の特別図柄を変動表示した後に、最終停止図柄を停止表示するものであっても良い。つまり、変動表示結果となる最終停止図柄は、変動表示に用いられる特別図柄と異なる図柄であっても良い。
【符号の説明】
【０４４２】
１                パチンコ遊技機
４Ａ              第１特別図柄表示器
４Ｂ              第２特別図柄表示器
５                演出表示装置
１１              主基板
１２              演出制御基板
１００            遊技制御用マイクロコンピュータ
１２０            演出制御用ＣＰＵ
２２０            カバー体
３００            スクリーンユニット
３０１            第１スクリーン
３０２            第２スクリーン
３０３            第３スクリーン
４００            投影装置
【図１】
0006516498.tif 000002
【図２】
0006516498.tif 000003
【図３】
0006516498.tif 000004
【図４】
0006516498.tif 000005
【図５】
0006516498.tif 000006
【図６】
0006516498.tif 000007
【図７】
0006516498.tif 000008
【図８】
0006516498.tif 000009
【図９】
0006516498.tif 000010
【図１０】
0006516498.tif 000011
【図１１】
0006516498.tif 000012
【図１２】
0006516498.tif 000013
【図１３】
0006516498.tif 000014
【図１４】
0006516498.tif 000015
【図１５】
0006516498.tif 000016
【図１６】
0006516498.tif 000017
【図１７】
0006516498.tif 000018
【図１８】
0006516498.tif 000019
【図１９】
0006516498.tif 000020
【図２０】
0006516498.tif 000021
【図２１】
0006516498.tif 000022
【図２２】
0006516498.tif 000023
【図２３】
0006516498.tif 000024
【図２４】
0006516498.tif 000025
【図２５】
0006516498.tif 000026
【図２６】
0006516498.tif 000027
【図２７】
0006516498.tif 000028
【図２８】
0006516498.tif 000029
【図２９】
0006516498.tif 000030
【図３０】
0006516498.tif 000031
【図３１】
0006516498.tif 000032
【図３２】
0006516498.tif 000033
【図３３】
0006516498.tif 000034